(57)【要約】  酵素、アルカリ源、およびホスホネートまたはアミンホスホネート塩を含有する洗剤組成物が、本明細書に記載されている。開示のホスホネートを含有する洗剤組成物の使用溶液は、その酵素活性を長期間保持することができる。具体的には、ある特定のタイプのホスホネートおよび別の特定のタイプのアミンホスホネート塩が、洗剤組成物中の酵素を安定化することが発見された。開示のホスホネートまたはアミンホスホネート塩を含有する固体洗剤組成物は、汚れを除去するのにより効果的であり、生産コストおよび使用コストを節約することができる。【選択図】図１Ａ
2019529679.tif 000002
【特許請求の範囲】
【請求項１】
酵素、
【化１】
2019529679.tif 000078
の式によって表されるホスホネートまたはその塩、およびアルカリ源を含む、組成物であって、
前記酵素が、プロテアーゼ、アミラーゼ、リパーゼ、セルラーゼ、ペルオキシダーゼ、グルコナーゼ、またはそれらの混合物を含み、
前記アルカリ源が、金属炭酸塩、金属重炭酸塩、金属ケイ酸塩、またはそれらの混合物であり、
式中、Ｒ１０およびＲ１１は、独立して、水素、置換アルキル、２−（ＥＯ）ｎ−ビホスホネートアミン−エチル、２−（ＰＯ）ｎ−ビホスホネートアミン−イソプロピル、ホスホネート、ホスホネートエステル、またはそれらの誘導体であり、
ただし、Ｒ１０およびＲ１１は、両方とも−ＣＨ２−ＰＯ（ＯＨ）２基である、組成物。
【請求項２】
Ｒ１１が、−ＣＨ２−ＰＯ（ＯＨ）２基である、請求項１に記載の組成物。
【請求項３】
Ｒ１１が、−ＣＨ２−ＰＯ（ＯＨ）２基であり、Ｒ１０が、置換アルキルである、請求項１に記載の組成物。
【請求項４】
Ｒ１１が、−ＣＨ２−ＰＯ（ＯＨ）２基であり、Ｒ１０が、ホスホネート、ホスホネートエステル、またはそれらの誘導体である、請求項１に記載の組成物。
【請求項５】
前記ホスホネートが、
【化２】
2019529679.tif 000079
アミノメチルホスホン酸、またはそれらの混合物であり、式中、ｎが１〜３０の整数である、請求項１に記載の組成物。
【請求項６】
前記アルカリ源が、金属炭酸塩および金属重炭酸塩である、請求項１〜５のいずれか一項に記載の組成物。
【請求項７】
前記金属炭酸塩と前記金属重炭酸塩のモル比が、約０．２５：１〜約１：０．２５である、請求項６に記載の組成物。
【請求項８】
前記酵素が、プロテアーゼ、アミラーゼ、リパーゼ、またはそれらの混合物を含む、請求項１〜７のいずれか一項に記載の組成物。
【請求項９】
前記ホスホネートが、前記組成物の約０．１〜３５重量％である、請求項１〜８のいずれか一項に記載の組成物。
【請求項１０】
前記酵素が、前記組成物の約０．１〜３５重量％である、請求項１〜９のいずれか一項に記載の組成物。
【請求項１１】
前記アルカリ源が、前記組成物の約０．１〜９０重量％である、請求項１〜１０のいずれか一項に記載の組成物。
【請求項１２】
前記組成物の使用溶液が、約８〜約１２のｐＨを有する、請求項１〜１１のいずれか一項に記載の組成物。
【請求項１３】
前記組成物の使用溶液中で、前記酵素が、１２０°Ｆ（約４８．９℃）で少なくとも４時間の間、その活性の少なくとも１５％を保持する、請求項１〜１２のいずれか一項に記載の組成物。
【請求項１４】
前記組成物の使用溶液中で、前記酵素が、１２０°Ｆ（約４８．９℃）で少なくとも４時間の間、その活性の少なくとも２０％を保持する、請求項１〜１２のいずれか一項に記載の組成物。
【請求項１５】
アミンをさらに含む、請求項１〜１４のいずれか一項に記載の組成物。
【請求項１６】
前記アミンが、前記組成物の約０．１〜３５重量％である、請求項１５に記載の組成物。
【請求項１７】
前記アミンに対する前記ホスホネートのモル比が、約０．５：１〜１：０．５である、請求項１５に記載の組成物。
【請求項１８】
前記アミンが、アルカノールアミン、モノエタノールアミン、ジエタノールアミン、トリエタノールアミン、イソプロピルアミン、またはそれらの混合物である、請求項１５〜１７のいずれか一項に記載の組成物。
【請求項１９】
前記組成物が、金属水酸化物、トリポリホスフェート、またはそれらの混合物をさらに含む、請求項１〜１８のいずれか一項に記載の組成物。
【請求項２０】
酸化剤、ビルダー、水質コンディショナー、水質調節剤、ペルオキシ酸、ペルオキシ酸の初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤、キレート化剤、芳香剤、染料、レオロジー調整剤、増粘剤、非イオン界面活性剤、カチオン界面活性剤、双性イオン界面活性剤、ヒドロトロープ、カップラー、またはそれらの任意の組み合わせを含む、追加の機能性成分のうちの一つ又は複数をさらに含む、請求項１〜１９のいずれか一項に記載の組成物。
【請求項２１】
酵素、アルカリ源、およびアミンホスホネート塩を含む、組成物であって、
前記アミンホスホネート塩が、
【化３】
2019529679.tif 000080
の式によって表されるホスホネートとアミンとの生成物であり、
前記酵素が、プロテアーゼ、アミラーゼ、リパーゼ、セルラーゼ、ペルオキシダーゼ、グルコナーゼ、またはそれらの混合物を含み、
前記アルカリ源が、金属炭酸塩、金属重炭酸塩、金属ケイ酸塩、またはそれらの混合物を含み、
式中、Ｒ１２、Ｒ１３、およびＲ１４は、独立して、ヒドロキシル、メチル、−ＰＯ（ＯＨ）２、−ＣＨ２ＣＯＯＨ、置換アルキル、ホスホネート、それらのエステル、それらの塩、またはそれらの誘導体である、組成物。
【請求項２２】
Ｒ１２、Ｒ１３、およびＲ１４のうちの１つが、ヒドロキシル、メチル、−ＰＯ（ＯＨ）２、−ＣＨ２ＣＯＯＨ、それらのエステル、それらの塩、またはそれらの誘導体である、請求項２１に記載の組成物。
【請求項２３】
前記ホスホネートが、ＰＯ（ＯＨ）２（Ｃ（ＣＨ２ＣＯＯＨ）３）、ＰＢＴＣである、請求項２１に記載の組成物。
【請求項２４】
前記ホスホネートが、Ｃ（ＣＨ３）（ＯＨ）（ＰＯ（ＯＨ）２）２、ＨＥＤＰである、請求項２１に記載の組成物。
【請求項２５】
前記アミンが、モノエタノールアミン、ジエタノールアミン、トリエタノールアミン、イソプロピルアミン、またはそれらの混合物である、請求項２１〜２４のいずれか一項に記載の組成物。
【請求項２６】
前記酵素が、プロテアーゼ、アミラーゼ、リパーゼ、またはそれらの混合物を含む、請求項２１〜２５のいずれか一項に記載の組成物。
【請求項２７】
前記アルカリ源が、金属炭酸塩、金属重炭酸塩、またはそれらの混合物を含む、請求項２１〜２６のいずれか一項に記載の組成物。
【請求項２８】
前記金属重炭酸塩に対する前記金属炭酸塩のモル比が、約０．２５：１〜約１：０．２５である、請求項２７に記載の組成物。
【請求項２９】
前記組成物の使用溶液が、約８〜約１２のｐＨを有する、請求項２１〜２８のいずれか一項に記載の組成物。
【請求項３０】
前記組成物の使用溶液中で、前記酵素が、１２０°Ｆ（約４８．９℃）で少なくとも４０分の間、その活性の少なくとも１５％を保持する、請求項２１〜２９のいずれか一項に記載の組成物。
【請求項３１】
前記アミンが、前記組成物の約０．１〜３５重量％を構成する、請求項２１〜３０のいずれか一項に記載の組成物。
【請求項３２】
前記ホスホネートが、前記組成物の約０．１〜３５重量％を構成する、請求項２１〜３１のいずれか一項に記載の組成物。
【請求項３３】
前記酵素が、前記組成物の約０．１〜３５重量％を構成する、請求項２１〜３２のいずれか一項に記載の組成物。
【請求項３４】
前記アルカリ源が、前記組成物の約０．１〜９０重量％を構成する、請求項２１〜３３のいずれか一項に記載の組成物。
【請求項３５】
前記組成物が、金属水酸化物、トリポリホスフェート、またはそれらの混合物をさらに含む、請求項２１〜３４のいずれか一項に記載の組成物。
【請求項３６】
前記組成物が、酸化剤、ペルオキシ酸、ペルオキシ酸の初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤、キレート化剤、芳香剤、染料、レオロジー調整剤、増粘剤、非イオン界面活性剤、カチオン界面活性剤、双性イオン界面活性剤、ヒドロトロープ、カップラー、またはそれらの任意の組み合わせのうちの一つ又は複数をさらに含む、請求項２１〜３５のいずれか一項に記載の組成物。
【請求項３７】
アルカリ源、ホスホネート、および酵素を含む、固体洗剤組成物であって、
前記アルカリ源が、金属炭酸塩、金属重炭酸塩、金属ケイ酸塩、またはそれらの混合物を含み、
前記酵素が、プロテアーゼ、アミラーゼ、リパーゼ、セルラーゼ、ペルオキシダーゼ、グルコナーゼ、またはそれらの混合物を含み、
前記ホスホネートが、
【化４】
2019529679.tif 000081
の式またはその塩によって表され、Ｒ１０およびＲ１１は、独立して、水素、置換カルボン酸、ホスホネート、エタノール、ジグリコ、置換アルキル、２−（ＥＯ）ｎ−ビホスホネートアミン−エチル、２−（ＰＯ）ｎ−ビホスホネートアミン−イソプロピル、またはホスホネート−メチルであり、ただし、Ｒ１０およびＲ１１が両方とも、−ＣＨ２−ＰＯ（ＯＨ）２基であり、
前記組成物の前記成分を混合及び使用して、固体洗剤を生成した、固体洗剤組成物。
【請求項３８】
前記固体洗剤が、注型プロセス、押出プロセス、またはプレスプロセスによって生成される、請求項３７に記載の固体洗剤組成物。
【請求項３９】
前記固体洗剤が、ブロック、錠剤、または粒状である、請求項３７又は３８に記載の固体洗剤組成物。
【請求項４０】
前記固体洗剤が、多用途固体洗剤である、請求項３７〜３９のいずれか一項に記載の固体洗剤組成物。
【請求項４１】
Ｒ１１が、−ＣＨ２−ＰＯ（ＯＨ）２基である、請求項３７〜４０のいずれか一項に記載の固体洗剤組成物。
【請求項４２】
Ｒ１１が、−ＣＨ２−ＰＯ（ＯＨ）２基であり、Ｒ１０が、エタノールイル、ジグリコ、置換アルキル、イソプロピル−２−（ＥＯ）ｎ−ビホスホネートアミン、またはメチル−ホスホネートである、請求項３７〜４０のいずれか一項に記載の固体洗剤組成物。
【請求項４３】
前記ホスホネートが、
【化５】
2019529679.tif 000082
アミノメチルホスホン酸、それらの混合物、またはそれらの塩である、請求項３７〜４０のいずれか一項に記載の固体洗剤組成物。
【請求項４４】
前記アルカリ源が、金属炭酸塩および金属重炭酸塩を含む、請求項３７〜４３のいずれか一項に記載の固体洗剤組成物。
【請求項４５】
前記金属炭酸塩と前記金属重炭酸塩のモル比が、約０．２５：１〜約１：０．２５である、請求項４４に記載の固体洗剤組成物。
【請求項４６】
前記酵素が、プロテアーゼ、アミラーゼ、リパーゼ、またはそれらの混合物を含む、請求項３７〜４５のいずれか一項に記載の固体洗剤組成物。
【請求項４７】
アミンまたはその塩をさらに含む、請求項３７〜４６のいずれか一項に記載の固体洗剤組成物。
【請求項４８】
前記アミンが、完全に中和されている、請求項４７に記載の固体洗剤組成物。
【請求項４９】
前記アミンが、アルカノールアミン、モノエタノールアミン、ジエタノールアミン、トリエタノールアミン、イソプロピルアミン、それらの塩、またはそれらの任意の混合物を含む、請求項４７又は４８に記載の固体洗剤組成物。
【請求項５０】
金属水酸化物、トリポリホスフェート、またはそれらの混合物をさらに含む、請求項３７〜４９のいずれか一項に記載の固体洗剤組成物。
【請求項５１】
酸化剤、ビルダー、水質コンディショナー、水質調節剤、ペルオキシ酸、ペルオキシ酸の初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤、キレート化剤、芳香剤、染料、レオロジー調整剤、増粘剤、非イオン界面活性剤、カチオン界面活性剤、双性イオン界面活性剤、ヒドロトロープ、カップラー、またはそれらの任意の組み合わせのうちの一つ又は複数をさらに含む、請求項３７〜５０のいずれか一項に記載の固体洗剤組成物。
【請求項５２】
前記組成物の使用溶液が、約８〜約１２のｐＨを有する、請求項３７〜５１のいずれか一項に記載の固体洗剤組成物。
【請求項５３】
前記組成物の使用溶液中で、前記酵素が、１２０°Ｆ（約４８．９℃）で少なくとも４時間の間、その活性の少なくとも１５％を保持する、請求項３７〜５２のいずれか一項に記載の固体洗剤組成物。
【請求項５４】
前記ホスホネートが、前記組成物の約０．１〜３５重量％を構成する、請求項３７〜５３のいずれか一項に記載の固体洗剤組成物。
【請求項５５】
前記酵素が、前記組成物の約０．１〜３５重量％を構成する、請求項３７〜５４のいずれか一項に記載の固体洗剤組成物。
【請求項５６】
前記アルカリ源が、前記組成物の約０．１〜９０重量％を構成する、請求項３７〜５５のいずれか一項に記載の固体洗剤組成物。
【請求項５７】
前記固体洗剤が、寸法安定性を有し、１２２°Ｆ（５０℃）の温度に加熱された場合に３％未満の増大指数を有する、請求項３７〜５６のいずれか一項に記載の固体洗剤組成物。
【請求項５８】
アルカリ源、アミンホスホネート塩、および酵素を含む、固体洗剤組成物であって、
前記アルカリ源が、金属炭酸塩、金属重炭酸塩、金属ケイ酸塩、またはそれらの任意の混合物を含み、
前記酵素が、プロテアーゼ、アミラーゼ、リパーゼ、またはそれらの混合物を含み、
前記アミンホスホネート塩が、
【化６】
2019529679.tif 000083
の式によって表されるホスホネートとアミンとの生成物であり、Ｒ１２、Ｒ１３およびＲ１４は、独立して、ヒドロキシル、メチル、−ＰＯ（ＯＨ）２、−ＣＨ２ＣＯＯＨ、置換アルキル、ホスホネート、それらのエステル、それらの塩、またはそれらの誘導体であり、
前記組成物の前記成分を混合及び使用して、固体洗剤を生成した、固体洗剤組成物。
【請求項５９】
前記固体洗剤が、注型プロセス、押出プロセス、またはプレスプロセスによって生成され、前記固体洗剤が、固体ブロック、錠剤、または粒状であり、前記固体が、多用途固体洗剤である、請求項５８に記載の固体組成物。
【請求項６０】
浄化、殺菌、および／または漂白する方法であって、前記方法は、
請求項１〜５９のいずれか一項に記載の組成物の使用溶液を生成することと、
浄化および殺菌を必要とする表面または物体を前記使用溶液と接触させることと、を含む、方法。
【請求項６１】
固体洗剤中の酵素を安定化する方法であって、前記方法は、
式
【化７】
2019529679.tif 000084
のホスホネートもしくはその塩、またはアミンホスホネート塩を、酵素を含有する既存の洗剤組成物に添加することを含み、Ｒ１０およびＲ１１は、独立して、水素、置換カルボン酸、ホスホネート、エタノール、ジクリコ、置換アルキル、２−（ＥＯ）ｎ−ビホスホネートアミン−エチル、２−（ＰＯ）ｎ−ビホスホネートアミン−イソプロピル、またはホスホネートメチルであり、前記アミンホスホネート塩が、
【化８】
2019529679.tif 000085
の式によって表されるホスホネートとアミンとの生成物であり、Ｒ１２、Ｒ１３、およびＲ１４は、独立して、ヒドロキシル、メチル、−ＰＯ（ＯＨ）２、−ＣＨ２ＣＯＯＨ、置換アルキル、ホスホネート、それらのエステル、それらの塩、またはそれらの誘導体である、方法。
【発明の詳細な説明】
【技術分野】
【０００１】
関連出願の相互参照
本出願は、その全体が参照により本明細書に組み込まれる、２０１６年９月７日に出願の米国仮特許出願第６２／３８４，４３３号、表題「Ｅｎｚｙｍｅ  Ｓｔａｂｉｌｉｔｙ  ａｎｄ  Ｐｈｏｓｐｈｏｎａｔｅ  Ｔｙｐｅｓ」に対する優先権を主張する。
【０００２】
本開示は、一般に、浄化組成物の分野に関する。具体的には、酵素、ホスホネート、アルカリ源、および任意選択的に他の成分を含む固体洗剤組成物。これらの洗剤組成物中の酵素は、組成物の使用溶液に溶解した後に優れた安定性を示す。酵素の安定性によって、酵素はより長く機能することができ、したがってより効果的な汚れの除去／再付着の防止を提供することができる。逆に、酵素の優れた安定性によって、これらの開示の組成物中の酵素の有効性を増大するための酵素および他の成分の量を低減して、同様の浄化効果をも達成することができる。
【背景技術】
【０００３】
洗浄力は、汚れを濡らし、乳化し、懸濁し、浸透し、そして分散させる能力として定義される。食器洗浄および洗濯業界で使用される従来の洗剤は、アルカリ性洗剤を含む。業務使用および消費者使用の両方を意図した、アルカリ金属炭酸塩および／またはアルカリ金属水酸化物を用いるアルカリ性洗剤配合物は、効果的な洗浄力を提供することが知られている。
【０００４】
酵素は、２０世紀初頭以来、浄化組成物に用いられてきた。しかしながら、洗剤用途のためにｐＨ安定性および汚れ反応性の両方を有する酵素が市販されたのは、１９６０年代半ばであった。酵素は、汚れを分解するための洗剤および他の浄化剤と共に使用するのに効果的な化学物質として知られている。酵素は汚れを分解し、それらをより可溶性にし、界面活性剤が汚れを表面から除去して、基材の浄化向上を提供することを可能にする。
【０００５】
具体的には、酵素は、例えばタンパク質系、炭水化物系、またはトリグリセリド系の染みを基材から除去するための望ましい活性を提供することができる。その結果、グリース、油（例えば、植物油または動物性脂肪）、タンパク質、炭水化物などの汚れを消化または分解するために、酵素は様々な浄化用途に使用されてきた。例えば、洗濯、織物、食器洗浄、定置浄化、排水管、床、カーペット、医療用または歯科用器具、肉切り道具、硬質表面、パーソナルケアなどの浄化用の組成物の構成成分として酵素が添加され得る。酵素を含有する生成物は、アルカリ性プロテアーゼを含有する単純な粉末から、多数の酵素を含有するより複雑な顆粒組成物、なおさらには液体組成物へと進化してきたが、安定化された酵素を用いる代替的な浄化用途が依然として必要である。洗剤組成物中で保存するために酵素の安定化を改善するための、数多くのメカニズムが使用されてきた。しかしながら、洗剤組成物の使用溶液が、実際の浄化用途での高温およびｐＨに長期間曝されたときに、洗浄力および浄化性能を保持するような改善が依然として必要である。
【０００６】
したがって、その使用溶液が使用される高温および高ｐＨ条件下で、はるかに長期間好適な酵素安定性を保持することができるような、酵素および安定化剤を含む洗剤組成物を開発することが目的である。
【０００７】
保存、貯蔵、および寸法安定性を有するのみならず、固体組成物内およびそれらの使用溶液中で、高温および高ｐＨ条件下で優れた酵素安定性をも提供して、改善された洗浄力を提供する多用途固体洗剤組成物を開発することがさらなる目的である。これらの組成物またはその使用溶液中の酵素活性は、高温および高ｐＨ条件下でより長期間保持される。
【０００８】
改善された洗浄力のために、洗剤組成物自体および使用溶液中のいずれかでの安定化された酵素の使用のための方法を開発することが目的である。
【０００９】
固体洗剤組成物およびその使用溶液中の酵素を安定化する方法を開発することがさらなる目的である。
【００１０】
有益には、かかる目的は、洗剤組成物中の酵素安定性の技術水準の、すなわち、不安定な酵素の、これらの洗剤組成物の使用溶液中で５〜２０分という短期間内を含むその経時的な活性が顕著に減少する、という重大な限界を克服する。
【００１１】
さらなる目的は、多用途組成物およびそれを用いるための方法を開発して、洗剤組成物、特に非腐食性洗剤組成物の、タンパク質除去および再付着防止特性を改善することである。
【００１２】
本開示のこれらのおよび他の目的、利点、および特徴は、本明細書に記載の特許請求の範囲と共に、以下の明細書から明らかになるであろう。
【発明の概要】
【００１３】
本開示の利点は、固体洗剤組成物中の酵素が、固体組成物の保存中のみならず組成物の使用溶液中でも長期間その活性を保持し得ることである。
【００１４】
驚くべきことに、酵素を含有する洗剤組成物中に特定のタイプのホスホネートもしくはその塩、または別の特定のタイプのアミンホスホネート塩を添加すると、浄化目的用の組成物の実際の使用中に、組成物の使用溶液中の酵素活性を長期間維持することができることが発見されている。また驚くべきことに、本開示の洗剤組成物の使用溶液中の酵素は、優れた安定性を有することも発見されている。この発見は、汚れを除去するための延長された酵素活性に起因して、より効果的な組成物をもたらしている。有益には、この改善はさらに、酵素、安定剤、または洗剤組成物中に一般的に見られるいくつかの他の成分の排除または使用の低減を可能にする。
【００１５】
一態様では、酵素、
【化１】
2019529679.tif 000003
の式によって表されるホスホネートまたはその塩、およびアルカリ源を含む組成物であって、酵素が、プロテアーゼ、アミラーゼ、リパーゼ、セルラーゼ、ペルオキシダーゼ、グルコナーゼ、またはそれらの混合物であり、アルカリ源が、金属炭酸塩、金属重炭酸塩、金属ケイ酸塩、またはそれらの混合物であり、Ｒ１０およびＲ１１が、独立して水素、置換アルキル、２−（ＥＯ）ｎ−ビホスホネートアミン−エチル、２−（ＰＯ）ｎ−ビホスホネートアミン−イソプロピル、ホスホネート、ホスホネートエステル、またはそれらの誘導体であり、ただし、Ｒ１０およびＲ１１が、両方とも−ＣＨ２−ＰＯ（ＯＨ）２基である、組成物を提供する。
【００１６】
他の態様では、酵素、アルカリ源、およびアミンホスホネート塩を含む組成物であって、アミンホスホネート塩が、
【化２】
2019529679.tif 000004
の式によって表されるホスホネートとアミンとの生成物であり、酵素が、プロテアーゼ、アミラーゼ、リパーゼ、セルラーゼ、ペルオキシダーゼ、グルコナーゼ、またはそれらの混合物であり、アルカリ源が、金属炭酸塩、金属重炭酸塩、金属ケイ酸塩、またはそれらの混合物を含み、Ｒ１２、Ｒ１３、およびＲ１４が、独立してヒドロキシル、メチル、置換アルキル、−ＰＯ（ＯＨ）２、−ＣＨ２ＣＯＯＨ、置換アルキル、ホスホネート、それらのエステル、それらの塩、またはそれらの誘導体である、組成物を提供する。
【００１７】
さらに別の態様では、アルカリ源、ホスホネート、および酵素を含む固体洗剤組成物であって、アルカリ源が、金属炭酸塩、金属重炭酸塩、金属ケイ酸塩、またはそれらの混合物を含み、酵素が、プロテアーゼ、アミラーゼ、リパーゼ、セルラーゼ、ペルオキシダーゼ、グルコナーゼ、またはそれらの混合物であり、ホスホネートが、
【化３】
2019529679.tif 000005
の式またはその塩によって表され、Ｒ１０およびＲ１１が、独立して水素、置換カルボン酸、ホスホネート、エタノール、ジグリコ、置換アルキル、２−（ＥＯ）ｎ−ビホスホネートアミン−エチル、２−（ＰＯ）ｎ−ビホスホネートアミン−イソプロピル、またはホスホネート−メチルであり、ただし、Ｒ１０およびＲ１１が両方とも、−ＣＨ２−ＰＯ（ＯＨ）２基であり、組成物の成分が混合され使用されて固体洗剤を生成する、固体洗剤組成物を提供する。
【００１８】
別の態様では、アルカリ源、酵素、およびアミンホスネート塩を含む固体洗剤組成物であって、アルカリ源が、金属炭酸塩、金属重炭酸塩、金属ケイ酸塩、またはそれらの混合物を含み、酵素が、プロテアーゼ、アミラーゼ、リパーゼ、セルロース、ペルオキシダーゼ、グルコナーゼ、またはそれらの混合物であり、アミンホスホネート塩が、
【化４】
2019529679.tif 000006
の式によって表されるホスホネートとアミンとの生成物であり、Ｒ１２、Ｒ１３、およびＲ１４が、独立してヒドロキシル、メチル、−ＰＯ（ＯＨ）２、−ＣＨ２ＣＯＯＨ、置換アルキル、ホスホネート、それらのエステル、それらの塩、またはそれらの誘導体であり、組成物の成分が、組成物の成分が混合され使用されて固体洗剤を生成する、固体洗剤組成物を提供する。
【００１９】
さらに別の態様では、本明細書に開示の組成物の使用溶液を生成すること、ならびに浄化および殺菌を必要とする表面または対象物を使用溶液と接触させることを含む、浄化、殺菌および／または漂白方法を提供する。
【００２０】
他の態様では、固体洗剤組成物中の酵素を安定化する方法を提供する。方法は、酵素を含有する洗剤組成物に式
【化５】
2019529679.tif 000007
のホスホネートもしくはその塩、またはアミンホスホネート塩を添加することを含み、Ｒ１０およびＲ１１が、独立して水素、置換カルボン酸、ホスホネート、エタノール、ジクリコ、置換アルキル、２−（ＥＯ）ｎ−ビホスホネートアミン−エチル、２−（ＰＯ）ｎ−ビホスホネートアミン−イソプロピル、またはホスホネートメチルであり、ただし、Ｒ１０およびＲ１１が両方とも−ＣＨ２−ＰＯ（ＯＨ）２基であり、アミンホスホネート塩が、式
【化６】
2019529679.tif 000008
のホスホネートとアミンとの生成物であり、Ｒ１２、Ｒ１３、およびＲ１４が、独立してヒドロキシル、メチル、−ＰＯ（ＯＨ）２、−ＣＨ２ＣＯＯＨ、置換アルキル、ホスホネート、それらのエステル、それらの塩、またはそれらの誘導体である。
【００２１】
多数の実施形態が開示されているが、本開示のなお他の実施形態は、本発明の例示的な実施形態を示し説明する、以下の詳細な記載から、当業者には明らかになるであろう。したがって、実施例、図、図面、および発明を実施するための形態は、本質的に例示的であり、限定的ではないものとみなされるべきである。
【図面の簡単な説明】
【００２２】
【図１Ａ】異なるレベルで異なるホスホネートを含有する様々な塩基を配合した洗剤組成物の使用溶液中の、異なる時点における１２０°Ｆ（約４８．９℃）でのプロテアーゼ活性を示す。図１Ａは、０．３重量％レベルのホスホネートでのプロテアーゼ活性を示す。
【図１Ｂ】異なるレベルで異なるホスホネートを含有する様々な塩基を配合した洗剤組成物の使用溶液中の、異なる時点における１２０°Ｆでのプロテアーゼ活性を示す。図１Ｂは、０．６重量％レベルのホスホネートでのプロテアーゼ活性を示す。
【図１Ｃ】異なるレベルで異なるホスホネートを含有する様々な塩基を配合した洗剤組成物の使用溶液中の、異なる時点における１２０°Ｆでのプロテアーゼ活性を示す。図１Ｃは、０．１重量％レベルでのリン元素のプロテアーゼ活性を示す。
【図２Ａ】アルカノールアミンを含むか、または含まないホスホネートを含有する塩基または全灰（ａｌｌ  ａｓｈ）を配合した洗剤組成物の使用溶液中の、異なる時点における１２０°Ｆでのプロテアーゼ活性を示す。図２Ａは、塩基を配合した洗剤組成物中に、単独またはアルカノールアミンと一緒にホスフォンブタントリカルボン酸（ＰＢＴＣ）を用いたプロテアーゼ活性を示す。
【図２Ｂ】アルカノールアミンを含むか、または含まないホスホネートを含有する塩基または全灰（ａｌｌ  ａｓｈ）を配合した洗剤組成物の使用溶液中の、異なる時点における１２０°Ｆでのプロテアーゼ活性を示す。図２Ｂは、塩基を配合した洗剤組成物中に、単独またはアルカノールアミンと一緒に１−ヒドロキシエチリデン−１，１−ジホスホン酸（ＨＥＤＰ）を用いたプロテアーゼ活性を示す。
【図２Ｃ】アルカノールアミンを含むか、または含まないホスホネートを含有する塩基または全灰（ａｌｌ  ａｓｈ）を配合した洗剤組成物の使用溶液中の、異なる時点における１２０°Ｆでのプロテアーゼ活性を示す。図２Ｃは、塩基を配合した洗剤組成物中に、単独またはアルカノールアミンと一緒にＰＳＯを用いたプロテアーゼ活性を示す。
【図２Ｄ】アルカノールアミンを含むか、または含まないホスホネートを含有する塩基または全灰（ａｌｌ  ａｓｈ）を配合した洗剤組成物の使用溶液中の、異なる時点における１２０°Ｆでのプロテアーゼ活性を示す。図２Ｄは、例えば、洗剤組成物中に重炭酸塩を含まない、様々なホスホネートを含む全灰洗剤組成物での、プロテアーゼ活性を示す。
【図３Ａ】異なるレベルでホスホネートを含有する様々な塩基を配合した洗剤組成物の使用溶液中の、異なる時点における１２０°Ｆでのアミラーゼ活性を示す。図３Ａは、０．３重量％レベルのホスホネートでのアミラーゼ活性を示す。
【図３Ｂ】異なるレベルでホスホネートを含有する様々な塩基を配合した洗剤組成物の使用溶液中の、異なる時点における１２０°Ｆでのアミラーゼ活性を示す。図３Ｂは、０．６重量％レベルのホスホネートでのアミラーゼ活性を示す。
【図３Ｃ】異なるレベルでホスホネートを含有する様々な塩基を配合した洗剤組成物の使用溶液中の、異なる時点における１２０°Ｆでのアミラーゼ活性を示す。図３Ｃは、０．１重量％レベルのリン元素でのアミラーゼ活性を示す。
【図４Ａ】アルカノールアミンを含むか、または含まないホスホネートを含有する塩基または全灰を配合した洗剤組成物の使用溶液中の、異なる時点における１２０°Ｆでのアミラーゼ活性を示す。図４Ａは、塩基を配合した洗剤組成物中に、単独またはアルカノールアミンと一緒にＰＢＴＣを用いたアミラーゼ活性を示す。
【図４Ｂ】アルカノールアミンを含むか、または含まないホスホネートを含有する塩基または全灰を配合した洗剤組成物の使用溶液中の、異なる時点における１２０°Ｆでのアミラーゼ活性を示す。図４Ｂは、塩基を配合した洗剤組成物中に、単独またはアルカノールアミンと一緒にＨＥＤＰを用いたアミラーゼ活性を示す。
【図４Ｃ】アルカノールアミンを含むか、または含まないホスホネートを含有する塩基または全灰を配合した洗剤組成物の使用溶液中の、異なる時点における１２０°Ｆでのアミラーゼ活性を示す。図４Ｃは、塩基を配合した洗剤組成物中に、単独またはアルカノールアミンと一緒にＰＳＯを用いたアミラーゼ活性を示す。
【図４Ｄ】アルカノールアミンを含むか、または含まないホスホネートを含有する塩基または全灰を配合した洗剤組成物の使用溶液中の、異なる時点における１２０°Ｆでのアミラーゼ活性を示す。図４Ｄは、様々なホスホネートを含む、全灰を配合した洗剤組成物における、それぞれのアミラーゼ活性を示す。
【図５Ａ】異なるレベルでホスホネートを含有する様々な塩基を配合した洗剤組成物の使用溶液中の、異なる時点における１２０°Ｆでのリパーゼ活性を示す。図５Ａは、０．３重量％レベルのホスホネートでのリパーゼ活性を示す。
【図５Ｂ】異なるレベルでホスホネートを含有する様々な塩基を配合した洗剤組成物の使用溶液中の、異なる時点における１２０°Ｆでのリパーゼ活性を示す。図５Ｂは、０．６重量％レベルのホスホネートでのリパーゼ活性を示す。
【図５Ｃ】異なるレベルでホスホネートを含有する様々な塩基を配合した洗剤組成物の使用溶液中の、異なる時点における１２０°Ｆでのリパーゼ活性を示す。図５Ｃは、０．１重量％レベルのリン元素でのリパーゼ活性を示す。
【図６Ａ】アルカノールアミンを含むか、または含まないホスホネートを含有する塩基または全灰を配合した洗剤組成物の使用溶液中の、異なる時点における、１２０°Ｆでのまたは室温でのリパーゼ活性を示す。図６Ａは、塩基を配合した洗剤組成物中に、単独またはアルカノールアミンと一緒にＰＢＴＣを用いた１２０°Ｆでのリパーゼ活性を示す。
【図６Ｂ】アルカノールアミンを含むか、または含まないホスホネートを含有する塩基または全灰を配合した洗剤組成物の使用溶液中の、異なる時点における、１２０°Ｆでのまたは室温でのリパーゼ活性を示す。図６Ｂは、塩基を配合した洗剤組成物中に、単独またはアルカノールアミンと一緒にＨＥＤＰを用いた１２０°Ｆでのリパーゼ活性を示す。
【図６Ｃ】アルカノールアミンを含むか、または含まないホスホネートを含有する塩基または全灰を配合した洗剤組成物の使用溶液中の、異なる時点における、１２０°Ｆでのまたは室温でのリパーゼ活性を示す。図６Ｃは、塩基を配合した洗剤組成物中に、単独またはアルカノールアミンと一緒にＰＳＯを用いた１２０°Ｆでのリパーゼ活性を示す。
【図６Ｄ】アルカノールアミンを含むか、または含まないホスホネートを含有する塩基または全灰を配合した洗剤組成物の使用溶液中の、異なる時点における、１２０°Ｆでのまたは室温でのリパーゼ活性を示す。図６Ｄは、塩基を配合した洗剤組成物中に、単独またはアルカノールアミンと一緒にＰＢＴＣを用いた室温でのリパーゼ活性を示す。
【図６Ｅ】アルカノールアミンを含むか、または含まないホスホネートを含有する塩基または全灰を配合した洗剤組成物の使用溶液中の、異なる時点における、１２０°Ｆでのまたは室温でのリパーゼ活性を示す。図６Ｅは、塩基を配合した洗剤組成物中に、またはアルカノールアミンと一緒にＨＥＤＰを用いた室温でのリパーゼ活性を示す。
【図６Ｆ】アルカノールアミンを含むか、または含まないホスホネートを含有する塩基または全灰を配合した洗剤組成物の使用溶液中の、異なる時点における、１２０°Ｆでのまたは室温でのリパーゼ活性を示す。図６Ｆは、塩基を配合した洗剤組成物中に、単独またはアルカノールアミンと一緒にＰＳＯを用いた室温でのリパーゼ活性を示す。
【図６Ｇ】アルカノールアミンを含むか、または含まないホスホネートを含有する塩基または全灰を配合した洗剤組成物の使用溶液中の、異なる時点における、１２０°Ｆでのまたは室温でのリパーゼ活性を示す。図６Ｇは、様々なホスホネートを含む、全灰を配合した洗剤組成物における、１２０°Ｆでのそれぞれのリパーゼ活性を示す。
【００２３】
本開示の様々な実施形態は、実施例、図、および図面を参照して詳細に説明されているが、いくつかの図の全体を通して、同様の参照番号は同様の部分を表す。様々な実施形態への言及は、本開示の範囲を限定しない。本明細書において示される図は、本開示に従った様々な実施形態の限定ではなく、本開示の例示的な説明のために提示されている。
【発明を実施するための形態】
【００２４】
本開示は、酵素を含有し、その使用溶液中で優れた酵素安定性を有する洗剤組成物に関する。かかる組成物の使用溶液は、その酵素活性を長期間保持する。特に、本明細書に開示の洗剤組成物から生成される使用溶液中で、酵素は、それらが汚れ、タンパク質およびデンプンを除去するのに長期間効果的であり得る、かかる優れた安定性を有する。
【００２５】
本開示の実施形態は、特定の組成物および使用方法に限定されず、これらは異なる場合があり、当業者によって理解される。本明細書に使用される全ての専門用語は、単に特定の実施形態を説明する目的のためであり、いかなる様式または範囲においても限定的であることを意図されないことがさらに理解されるべきである。例えば、本明細書および添付の特許請求の範囲において使用される場合、単数形「ａ」、「ａｎ」、および「ｔｈｅ」は、内容が別段明らかに示されない限り、複数形の指示対象を含み得る。さらに、全ての単位、接頭辞、および記号は、そのＳＩによって認められた形態で示され得る。
【００２６】
本明細書内に列挙される数的範囲は、定義される範囲内の数を含む。本開示全体を通して、本開示の様々な態様が、範囲形式で提示されている。範囲形式での記載は、単に便宜性および簡潔性のためであると理解されるべきであり、本開示の範囲への不可変な限定として解釈されるべきではない。したがって、範囲の記載は、その範囲内の全ての可能な部分範囲、ならびに個々の数値を具体的に開示していると見なされるべきである（例えば、１〜５は、１、１．５、２、２．７５、３、３．８０、４、および５を含む）。
【００２７】
本開示をより容易に理解し得るように、ある特定の用語をまず定義する。別段定義されない限り、本明細書で使用される全ての技術用語および科学用語は、本開示の実施形態に関連する当業者によって一般的に理解されるものと同じ意味を有する。本明細書に記載されるものと類似しているか、それらを修正したか、またはそれらと同等である多くの方法および材料が、必要以上の実験を伴うことなく本開示の実施形態の実践に使用されることができ、好ましい材料および方法が、本明細書に記載されている。本開示の実施形態についての記載および特許請求において、以下に記載の定義に従って、以下の専門用語が使用されるであろう。
【００２８】
「約」という用語は、本明細書で使用される場合、例えば、現実世界において濃縮物または使用溶液の作製に使用される典型的な測定および液体取扱い手順；それらの手順における不慮の誤差；組成物の作製または方法の実行に使用される成分の作製、供給源、または純度の違いなどによって生じ得る、数量の変形を指す。用語「約」はまた、特定の初期混合物から得られる組成物に関する異なる平衡条件によって異なる量も包含する。用語「約」により修飾されるか否かにかかわらず、特許請求の範囲は、その量の当量を含む。
【００２９】
用語「活性物質」または「活性物質のパーセント」または「活性物質の重量パーセント」または「活性物質濃度」は、本明細書において互換的に使用され、水または塩などの不活性成分を引いたパーセンテージとして表される、浄化に関与するものの成分の濃度を指す。
【００３０】
本明細書で使用される場合、「置換された」とは、その中に含有される水素原子への結合の一つ又は複数が非水素原子または非炭素原子への結合によって置き換えられている以下に定義される有機基（例えばアルキル基）を指す。置換基としてはまた、ヘテロ原子への二重結合または三重結合を含む一つ又は複数の結合によって、一つ又は複数の炭素原子（複数可）または水素原子（複数可）が置き換えられている基が挙げられる。したがって、置換基は、別段特定されない限り、一つ又は複数の置換基で置換されている。置換基は、１、２、３、４、５、または６個の置換基で置換されていてもよい。
【００３１】
置換環の基としては、水素原子への結合が炭素原子への結合で置き換えられている環および環系が挙げられる。したがって、置換シクロアルキル、アリール、ヘテロシクリル、およびヘテロアリール基もまた、置換または非置換のアルキル、アルケニル、およびアルキニル基で置換されてもよく、本明細書で定義されている。
【００３２】
本明細書で使用される場合、用語「アルキル」または「アルキル基」は、１個以上の炭素原子を有する飽和炭化水素を指し、直鎖アルキル基（例えば、メチル、エチル、プロピル、ブチル、ペンチル、ヘキシル、ヘプチル、オクチル、ノニル、デシルなど）、環式アルキル基（または「シクロアルキル」もしくは「脂環式」もしくは「炭素環式」基）（例えば、シクロプロピル、シクロペンチル、シクロヘキシル、シクロヘプチル、シクロオクチルなど）、分岐鎖アルキル基（例えば、イソプロピル、ｔｅｒｔ−ブチル、ｓｅｃ−ブチル、イソブチルなど）、ならびにアルキル置換アルキル基（例えば、アルキル置換シクロアルキル基およびシクロアルキル置換アルキル基）を含む。
【００３３】
別段の定めがない限り、用語「アルキル」は、「非置換アルキル」および「置換アルキル」の両方を含む。本明細書で使用する場合、用語「置換アルキル」は、炭化水素骨格の一つ又は複数の炭素上の一つ又は複数の水素を置換する置換基を有するアルキル基を指す。そのような置換基には、例えば、アルケニル、アルキニル、ハロゲノ、ヒドロキシル、アルキルカルボニルオキシ、アリールカルボニルオキシ、アルコキシカルボニルオキシ、アリールオキシ、アリールオキシカルボニルオキシ、カルボキシレート、アルキルカルボニル、アリールカルボニル、アルコキシカルボニル、アミノカルボニル、アルキルアミノカルボニル、ジアルキルアミノカルボニル、アルキルチオカルボニル、アルコキシル、ホスフェート、ホスホネート（ｐｈｏｓｐｈｏｎａｔｏ）、ホスフィネート（ｐｈｏｓｐｈｉｎａｔｏ）、シアノ、アミノ（アルキルアミノ、ジアルキルアミノ、アリールアミノ、ジアリールアミノ、およびアルキルアリールアミノを含む）、アシルアミノ（アルキルカルボニルアミノ、アリールカルボニルアミノ、カルバモイル、およびウレイドを含む）、イミノ、スルフヒドリル、アルキルチオ、アリールチオ、チオカルボキシレート、スルフェート、アルキルスルフィニル、スルホネート、スルファモイル、スルホンアミド、ニトロ、トリフルオロメチル、シアノ、アジド、複素環式、アルキルアリール、または芳香族（複素芳香族を含む）基が含まれ得る。
【００３４】
いくつかの実施形態では、置換アルキルには、複素環式基が含まれ得る。本明細書で使用される場合、用語「複素環式基」は、環内の炭素原子のうちの１個以上が炭素以外の元素、例えば、窒素、硫黄、または酸素である、炭素環式基に類似している閉環構造を含む。複素環式基は、飽和または不飽和であってよい。例示的な複素環式基としては、アジリジン、エチレンオキシド（エポキシド、オキシラン）、チイラン（エピスルフィド）、ジオキシラン、アゼチジン、オキセタン、チエタン、ジオキセタン、ジチエタン、ジチエト、アゾリジン、ピロリジン、ピロリン、オキソラン、ジヒドロフラン、およびフランが挙げられるが、これらに限定されない。
【００３５】
アルケニル基またはアルケンは、２〜約３０個の炭素原子を有し、さらに少なくとも１つの二重結合を含む直鎖、分岐鎖、または環状のアルキル基である。いくつかの実施形態では、アルケニル基は、２〜約個の炭素、または典型的には２〜１０個の炭素原子を有する。アルケニル基は、置換または非置換であり得る。アルケニル基はアルキル基と同様に置換されていてもよい。
【００３６】
本明細書で使用される場合、用語「アルキレン」、シクロアルキレン」、およびアルケニレン」は、単独でまたは別の置換基の一部として、それぞれ−ＣＨ２ＣＨ２ＣＨ２−によって例示されるような、アルキル、シクロアルキル、またはアルケニル基から誘導された二価ラジカルを指す。アルキレン、シクロアルキレン、およびアルケニレン基については、連結基の配向は示されない。
【００３７】
本明細書で使用される場合、用語「エステル」は、−Ｒ３０ＣＯＯＲ３１基を指す。Ｒ３０は、存在しないか、本明細書に定義されているように、置換または非置換のアルキレン、シクロアルキレン、アルケニレン、アルキニレン、アリーレン、アラルキレン、ヘテロシクリルアルキレン、またはヘテロシクリレン基である。Ｒ３１は、本明細書に定義されているように、置換または非置換のアルキル、シクロアルキル、アルケニル、アルキニル、アリール、アラルキル、ヘテロシクリルアルキル、またはヘテロシクリル基である。
【００３８】
本明細書で使用される場合、用語「アミン」（または「アミノ」）は、−Ｒ３２ＮＲ３３Ｒ３４基を指す。Ｒ３２は、存在しないか、本明細書に定義されているように、置換または非置換のアルキレン、シクロアルキレン、アルケニレン、アルキニレン、アリーレン、アラルキレン、ヘテロシクリルアルキレン、またはヘテロシクリレン基である。Ｒ３３およびＲ３４は独立して、水素、または本明細書に定義されているように、置換もしくは非置換のアルキル、シクロアルキル、アルケニル、アルキニル、アリール、アラルキル、ヘテロシクリルアルキル、もしくはヘテロシクリル基である。
【００３９】
本明細書で使用される場合、用語「アミン」はまた、独立した化合物を指す。アミンが化合物であるとき、Ｒ３２’ＮＲ３３’Ｒ３４’基の式によって表すことができ、式中、Ｒ３２’、Ｒ３３’およびＲ３４は独立して、水素、または本明細書に定義されているように、置換もしくは非置換のアルキル、シクロアルキル、アルケニル、アルキニル、アリール、アラルキル、ヘテロシクリルアルキル、もしくはヘテロシクリル基である。
【００４０】
本明細書で使用される場合、用語「アルコール」は、−Ｒ３５ＯＨ基を指す。Ｒ３５は、存在しないか、本明細書に定義されているように、置換または非置換のアルキレン、シクロアルキレン、アルケニレン、アルキニレン、アリーレン、アラルキレン、ヘテロシクリルアルキレン、またはヘテロシクリレン基である。
【００４１】
本明細書で使用される場合、用語「カルボン酸」は、−Ｒ３６ＣＯＯＨ基を指す。Ｒ３６は、存在しないか、本明細書に定義されているように、置換または非置換のアルキレン、シクロアルキレン、アルケニレン、アルキニレン、アリーレン、アラルキレン、ヘテロシクリルアルキレン、またはヘテロシクリレン基である。
【００４２】
本明細書で使用される場合、用語「エーテル」は、−Ｒ３７ＯＲ３８基を指す。Ｒ３７は、存在しないか、本明細書に定義されているように、置換または非置換のアルキレン、シクロアルキレン、アルケニレン、アルキニレン、アリーレン、アラルキレン、ヘテロシクリルアルキレン、またはヘテロシクリレン基である。Ｒ３８は、本明細書に定義されているように、置換または非置換のアルキル、シクロアルキル、アルケニル、アルキニル、アリール、アラルキル、ヘテロシクリルアルキル、またはヘテロシクリル基である。
【００４３】
「再付着防止剤」は、浄化されている物体上に再付着する代わりに水中に懸濁されたままであることを助ける化合物を指す。再付着防止剤は、浄化される表面上の除去された汚れの再付着の低減を助けるために、本開示において有用である。
【００４４】
本明細書で使用される場合、用語「浄化」は、汚れの除去、漂白、微生物集団の低減、およびそれらの任意の組み合わせを実施、促進、または補助することを指す。本明細書で使用される場合、「マイクロ有機体」という用語は、あらゆる非細胞生物または単細胞（群体を含む）有機体を指す。微生物には、全ての原核生物が含まれる。微生物は、細菌（シアノバクテリアを含む）、胞子、地衣類、菌類、原虫、ビリノ、ウイロイド、ウイルス、ファージ、およびいくつかの藻を含む。本明細書で使用される場合、用語「微生物（ｍｉｃｒｏｂｅ）」は、微生物（ｍｉｃｒｏｏｒｇａｎｉｓｍ）と同義である。
【００４５】
本明細書で使用される場合、用語「消毒剤」とは、Ａ．Ｏ．Ａ．Ｃ．Ｕｓｅ  Ｄｉｌｕｔｉｏｎ  Ｍｅｔｈｏｄｓ，  Ｏｆｆｉｃｉａｌ  Ｍｅｔｈｏｄｓ  ｏｆ  Ａｎａｌｙｓｉｓ  ｏｆ  ｔｈｅ  Ａｓｓｏｃｉａｔｉｏｎ  ｏｆ  Ｏｆｆｉｃｉａｌ  Ａｎａｌｙｔｉｃａｌ  Ｃｈｅｍｉｓｔｓ，ｐａｒａｇｒａｐｈ  ９５５．１４  ａｎｄ  ａｐｐｌｉｃａｂｌｅ  ｓｅｃｔｉｏｎｓ，１５ｔｈ  Ｅｄｉｔｉｏｎ，１９９０（ＥＰＡ  Ｇｕｉｄｅｌｉｎｅ９１−２）に記載の手順を使用して、最も認知されている病原微生物を含む全ての栄養細胞を殺傷する薬剤を指す。本明細書で使用される場合、用語「高レベルの消毒」または「高レベルの消毒剤」は、高レベルの細菌胞子を除き、実質的に全ての菌を殺傷し、アメリカ食品医薬品局によって滅菌剤としての市販を許可されている化学殺菌剤を用いて効果をもたらされる化合物または組成物を指す。本明細書で使用される場合、用語「中レベルの消毒」または「中レベルの消毒剤」は、環境保護庁（ＥＰＡ）によって結核菌殺菌剤として登録されている化学殺菌剤を用いてマイコバクテリア、大半のウイルス、および細菌を殺傷する化合物または組成物を指す。本明細書で使用される場合、用語「低レベル消毒」または「低レベル消毒剤」は、ＥＰＡによって病院用消毒剤として登録されている化学殺菌剤を用いて一部のウイルスおよび細菌を殺傷する化合物または組成物を指す。
【００４６】
本明細書で使用される場合、語句「食品加工表面」は、食品加工、調理、または保存活動の一部として用いられる道具、機械、設備、構造物、または建物などの表面を指す。食品加工表面の例としては、食品加工または調理設備（例えば、スライス、缶詰化、またはフルームを含む運搬設備）の表面、食品加工用品（例えば、調理器具、食器類、洗浄用品、およびバーのガラス）の表面、ならびに食品加工が行われる構造の床、壁、または据え付け品の表面が挙げられる。食品加工表面は、食品抗腐敗空気循環システム、無菌包装の殺菌、食品冷蔵庫およびクーラーの浄化剤および殺菌剤、食器洗浄の殺菌、ブランチャーの浄化および殺菌、食品包装材料、まな板の添加剤、第３シンク（ｔｈｉｒｄ−ｓｉｎｋ）殺菌、飲料冷蔵室および加温器、肉の冷蔵庫または熱湯、自動食器サニタイザー、殺菌ゲル、冷却塔、食品加工の抗微生物性衣類スプレー、ならびに非水性から低水性の食品調理潤滑剤、油、およびすすぎ添加剤に見られ、用いられる。
【００４７】
本明細書で使用される場合、語句「食料品」としては、抗微生物剤または組成物を用いる処理を必要とし得、さらなる調理の有無にかかわらず食用可能な任意の食品物質が挙げられる。食料品としては、肉（例えば、赤身の肉および豚肉）、シーフード、家禽、農産物（例えば、果物および野菜）、卵、有精卵、卵製品、調理済み食品、小麦、種子、根、塊茎、葉、茎、トウモロコシ、花、芽、調味料、またはそれらの組み合わせが挙げられる。用語「農産物」は、典型的には調理されず、しばしば包装されずに販売され、時には生で食され得る果物および野菜、ならびに植物または植物由来の材料などの食料品を指す。
【００４８】
用語「硬質表面」は、カウンタートップ、タイル、床、壁、パネル、窓、衛生器具、台所および浴室用の器具、電化製品、エンジン、回路板、および皿などの、固体の実質的に非柔軟性の表面を指す。硬質表面は、例えば、健康管理表面および食品加工表面を含み得る。
【００４９】
本明細書で使用される場合、語句「健康管理表面」は、健康管理活動の一部として用いられる器具、デバイス、カート、ケージ、家具、建造物、建物などの表面を指す。健康管理表面の例は、医療用基布もしくは歯科用器具の表面、医療用デバイスもしくは歯科用デバイスの表面、患者の健康を監視するために用いられる電子装置の表面、および健康管理が生じる構造物の床、壁、もしくは備品の表面を含む。健康管理表面は、病院、外科手術室、虚弱者用の部屋、出産用の部屋、葬儀場、および臨床診断室内に見られる。これらの表面は、「硬質表面」（壁、床、ベッドパンなど）、または、織物表面、例えば、ニット、織布および不織布の表面（外科用衣類、カーテン、ベッドリネン、包帯など）、または患者ケア設備（呼吸器、診断用設備、シャント、ボディスコープ、車椅子、ベッドなど）、または外科用設備および診断用設備として代表的なものであり得る。健康管理表面は、動物の健康管理において用いられる物品および表面を含む。
【００５０】
本明細書で使用される場合、用語「器具」は、本開示に従った組成物を用いる浄化から利益を受け得る、様々な医療用または歯科用器具またはデバイスを指す。
【００５１】
用語「洗濯物」は、洗濯機で浄化される品目または物品を指す。一般に、洗濯物は、織物材料、織布、不織布、およびニット織物から作製された、またはそれらを含む、あらゆる品目または物品を指す。織物材料としては、シルク繊維、リネン繊維、綿繊維、ポリエステル繊維、ナイロンなどのポリアミド繊維、アクリル繊維、アセテート繊維、ならびに綿およびポリエステルブレンドを含むこれらのブレンドなどの、天然または合成繊維が挙げられ得る。繊維は、処理済または未処理であり得る。例となる処理済繊維としては、難燃処理をされたものが挙げられる。用語「リネン」は、多くの場合、ベッドシーツ、ピローケース、タオル、テーブルリネン、テーブルクロス、バーモップ、および制服を含む特定のタイプの洗濯物品目を記述するために使用されることが理解されるべきである。加えて、本開示は、非洗濯物品、ならびに皿、具体的にはグラス、および他の食器などの硬質表面を含む表面を処理するための組成物および方法を提供する。
【００５２】
本明細書で使用される場合、語句「医療用器具」、「歯科用器具」、「医療用デバイス」、「歯科用デバイス」、「医療用設備」、または「歯科用設備」は、医療または歯科医療で使用される、器具、デバイス、道具、電化製品、装置、および設備を指す。かかる器具、デバイス、および設備は、低温滅菌、浸漬、または洗浄され、次いで加熱滅菌されるか、あるいは本開示の組成物中での浄化から利益を受け得る。これらの様々な器具、デバイス、および設備としては、これらに限定されないが、診断用器具、トレイ、パン、ホルダー、ラック、鉗子、はさみ、せん断器、鋸（例えば、骨鋸およびそれらの刃）、止血鉗子、ナイフ、チゼル、骨鉗子、ファイル、ニッパー、ドリル、ドリルビット、やすり、バリ、スプレッダー、ブレーカー、エレベーター、クランプ、針ホルダー、キャリー、クリップ、フック、丸のみ、キュレット、ハーケン、ストレートナー、パンチ、抽出器、スクープ、角膜計、スパチュラ、エクスプレッサー、トロカール、拡張器、ケージ、ガラス製品、チューブ、カテーテル、カニューレ、プラグ、ステント、スコープ（例えば、内視鏡、聴診器、および関節鏡）、および関連する設備など、またはそれらの組み合わせが挙げられる。
【００５３】
本明細書で使用される場合、用語「ポリマー」は、一般に、これらに限定されないが、ホモポリマー、コポリマー、例えばブロック、グラフト、ランダムおよび交互コポリマーなど、ターポリマー、ならびにより高次の「ｘ」量体を含み、それらの誘導体、組み合わせおよびブレンドをさらに含む。さらに、別段に具体的に限定されない限り、用語「ポリマー」は、これらに限定されないが、アイソタクチック、シンジオタクチックおよびランダム対称、ならびにそれらの組み合わせを含む、分子の全ての可能な異性体構成を含むものとする。さらに、別段に具体的に限定されない限り、用語「ポリマー」は、分子の全ての可能な幾何学構成を含むものとする。
【００５４】
本特許出願の目的のため、良好な微生物の低減は、微生物集団が少なくとも約５０％減少されるときに達成され、またはそれを顕著に超えるものは、水による洗浄によって達成される。微生物集団のより大きな低減は、より大きなレベルの保護を提供する。
【００５５】
本明細書で使用される場合、用語「殺菌剤」は、細菌性汚染物質の数を公衆衛生要件によって判定される安全なレベルにまで低減する薬剤を指す。一実施形態では、本開示での使用のための殺菌剤は、少なくとも３ｌｏｇの低減、およびより好ましくは５ｌｏｇオーダーの低減を提供するであろう。これらの低減は、Ｇｅｒｍｉｃｉｄａｌ  ａｎｄ  Ｄｅｔｅｒｇｅｎｔ  Ｓａｎｉｔｉｚｉｎｇ  Ａｃｔｉｏｎ  ｏｆ  Ｄｉｓｉｎｆｅｃｔａｎｔｓ，Ｏｆｆｉｃｉａｌ  Ｍｅｔｈｏｄｓ  ｏｆ  Ａｎａｌｙｓｉｓ  ｏｆ  ｔｈｅ  Ａｓｓｏｃｉａｔｉｏｎ  ｏｆ  Ｏｆｆｉｃｉａｌ  Ａｎａｌｙｔｉｃａｌ  Ｃｈｅｍｉｓｔｓ，ｐａｒａｇｒａｐｈ９６０．０９  ａｎｄ  ａｐｐｌｉｃａｂｌｅ  ｓｅｃｔｉｏｎｓ，１５ｔｈ  Ｅｄｉｔｉｏｎ，１９９０（ＥＰＡ  Ｇｕｉｄｅｌｉｎｅ９１−２）に提示されている手順を使用して評価することができる。この参考文献によると、殺菌剤は、いくつかの試験有機体に対して、室温、２５±２℃において３０秒間以内に９９．９９９％の低減（５ｌｏｇオーダーの低減）を提供しなくてはならない。殺菌剤および消毒剤の基準は、用途および地域によって異なり得る。
【００５６】
本明細書で使用される場合、「汚れ」または「染み」という用語は、非極性の油性物質を指し、これは、鉱物粘度、砂、天然鉱物質、カーボンブラック、グラファイト、カオリン、環境粉塵などの特定の物質を含有してもよく、またはしなくてもよい。
【００５７】
本開示で使用される場合、用語「殺胞子剤」は、Ｂａｃｉｌｌｕｓ  ｃｅｒｅｕｓまたはＢａｃｉｌｌｕｓ  ｓｕｂｔｉｌｉの胞子集団において、６０℃で１０秒以内に、９０％を超える低減（１対数オーダーでの減少）を引き起こす能力を有する物理的または化学的な薬剤またはプロセスを指す。ある特定の実施形態では、本開示の殺胞子組成物は、かかる集団において、６０℃で１０秒以内に、９９％を超える低減（２ｌｏｇオーダーでの低減）、９９．９９％を超える低減（４ｌｏｇオーダーでの低減）、または９９．９９９％を超える低減（５ｌｏｇオーダーでの低減）を提供する。
【００５８】
抗微生物性の「殺〜」または「静〜」活性の区別、効果の程度を説明する定義、およびこの効果を測定するための公式の実験室プロトコルは、抗微生物性剤および組成物の関連性を理解するための考慮点である。抗微生物性組成物は、２種類の微生物細胞損傷に影響を与え得る。１つ目は、完全な微生物細胞の破壊または不能化をもたらす致死的な不可逆性作用である。２つ目のタイプの細胞損傷は、可逆的であり、その結果、有機体がその薬剤を有しなくなると再び繁殖し得る。前者は殺微生物性、後者は静微生物性と呼ばれる。殺菌剤および消毒剤は、定義によると、抗微生物性または殺微生物性活性を提供する薬剤である。対照的に、防腐剤は一般に、阻害剤または静微生物性組成物として説明される。
【００５９】
本明細書において使用される場合、用語「実質的に含まない」または「含まない」は、その構成成分を完全に欠くか、または組成物の性能に影響しない程度の少量の成分を有する組成物を指す。構成成分は、不純物としてまたは汚染物質として存在してもよく、０．５重量％未満でなければならない。別の実施形態では、構成成分の量は、０．１重量％未満であり、さらに別の実施形態では、構成成分の量は、０．０１重量％未満である。
【００６０】
用語「実質的に同様の浄化性能」は、一般に洗浄力の同じ度合（または少なくとも顕著に劣る度合いではない）、または概して同じ労力の消費（または少なくとも顕著に劣る消費ではない）を用いる代用浄化製品または代用浄化系により概して達成されることを指す。
【００６１】
本明細書で使用される場合、用語「用品（ｗａｒｅ）」は、食事用具および調理用具、皿などの物品、ならびにシャワー、シンク、トイレ、浴槽、天板、窓、鏡、運搬用車両、および床などの他の硬質表面を指す。本明細書で使用される場合、用語「食器洗浄」は、食器の洗浄、浄化、またはすすぎを指す。用品は、プラスチック製のアイテムも指す。本開示に従った組成物で浄化され得るプラスチックのタイプとしては、これらに限定されないが、ポリプロピレンポリマー（ＰＰ）、ポリカーボネートポリマー（ＰＣ）、メラミンホルムアルデヒド樹脂またはメラミン樹脂（メラミン）、アクリロニトリル−ブタジエン−スチレンポリマー（ＡＢＳ）、およびポリスルホンポリマー（ＰＳ）を含むものが挙げられる。本開示の化合物および組成物を使用して浄化され得る他の例示的なプラスチックとしては、ポリエチレンテレフタレート（ＰＥＴ）ポリスチレンポリアミドが挙げられる。
【００６２】
本明細書で使用される場合、用語「水」は、食品加工用または運搬用の水を含む。食品加工用または運搬用の水は、農作物運搬用水（例えば、水路、パイプ輸送、カッター、スライサー、ブランチャー、レトルトシステム、洗浄機などにおいて見られるもの）、食品運搬ライン用のベルトスプレー、ブーツおよびハンドウォッシュ浸漬パン、第３シンク濯ぎ水などを含む。水はまた、家庭用およびレクリエーション用水、例えばプール、スパ、レクリエーション用水路およびウォータースライド、噴水などを含み得る。
【００６３】
本明細書で使用される場合、語句「水溶性」は、材料が本組成物において、水に可溶性であることを意味する。一般に、材料は、２５℃で水の約０．１重量％、あるいは約１重量％、あるいは約５重量％、あるいは約１５重量％の濃度で可溶性であるべきである。
【００６４】
本明細書で使用される場合、「本質的に同様の組成物」は、異なる量の第１の固体の添加を除いて他の全てが同じである組成物、またはアルカリ化合物の重量パーセントが参照組成物１に対して１０％以内である組成物を指す。比較されたブロックは、同一の形状および寸法を有する。
【００６５】
用語「重量パーセント（ｗｅｉｇｈｔ  ｐｅｒｃｅｎｔ）」、「重量％（ｗｔ−％）」、「重量パーセント（ｐｅｒｃｅｎｔ  ｂｙ  ｗｅｉｇｈｔ）」、「重量％（％ｂｙ  ｗｅｉｇｈｔ）」、およびそれらの変形は、本明細書で使用される場合、その物質の重量を組成物の総重量で除し、１００を乗じた物質の濃度を指す。本明細書で使用される場合、「パーセント」、「％」などは、「重量パーセント」、「重量％」などと同義であることが意図されることが理解される。
【００６６】
本開示の方法および組成物は、本開示の構成成分および成分、ならびに本明細書に記載の他の成分を含むか、それらから本質的になるか、またはそれらからなり得る。本明細書で使用される場合、「から本質的になる」とは、方法および組成物が、追加のステップ、構成成分、または成分を含み得るが、ただしその追加のステップ、構成成分、または成分が、特許請求される方法および組成物の基本的かつ新規の特徴を著しく変更しない場合に限ることを意味する。
【００６７】
本明細書および添付の特許請求の範囲で使用される場合、用語「構成される」は、特定のタスクを行なうか、または特定の形態に適合するように構築もしくは構成されたシステム、装置、または他の構造を説明することに留意されたい。用語「構成される」は、配置され構成される、構築され配置される、適合され構成される、および適合され、構築され、製造され、配置されるなどの他の同様の語句と同じ意味で使用され得る。
【００６８】
洗剤組成物および洗剤製品
本明細書で使用される場合、用語「組成物」は、製品または物品の化学成分を指す。製品または物品は、液体、固体、粉末形態、またはそれらの混合物であり得る。同じまたは同様の組成物は、組成物の各成分が製品または物品中で一緒にされる異なるプロセス、調整、または量に起因して、異なる製品または物品をもたらし得る可能性がある。
【００６９】
本明細書で使用される場合、用語「洗剤組成物」は、洗剤製品または洗剤の化学成分を指す。洗剤製品または洗剤は、通常、浄化目的で、洗剤もしくは洗剤製品自体によって、またはそれらの使用溶液によって使用される。洗剤または洗剤製品は、液体、固体、粉末形態、またはそれらの混合物であり得る。洗剤製品または洗剤は、１つのパッケージまたは別々のパッケージで供給され得る。同じまたは同様の洗剤組成物は、組成物の各成分が洗剤製品中で一緒にされる異なるプロセスまたは量に起因して、異なる洗剤製品をもたらし得る可能性がある。本開示では、用語「洗剤製品」および「洗剤」は、互換的に使用される。
【００７０】
固体洗剤
本明細書で使用される場合、用語「固体」は、当業者に既知の物質の状態を指す。固体は、結晶質、非晶質形態、またはそれらの混合物であり得る。固体では、単一の化合物または化合物の混合物であり得る。固体は、２つ以上の異なる固体の混合物であり得る。固体は、各々がいくつか、数十、数百マイクロメートルまたはナノメートルのサイズを有する粒子の集合体であり得る。固体は、一つ又は複数の化合物の粉末であり得る。
【００７１】
本明細書で使用される場合、固体洗剤または浄化組成物は、粉末、フレーク、顆粒、ペレット、錠剤、トローチ、パック、ブリケット、ブリック、ブロックなどの固体形態、または当業者に既知の別の固体形態にある洗剤または浄化組成物を指す。本明細書では、固体ブロックという用語がしばしば言及されるが、固体組成物は様々な形態を取り得ることが理解される。好ましい態様では、圧縮固体ブロックが用いられる。用語「固体洗剤」は、固体洗剤組成物の予想される保存条件および使用条件下での洗剤組成物の状態を指すことが理解されるべきである。一般に、洗剤組成物は、室温から最高約１２０°Ｆまでの温度で提供されたときに固体のままであろうと予想される。
【００７２】
固体洗剤組成物は、約１グラム〜約１１，０００グラムのサイズを有するパッケージで１つまたは複数の固体が利用可能になるように、圧縮固体ブロック、注型固体ブロック、押出ペレットもしくはブロック、または錠剤として提供され得る。
【００７３】
固体洗剤組成物は、単位用量の形態で提供されてもよい。単位用量は、全体の単位が１回の洗浄サイクルで使用されるようなサイズの固体洗剤組成物単位を指す。固体洗剤組成物が単位用量として提供されるとき、約１グラム〜約５０グラムのサイズを有する圧縮固体、注型固体、押出ペレット、または錠剤として提供されることが好ましい。あるいは、圧縮固体、注型固体、押出ペレット、または錠剤は、５０グラム〜２５０グラムのサイズを有し得る。押出固体、注型固体、または圧縮固体はまた、約１００グラム以上の重量を有し得る。
【００７４】
固体洗剤組成物はまた、ブロックまたは複数のペレットなどの多数回使用（例えば、多用途）する固体の形態で提供され得、多数サイクルまたは所定回数の分配サイクル用の洗剤組成物の水性使用溶液を生成するために繰り返して使用されることができる。多数回使用する固体洗剤組成物を繰り返し使用して、多数回の洗浄サイクル用の水性洗剤組成物、例えば使用溶液を生成することができる。多数回使用する固体洗剤組成物は、約１キログラム〜約１０キログラム以上の質量を有し得る。
【００７５】
典型的には、本明細書に開示の固体洗剤組成物は、水溶液と接触すると、安定な使用溶液へと迅速かつ完全に溶解する。本開示のいくつかの態様では、固体洗剤組成物に用いられるアニオン界面活性剤の量およびタイプは、特定の分配速度に望ましい溶解速度を提供する。安定な使用溶液は、目視検査で固体を一切含有しない。
【００７６】
圧縮固体洗剤ブロックは、組成物中の反応性構成成分が希釈および／または使用の時点まで互いに反応しないように安定性を提供するのに好適に作製される。いくつかの態様では、固体を形成するために構成成分を導入する順序は、固体組成物中に導入される水が最小限である、および／または全くないため、非限定的である。しかしながら、いくつかの態様では、圧縮固体洗剤ブロックは、結合システムを使用して、用いられ得るコーティングされた顆粒へのあらゆる損傷を最小限にすることによって作製される。
【００７７】
有益には、圧縮固体洗剤ブロックを作製するためのプレスプロセスは、圧縮固体洗剤ブロックを生成し、構成成分の反応または混合を防止する。本開示の一態様では、固体洗剤組成物は、使用の時点、例えば希釈の時点まで、未反応または未混合のままである。
【００７８】
圧縮固体プロセスでは、顆粒固体または結合剤を含む他の粒子固体などの流動性固体を加圧下で組み合わせる。圧縮固体のプロセスでは、組成物の流動性固体は、型枠（例えば、型または容器）内に定置される。方法は、流動性固体を型枠内で穏やかに圧縮して、固体浄化組成物を生成することを含み得る。
【００７９】
方法は、固体浄化組成物を生成するための硬化ステップをさらに含み得る。本明細書で言及される場合、流動性固体を含む未硬化の組成物は、未硬化の組成物が安定した固体浄化組成物へと固化するであろう流動性固体を構成する粒子間に、十分な表面接触を提供するように圧搾される。十分な量の互いに接触している粒子（例えば、顆粒）は、安定した固体組成物を作製するために効果的な粒子の互いへの結合を提供する。硬化ステップの包含は、圧縮固体が、例えば、数時間または約１日間（またはそれ以上）の期間、固化することを可能にすることを含んでもよい。追加的な態様では、本方法は、例えば、その全体が参照により本明細書に組み込まれる米国特許第８，８８９，０４８号に開示される方法などの、流動性固体を型枠または型内で振動させることを含んでもよい。
【００８０】
圧縮固体の使用は、タブレット圧縮に高圧を必要とする、または顕著な量のエネルギーを消費する組成物の溶融を必要とする注型、ならびに／または高価な設備および高度な技術知識を必要とする押出による、従来の固体ブロックまたはタブレット組成物を上回る、数多くの利点を提供する。圧縮固体は、他の固体ブロックのかかる様々な制限を克服し、したがって、新しい圧縮固体浄化組成物を作製するために必要である。さらに、圧縮固体ブロックは、押出されたものよりもよりばらつきがなく魅力的な外観を有し、したがって、圧縮固体洗剤ブロックは、識別および使用管理のために固有の形状の固体ブロックを形成することができる。それらは、ブロックが保存または取り扱われ得る条件下でその形状を保持することができる。一般に、洗剤組成物は最高約１２０°Ｆまでの温度で提供されたときに固体のままであろうと予想される。
【００８１】
いくつかの状況では、圧縮ブロックの作製方法は、固化の前に系からの水を低減するかまたは除去する。好ましくは、組成物は、無水形態の構成成分を使用して形成される。いくつかの他の状況では、組成物は、約２０重量％未満、約１５重量％未満、約１２重量％未満、１０重量％、約５重量％未満、約１重量％未満、約０．１重量％未満、約０．０５重量％未満の含水量を有し、かつ最も好ましくは水を含まない（例えば乾燥している）。一態様では、乾燥組成物は、顆粒の形態であり得る。対照的に、注型または押出固体洗剤ブロックは、約２０〜約４０重量％の水を有し得る。したがって、組成物からの水の除去または低減に起因して、圧縮固体ブロックが好ましく、灰水和は固化機構として用いられない。
【００８２】
本開示の粒状構成成分は、顆粒および／またはフレークの形態であり得るが、好ましくは規則的な小さい顆粒の形態で存在する。その後、顆粒を使用して固体洗剤ブロックを形成する。固化プロセスは、これらに限定されないが、形成されるまたは注型される組成物のサイズ、組成物の成分、および組成物の温度を含む要因に応じて、数秒から数時間続く場合がある。
【００８３】
固体洗剤組成物は、バッチ式または連続混合システムを使用して形成され得る。押出ブロックを作製するためには、洗剤組成物の粉末と液体とをブレンドして混合物を形成し、次いでブレンドされた混合物を型に通して圧縮して製品を形成し、次いで製品を押出固体ブロックへと経時的に硬化させる。単軸または二軸スクリュー押出機を使用して、一つ又は複数の浄化剤を高いせん断力で組み合わせ、混合して、均質な混合物を形成して押出ブロックを作製する。圧縮固体ブロックを作製するために、洗剤組成物の固体粉末および／または他の液体成分を混合してブレンドされた粉末を形成し、次いでそのブレンドされた粉末を型に流し込み、固体洗剤ブロックへと圧縮する。一般に、本開示の方法に従って加工された固体洗剤ブロックは、その質量全体を通して成分の分布に関して実質的に均質であり、かつ寸法的に安定である。
【００８４】
いくつかの実施形態では、本開示の固体洗剤組成物は、約５グラム〜１０キログラムの質量を有する圧縮固体ブロックとして提供される。ある特定の実施形態では、圧縮固体洗剤ブロックは、約１〜約１０キログラムの質量を有する。さらなる実施形態では、固体洗剤組成物のブロックは、約５キログラム〜約８キログラムの質量を有する。他の実施形態では、固体洗剤組成物のブロックは、約５グラム〜約１キログラム、または約５グラム〜約５００グラムの質量を有する。
【００８５】
いくつかの実施形態では、本開示の組成物から生成された圧縮固体洗剤ブロックは、約２０重量％、１５重量％、１２重量％、１０重量％、９重量％、８重量％、７重量％、６重量％、５重量％、４重量％、３重量％、２重量％、１重量％、０．７重量％、０．５重量％、０．３重量％、０．１重量％、または０．０５重量％未満の含水量を有する。いくつかの他の実施形態では、本開示の組成物から生成された圧縮固体洗剤ブロックは、約０．１〜約１５重量％、約０．１〜約５重量％、約０．１〜約３重量％、約１〜約８重量％、約５〜約１０重量％、約５〜約１５重量％、または約５〜約１５重量％の含水量を有する。一態様では、乾燥組成物は、顆粒の形態であり得る。対照的に、注型または押出固体洗剤ブロックは、約２０〜約４０重量％の水を有し得る。
【００８６】
ホスホネート
本明細書に開示の洗剤組成物は、特定のタイプのホスホネートもしくはその塩、または別の特定のタイプのホスホネートのアミン塩を含有する。出願人は、本明細書に開示のこれらの特定のタイプのホスホネートまたはその塩が、洗剤組成物中の酵素を安定化することを予想外に発見した。
【００８７】
本明細書で使用される場合、用語「ホスホネート」は、Ｒ４０’ＰＯ（ＯＨ）２基の式を有する独立した化合物を指し、式中、Ｒ４０’が、本明細書で定義されているように、置換または非置換のアルキル、シクロアルキル、アルケニル、アルキニル、アリール、アラルキル、ヘテロシクリルアルキル、またはヘテロシクリル基である。
【００８８】
本明細書で使用される場合、用語「ホスホネート」はまた、−Ｒ４０ＰＯ（ＯＨ）２を指し得る。Ｒ４０は、本明細書に定義されているように、置換または非置換のアルキレン、シクロアルキレン、アルケニレン、アルキニレン、アリーレン、アラルキレン、ヘテロシクリルアルキレン、またはヘテロシクリレン基である。
【００８９】
洗剤組成物中の酵素（複数可）を安定化する１つのタイプのホスホネート化合物は、式
【化７】
2019529679.tif 000009
によって表されるタイプのホスホネートであり、式中、Ｒ１０およびＲ１１が、独立して水素、ホスホネート、非置換アルキル、または置換アルキルであり、ただし、Ｒ１０およびＲ１１が両方とも、−ＣＨ２−ＰＯ（ＯＨ）２基であることを除く。このタイプのホスホネートは、塩基によって中和された後に、その酸形態で、または塩の形態で、洗剤組成物に添加され得る。本明細書に開示の洗剤組成物の使用溶液は、約８〜約１２のｐＨを有するので、ホスホネート基の２つの−ＯＨ基はそれらの塩の形態であり、例えばホスホネートが使用溶液中にあるとき中和されている。
【００９０】
洗剤組成物中の酵素（複数可）を安定化するための他のタイプのホスホネート化合物は、式
【化８】
2019529679.tif 000010
によって表されるホスホネート化合物とアミンとの生成物であるアミンホスホネート塩であり、Ｒ１２、Ｒ１３およびＲ１４は独立して、ヒドロキシル、メチル、−ＰＯ（ＯＨ）２、−ＣＨ２ＣＯＯＨ、置換アルキル、ホスホネート、それらのエステル、それらの塩、またはそれらの誘導体である。このアミンホスホネート塩は、通常ホスホネートとアミンとを反応させてそのＯＨ基の全部または一部を中和することによって生成された、その塩の形態で洗剤組成物に添加される。アミンは、アルカノールアミン、モノエタノールアミン、ジエタノールアミン、トリエタノールアミン、イソプロピルアミン、またはそれらの混合物であり得る。いくつかの他の実施形態では、アミンホスホネート塩のアミンは、Ｃ２〜６アルキルアミンまたはそれらの混合物である。アルキルアミンは、当然モノ−、ジ−、またはトリ−アミンであり得る。
【００９１】
いくつかの実施形態では、本開示の洗剤組成物は、式
【化９】
2019529679.tif 000011
のホスホネートを含有し、式中、Ｒ１０およびＲ１１が、独立して水素、非置換アルキル、置換アルキル、置換カルボン酸、ホスホネート、エタノール、ジグリコ、２−（ＥＯ）ｎ−ビホスホネートアミン−エチル、２−（ＰＯ）ｎ−ビホスホネートアミン−イソプロピル、またはホスホネート−メチルである。他の実施形態では、Ｒ１０は水素であり、Ｒ１１は、非置換アルキル、置換アルキル、置換カルボン酸、ホスホネート、エタノール、ジグリコ、２−（ＥＯ）ｎ−ビホスホネートアミン−エチル、２−（ＰＯ）ｎ−ビホスホネートアミン−イソプロピル、またはホスホネート−メチルである。いくつかの他の実施形態では、Ｒ１０は水素であり、Ｒ１１は、置換カルボン酸、ホスホネート、エタノール、ジグリコ、２−（ＥＯ）ｎ−ビホスホネートアミン−エチル、２−（ＰＯ）ｎ−ビホスホネートアミン−イソプロピル、またはホスホネート−メチルである。
【００９２】
本明細書で使用される場合、ＥＯは、−ＣＨ２ＣＨ２Ｏ−、例えば、エチレンオキシド基、およびＰＯから−ＣＨ２ＣＨ（ＣＨ３）Ｏ−基を指す。（ＥＯ）ｎまたは（ＰＯ）ｎが使用されるとき、ｎは１〜３０の整数である。
【００９３】
いくつかの実施形態では、Ｒ１１は、−ＣＨ２−ＰＯ（ＯＨ）２基である。いくつかの他の実施形態では、Ｒ１１は、−ＣＨ２−ＰＯ（ＯＨ）２基であり、Ｒ１０は、エタノール、ジグリコ、置換アルキル、イソプロピル−２−（ＥＯ）ｎ−ビホスホネートアミン、またはメチル−ホスホネートである。さらにいくつかの他の実施形態では、ホスホネートは、
【化１０】
2019529679.tif 000012
アミノメチルホスホン酸、それらの混合物、またはそれらの塩である。
【００９４】
いくつかの実施形態では、アミンホスホネート塩は、式
【化１１】
2019529679.tif 000013
のホスホネートのアミン塩であり、式中、Ｒ１２、Ｒ１３、およびＲ１４が、独立してヒドロキシル、メチル、−ＰＯ（ＯＨ）２、−ＣＨ２ＣＯＯＨ、置換アルキル、ホスホネート、それらのエステル、それらの塩、またはそれらの誘導体である。いくつかの他の実施形態では、Ｒ１２、Ｒ１３、およびＲ１４のうちの１つは、ヒドロキシル、メチル、−ＰＯ（ＯＨ）２、−ＣＨ２ＣＯＯＨ、それらのエステル、それらの塩、またはそれらの誘導体である。いくつかの他の実施形態では、アミンホスホネート塩のホスホネートは、ＰＯ（ＯＨ）２（Ｃ（ＣＨ２ＣＯＯＨ）３）、ホスフォンブタン（ｐｈｏｓｐｈｏｎｅｂｕｔａｎｅ）トリカルボン酸（ＰＢＴＣ）である。さらにいくつかの他の実施形態では、アミンホスホネートのホスホネートは、Ｃ（ＣＨ３）（ＯＨ）（ＰＯ（ＯＨ）２）２、１−ヒドロキシエチリデン−１，１−ジホスホン酸（ＨＥＤＰ）である。
【００９５】
いくつかの実施形態では、アミンホスホネート塩のアミンは、アルカノールアミン、モノエタノールアミン、ジエタノールアミン、トリエタノールアミン、イソプロピルアミン、またはそれらの混合物である。いくつかの他の実施形態では、アミンホスホネート塩のアミンは、Ｃ２〜６アルキルアミンまたはそれらの混合物である。アルキルアミンは、モノ−、ジ−、またはトリ−アミンであり得る。
【００９６】
いくつかの実施形態では、本明細書に開示の洗剤組成物は、約０．１重量％〜約３５重量％、０．１重量％〜約３０重量％、０．１重量％〜約２５重量％、０．１重量％〜約１５重量％、０．１重量％〜約１０重量％、０．１重量％〜約５重量％、約０．５重量％〜約５重量％、約０．１重量％〜約１重量％、約１重量％〜約１０重量％、０．１重量％〜約１重量％、約１重量％〜約５重量％、５重量％〜約１０重量％、１０重量％〜約１５重量％、約１５重量％〜約２０重量％、２０重量％〜約２５重量％、２５重量％〜約３０重量％、３０重量％〜約３５重量％、約０．１重量％、約０．５重量％、約１重量％、約２重量％、約３重量％、約４重量％、約５重量％、約６重量％、約７重量％、約８重量％、約９重量％、約１０重量％、約１５重量％、約２０重量％、約２５重量％、約３０重量％、約３２重量％、または約３５重量％のホスホネート、その塩、またはアミンホスホネート塩を有する。
【００９７】
酵素
本明細書に開示される開示は、酵素を含む洗剤組成物に関する。いくつかの実施形態では、酵素は、液体または固体の形態で供給され、スプレーまたは混合によって洗剤組成物の他の構成成分と混合される。
【００９８】
本開示に従って使用され得る酵素としては、基材からタンパク質系、炭水化物系、またはトリグリセリド系の染みの除去用；医療用および歯科用器具、デバイス、および設備用のプレソークなどの浄化、染み抜き、および殺菌プレソーク用；食卓用品、調理用品、および卓上用品のプレソーク；または肉切り設備用のプレソーク；機械食器洗浄用；洗濯および織物浄化および染み抜き用；カーペット浄化および染み抜き用；定置浄化（ＣＩＰ）および定置染み抜き用；食品加工表面および設備の浄化および染み抜き用；排水管浄化用、浄化用のプレソークなどに、望ましい活性を提供する酵素が挙げられる。
【００９９】
本開示に限定されないが、洗剤組成物にとって好適な酵素は、器具またはデバイス上で接する一つ又は複数のタイプの汚れ残留物を分解または変質させることによって作用することができ、したがって、浄化組成物の界面活性剤または他の構成成分によって汚れを除去するかまたは汚れをより除去可能にする。汚れ残留物の分解および変質は両方とも、例えば、汚れがより水溶性になるなど、浄化される器具またはデバイスに汚れが結合する物理化学的な力を低減することによって、洗浄力を改善することができる。例えば、一つ又は複数のプロテアーゼは、汚れ残留物中に存在する複雑な高分子タンパク質構造を、該プロテアーゼを含有する洗浄性溶液によって、それ自体が表面からより容易に脱着されるか、可溶化されるか、あるいはより容易に除去される、より単純な短鎖分子に切断することができる。
【０１００】
好適な酵素としては、植物性、動物性、細菌性、真菌性、または酵母由来などの任意の好適な由来の、プロテアーゼ、アミラーゼ、リパーゼ、グルコナーゼ、セルラーゼ、ペルオキシダーゼ、またはそれらの混合物が挙げられる。好ましい選択は、ｐＨ活性および／または安定性の最適性、熱安定性、ならびに活性洗剤、ビルダーなどに対する安定性などの要因によって影響を受ける。この点で、細菌性アミラーゼおよびプロテアーゼ、ならびに真菌性セルラーゼなどの細菌性または真菌性酵素が好ましい。好ましくは、酵素はプロテアーゼ、リパーゼ、アミラーゼ、またはそれらの組み合わせである。
【０１０１】
本明細書で使用される場合、「洗浄性酵素」は、医療用または歯科用の６０器具、デバイス、もしくは設備などの器具、デバイス、もしくは設備用の、または洗濯、織物、食器洗浄、定置浄化、排水管、カーペット、肉切り道具、硬質表面、パーソナルケア用などの固体洗剤組成物の構成成分として、浄化、染み抜き、あるいは有益な効果を有する酵素を意味する。好ましい洗浄性酵素としては、プロテアーゼ、アミラーゼ、リパーゼ、またはそれらの組み合わせなどの加水分解酵素が挙げられる。医療用または歯科用デバイスまたは器具を浄化するための固体洗剤組成物中の好ましい酵素としては、プロテアーゼ、アミラーゼ、セルラーゼ、リパーゼ、またはそれらの組み合わせが挙げられる。食品加工表面および設備用の固体洗剤組成物中の好ましい酵素としては、プロテアーゼ、リパーゼ、アミラーゼ、グルコナーゼ、またはそれらの組み合わせが挙げられる。洗濯または織物用の固体洗剤組成物中の好ましい酵素としては、プロテアーゼ、セルラーゼ、リパーゼ、ペルオキシダーゼ、またはそれらの組み合わせが挙げられる。カーペット用の固体洗剤組成物中の好ましい酵素としては、プロテアーゼ、アミラーゼ、またはそれらの組み合わせが挙げられる。肉切り道具用の固体洗剤組成物中の好ましい酵素としては、プロテアーゼ、リパーゼ、またはそれらの組み合わせが挙げられる。硬質表面用の固体洗剤組成物中の好ましい酵素としては、プロテアーゼ、リパーゼ、アミラーゼ、またはそれらの組み合わせが挙げられる。排水管用の固体洗剤組成物中の好ましい酵素としては、プロテアーゼ、リパーゼ、アミラーゼ、またはそれらの組み合わせが挙げられる。
【０１０２】
酵素は通常、洗浄またはプレソーク手順中に効果的な浄化を得るのに十分な量で、本開示に従った固体洗剤組成物に組み込まれる。浄化に効果的な量は、特に医療用または歯科用デバイスまたは器具用の浄化された材料に、清潔な、衛生的な、および好ましくは腐食のない外観を生成する量を指す。浄化に効果的な量はまた、医療用または歯科用デバイスまたは器具などの基材に、浄化、染み除去、汚れ除去、美白脱臭、または清涼さの改善効果を生成する量を指し得る。かかる浄化効果は、洗剤組成物の約０．１重量％程の少量の酵素で達成され得る。
【０１０３】
本開示の洗剤組成物では、酵素がまた、好ましくは約１〜約３５重量％、好ましくは約２〜約１５重量％、好ましくは約３〜約１０重量％、好ましくは約４〜約８重量％、好ましくは、約４、約５、約６、約７、または約８重量％で存在するとき、典型的には、好適な浄化が達成され得る。より高い酵素レベルは、典型的には、高濃度浄化またはプレソーク配合物において望ましい。プレソークは、約１：５００の希釈時に使用するために、または酵素の使用濃度を約２０〜約４０ｐｐｍにする約２０００〜約４０００ｐｐｍの配合濃度になるように配合されるのが好ましい。
【０１０４】
アルカリプロテアーゼなどの市販の酵素は、液体または乾燥形態で入手可能であり、未加工水溶液として、または精製、加工および調合された各種形態で販売されており、一般に安定剤、緩衝液、補因子、不純物および不活性ビヒクルと組み合わせて約０．１重量％〜約８０重量％の活性酵素を含む。実際の活性酵素含有量は、製造方法に依存し、重要ではなく、固体洗剤組成物が所望の酵素活性を有すると仮定する。本開示のプロセスおよび生成物において使用するために選択される特定の酵素は、物理的な生成物の形態、使用ｐＨ、使用温度、および分解または変質される汚れのタイプを含む最終的な実用条件に依存する。酵素は、所与の一連の実用条件に対して最適な活性および安定性を与えるように選択され得る。
【０１０５】
酵素に関する貴重な参考文献は、“Ｉｎｄｕｓｔｒｉａｌ  Ｅｎｚｙｍｅｓ”，Ｓｃｏｔｔ，Ｄ．，ｉｎ  Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，３ｒｄ  Ｅｄｉｔｉｏｎ，（ｅｄｉｔｏｒｓ  Ｇｒａｙｓｏｎ，Ｍ．ａｎｄ  ＥｃＫｒｏｔｈ，Ｄ．）Ｖｏｌ．９，ｐｐ．１７３  ２２４，Ｊｏｈｎ  Ｗｉｌｅｙ＆Ｓｏｎｓ，Ｎｅｗ  Ｙｏｒｋ，１９８０である。
【０１０６】
いくつかの他の実施形態では、洗剤組成物中の酵素は単一の酵素である。いくつかの他の実施形態では、洗剤組成物中の酵素は、２つ以上の酵素の混合物である。いくつかの他の実施形態では、組成物中の酵素は、プロテアーゼ、アミラーゼ、リパーゼ、ヒドロラーゼ、セルラーゼ、グルコナーゼ、ペルオキシダーゼ、マンナナーゼ、またはそれらの混合物である。いくつかの他の実施形態では、酵素は、プロテアーゼ、アミラーゼ、リパーゼ、セルロース、ペルオキシダーゼ、グルコナーゼ、またはそれらの混合物である。いくつかの他の実施形態では、本明細書に開示の洗剤組成物中の酵素は、プロテアーゼ、アミラーゼ、リパーゼ、またはそれらの混合物である。いくつかの他の実施形態では、酵素は、プロテアーゼ、アミラーゼ、またはそれらの混合物である。いくつかの他の実施形態では、酵素は、プロテアーゼ、リパーゼ、またはそれらの混合物である。いくつかの他の実施形態では、酵素は、アミラーゼ、リパーゼ、またはそれらの混合物である。いくつかの他の実施形態では、酵素はプロテアーゼである。いくつかの他の実施形態では、酵素はアミラーゼである。さらにいくつかの他の実施形態では、酵素はリパーゼである。
【０１０７】
いくつかの実施形態では、本明細書に開示の洗剤組成物は、約０．１重量％〜約３５重量％、０．１重量％〜約３０重量％、０．１重量％〜約２５重量％、０．１重量％〜約１５重量％、０．１重量％〜約１０重量％、０．１重量％〜約５重量％、約０．５重量％〜約５重量％、約０．１重量％〜約１重量％、約１重量％〜約１０重量％、０．１重量％〜約１重量％、約１重量％〜約５重量％、５重量％〜約１０重量％、１０重量％〜約１５重量％、約１５重量％〜約２０重量％、２０重量％〜約２５重量％、２５重量％〜約３０重量％、３０重量％〜約３５重量％、約０．１重量％、約０．５重量％、約１重量％、約２重量％、約３重量％、約４重量％、約５重量％、約６重量％、約７重量％、約８重量％、約９重量％、約１０重量％、約１５重量％、約２０重量％、約２５重量％、約３０重量％、約３２重量％、または約３５重量％の酵素を有する。
【０１０８】
本開示の洗剤組成物は、驚くべきことに、顕著に安定化された酵素、特にプロテアーゼ、リパーゼ、および／またはアミラーゼ、タンパク質の消化に対する活性、ならびにそれらの使用溶液中の汚れ除去の向上を有することがさらに見出された。本出願人は、驚くべきことに、洗剤組成物中に特定のタイプのホスホネート単独または別の特定のアミンホスホネート塩を使用することにより、本開示の洗剤組成物から作製される使用溶液中の酵素が、本明細書に開示のホスホネートを含有しない洗剤組成物からのものよりも、非常に長く活性を維持することを発見した。本開示に示されるように、本開示の固体洗剤から生成された使用溶液、プロテアーゼおよびリパーゼの両方は、非常に長期間の間活性を維持する。酵素がより安定なほど、汚れ、タンパク質、またはデンプン（およびリパーゼが含まれる場合は脂肪）を除去するのにより長く効果的である。結果として、本明細書に開示の洗剤組成物はまた、より効果的である。
【０１０９】
本開示の洗剤組成物中の酵素の優れた安定性によって、組成物がより少ない酵素を使用し、既存の洗剤組成物中に一般的に見られる他の安定剤または他の成分を含まないことが可能である。いくつかの安定剤は、液体であり得、固体洗剤組成物中に含まれるのが困難であり得るか、または他の成分との望ましくない反応をもたらし得る。いくつかの安定剤は、濃縮組成物の、健康／安全性／表示（たとえば、望ましくないＧＨＳラベルアイコンの警告）に対する懸念を提起する。最小限の安定剤では、配合に複雑さが加わり、他の機能性成分のための「配合スペース」が占有される。開示された本開示を使用することのさらなる利点は、他の安定剤を全く使用しない、または低減された量で使用して、本明細書に開示の洗剤が生成されることである。
【０１１０】
アルカリ源
本開示に従った洗剤組成物および方法は、有効量のアルカリ源を含む。アルカリ源は、一つ又は複数のアルカリ化合物を含む。一般に、有効量のアルカリ源は、少なくとも約８のｐＨを有する使用溶液を提供する量とみなされるべきである。使用溶液が約８〜約１０のｐＨを有すると、弱アルカリ性と見なされ得、ｐＨが約１２を超えると、使用溶液は腐食性と見なされ得る。一般に、腐食系の使用組成物よりもより安全であると考えられるので、使用溶液を弱アルカリ性浄化組成物として提供することが望ましい。
【０１１１】
アルカリ源は、アルカリ金属炭酸塩、アルカリ金属水酸化物、アルカリ金属ケイ酸塩、またはそれらの混合物を含み得る。使用され得る好適な金属炭酸塩としては、例えば、炭酸ナトリウムもしくは炭酸カリウム、重炭酸塩、セスキ炭酸塩、またはそれらの混合物が挙げられる。また使用され得る好適なアルカリ金属水酸化物としては、例えば、水酸化ナトリウム、水酸化リチウム、または水酸化カリウムが挙げられる。有用なアルカリ金属ケイ酸塩の例としては、ケイ酸ナトリウムもしくはケイ酸カリウム（２．４〜５：１のＭ２Ｏ：ＳｉＯ２の比を有し、Ｍはアルカリ金属を表す）、またはメタケイ酸塩が挙げられる。アルカリ源としてはまた、ホウ酸ナトリウムまたはホウ酸カリウムなどの金属ホウ酸塩も挙げられ得る。
【０１１２】
アルカリ源としてはまた、エタノールアミン、尿素スルフェート、アミン、アミン塩、および四級アンモニウムも挙げられ得る。最も単純なカチオン性アミンである、アミン塩および四級アンモニウム化合物は、このように概略的に描写され得、
【化１２】
2019529679.tif 000014
式中、Ｒは、長アルキル鎖を表し、Ｒ’、Ｒ’’、およびＲ’’’は、長アルキル鎖またはより小さいアルキルもしくはアリール基または水素のいずれかであってもよく、Ｘは、アニオンを表す。
【０１１３】
アルカリ源は、固体の形態で組成物に添加され得る。例えば、アルカリ金属水酸化物は、２５〜約１２−１００のＵＳメッシュの範囲の混合した粒子サイズを有する小球化された固体またはビーズの形態の固体として、市販されている。例えば、アルカリ金属水酸化物は、例えば固体ビーズの形態を含む種々の固体形態で固体洗剤組成物に添加され得る。アルカリ金属水酸化物は市販されている。
【０１１４】
アルカリ源は、好ましくは、基材の浄化を向上し、組成物の汚れ除去性能を改善する量である。一般に、濃縮物は、少なくとも約５重量％、少なくとも約１０重量％、または少なくとも約１５重量％の量でアルカリ源を含むであろうと予想される。圧縮固体洗剤組成物は、約１０重量％〜約９５重量％、好ましくは約１５重量％〜約７０重量％、約２０重量％〜約６０重量％、およびさらにより好ましくは約７０重量％〜約９５重量％のアルカリ源を含み得る。
【０１１５】
いくつかの実施形態では、本明細書に開示の洗剤組成物は、それらのアルカリ源として金属炭酸塩、金属重炭酸塩、金属ケイ酸塩、またはそれらの混合物を含有する。いくつかの他の実施形態では、本明細書に開示の洗剤組成物は、それらのアルカリ源として金属炭酸塩、金属重炭酸塩、またはそれらの混合物を含有する。いくつかの実施形態では、本明細書に開示の洗剤組成物中のアルカリ源は、アルカリ金属炭酸塩、アルカリ金属重炭酸塩固体、アルカリ金属ケイ酸塩、またはそれらの混合物である。いくつかの他の実施形態では、本明細書に開示の洗剤組成物中のアルカリ源は、アルカリ金属炭酸塩、アルカリ金属重炭酸塩、またはそれらの混合物である。いくつかの他の実施形態では、本明細書に開示の洗剤組成物中のアルカリ源は、アルカリ金属炭酸塩とアルカリ金属重炭酸塩との混合物である。いくつかの他の実施形態では、本明細書に開示の洗剤組成物中のアルカリ源は、単にアルカリ金属炭酸塩（例えば、全灰）である。いくつかの実施形態では、本明細書に開示の洗剤組成物中のアルカリ源は、炭酸ナトリウム、重炭酸ナトリウム、金属ケイ酸ナトリウム、またはそれらの混合物である。いくつかの実施形態では、本明細書に開示の洗剤組成物中のアルカリ源は、炭酸ナトリウムおよび重炭酸ナトリウムである。いくつかの実施形態では、本明細書に開示の洗剤組成物中のアルカリ源は、単に炭酸ナトリウムである。
【０１１６】
いくつかの実施形態では、本開示の洗剤組成物または方法から生成された洗剤は、約１重量％〜約９０重量％、５重量％〜約８５重量％、１５重量％〜約８０重量％、２０重量％〜約７５重量％、２５重量％〜約７０重量％、３０重量％〜約６５重量％、３５重量％〜約６０重量％、４０重量％〜約５５重量％、または４５重量％〜約５０重量％のアルカリ源を有する。いくつかの他の実施形態では、本開示の洗剤組成物または方法から生成された洗剤は、約８０重量％〜約９０重量％、約７０重量％〜約８０重量％、約６０重量％〜約７０重量％、約５０重量％〜約６０重量％、約４０重量％〜約５０重量％、約３０重量％〜約４０重量％、約２０重量％〜約３０重量％、約１０重量％〜約１０重量％、約１重量％〜約１０重量％、または約０．１重量％〜約１重量％のアルカリ源を有する。いくつかの実施形態では、本開示の洗剤組成物または方法から生成された洗剤は、約９０重量％、約８５重量％、約８０重量％、約７５重量％、約７０重量％、約６５重量％、約６０重量％、約５５重量％、約５０重量％、約４５重量％、約４０重量％、約３５重量％、約３０重量％、約２５重量％、約２０重量％、約１５重量％、約１０重量％、約５重量％、約１重量％、または約０．５重量％のアルカリ源を有する。いくつかの他の実施形態では、本開示の組成物および方法から生成された洗剤は、約１０重量％〜約９０重量％、２０重量％〜約９０重量％、３０重量％〜約９０重量％、４０重量％〜約９０重量％、５０重量％〜約９０重量％、６０重量％〜約９０重量％、７０重量％〜約９０重量％、約８５重量％、７５重量％、約６５重量％、約５５重量％、約４５重量％、約３５重量％、約２５重量％、約１５重量％、または約５重量％のアルカリ源を有する。
【０１１７】
いくつかの実施形態では、洗剤組成物は、約８〜約１２のｐＨを有する使用組成物を提供するのに十分な量のアルカリ源を含む。いくつかの他の実施形態では、洗剤組成物は、約８〜約１１、約８〜約９、約９〜約１２、約９〜約１１、約９〜約１０、約８、約９、約１０、約１１、約１２、約８．５、約９．５、約１０．５、または約１１．５のｐＨを有する使用組成物を提供するのに十分な量のアルカリ源を含む。
【０１１８】
いくつかの実施形態では、本明細書に開示の洗剤組成物は、追加のアルカリ源としてアルカリ金属セスキ炭酸塩、アルカリ水酸化物、メタケイ酸塩、尿素スルフェート、アミン、アミン塩、四級アンモニア、それらの水和物、またはそれらの２つ以上の混合物などの追加のアルカリ化合物を含み得る。
【０１１９】
一態様では、酵素、
【化１３】
2019529679.tif 000015
の式によって表されるホスホネートまたはその塩、およびアルカリ源を含む組成物であって、酵素が、プロテアーゼ、アミラーゼ、リパーゼ、セルロース、ペルオキシダーゼ、グルコナーゼ、またはそれらの混合物であり、アルカリ源が、金属炭酸塩、金属重炭酸塩、金属ケイ酸塩、またはそれらの混合物であり、Ｒ１０が、水素、置換アルキル、２−（ＥＯ）ｎ−ビホスホネートアミン−エチル、２−（ＰＯ）ｎ−ビホスホネートアミン−イソプロピル、ホスホネート、ホスホネートエステル、またはそれらの誘導体であり、Ｒ１１が、水素、置換アルキル、２−（ＥＯ）ｎ−ビホスホネートアミン−エチル、２−（ＰＯ）ｎ−ビホスホネートアミン−イソプロピル、ホスホネート、ホスホネートエステル、またはそれらの誘導体であり、ただし、Ｒ１０およびＲ１１が、両方とも−ＣＨ２−ＰＯ（ＯＨ）２基である、組成物が本明細書で提供される。
【０１２０】
いくつかの他の実施形態では、Ｒ１１は、−ＣＨ２−ＰＯ（ＯＨ）２基である。さらにいくつかの他の実施形態では、Ｒ１１は、−ＣＨ２−ＰＯ（ＯＨ）２基であり、Ｒ１０は、置換アルキルである。いくつかの実施形態では、Ｒ１１は、−ＣＨ２−ＰＯ（ＯＨ）２基であり、Ｒ１０は、ホスホネート、ホスホネートエステル、またはそれらの誘導体である。
【０１２１】
いくつかの実施形態では、ホスホネートは、
【化１４】
2019529679.tif 000016
アミノメチルホスホン酸、またはそれらの混合物であり、式中、ｎが１〜３０の整数である。
【０１２２】
いくつかの実施形態では、ホスホネートは、アミノトリメチレンホスホン酸（ＡＴＭＰ）である。いくつかの他の実施形態では、ホスホネートは、ジグリコールアミンホスホネート（ＤＧＡＰ）である。
【０１２３】
いくつかの実施形態では、ホスホネートは、アルカノールアミンによるホスフォンブタントリカルボン酸（ＰＢＴＣ）の完全中和塩である。いくつかの他の実施形態では、ホスホネートは、アルカノールアミンによる１−ヒドロキシエチリデン−１，１−ジホスホン酸（ＨＥＤＰ）の完全中和塩である。アルカノールアミンは、モノエタノールアミン、ジエタノールアミン、トリエタノールアミン、イソプロピルアミン、またはそれらの混合物であり得る。
【０１２４】
いくつかの実施形態では、アルカリ源は、金属炭酸塩および金属重炭酸塩である。いくつかの他の実施形態では、金属炭酸塩と金属重炭酸塩とのモル比は、約０．２５：１〜約１：０．２５、０．５：１〜１：０．５、または０．７５：１〜１：０．７５である。いくつかの他の実施形態では、アルカリ源は、金属炭酸塩（例えば全灰）である。いくつかの実施形態では、アルカリ源は、アルカリ金属炭酸塩およびアルカリ金属重炭酸塩である。いくつかの他の実施形態では、アルカリ金属炭酸塩とアルカリ金属重炭酸塩とのモル比は、約０．２５：１〜約１：０．２５、０．５：１〜１：０．５、または０．７５：１〜１：０．７５である。いくつかの他の実施形態では、アルカリ源は、アルカリ金属炭酸塩（全灰）である。
【０１２５】
いくつかの実施形態では、酵素は、プロテアーゼ、アミラーゼ、リパーゼ、またはそれらの混合物である。いくつかの実施形態では、酵素は、プロテアーゼ、アミラーゼ、またはそれらの混合物である。いくつかの実施形態では、酵素は、プロテアーゼ、リパーゼ、またはそれらの混合物である。いくつかの実施形態では、酵素はプロテアーゼである。いくつかの他の実施形態では、酵素は、アミラーゼ、リパーゼ、またはそれらの混合物である。いくつかの他の実施形態では、酵素はアミラーゼである。さらにいくつかの他の実施形態では、酵素はリパーゼである。
【０１２６】
いくつかの実施形態では、組成物の使用溶液中で、酵素は、１２０°Ｆで少なくとも４時間の間、その活性の少なくとも１５％を保持する。いくつかの他の実施形態では、組成物の使用溶液中で、酵素は、１２０°Ｆで少なくとも４時間の間、その活性の少なくとも２０％を保持する。いくつかの実施形態では、洗剤組成物の使用溶液中で、酵素は、１２０°Ｆで少なくとも２４０分の間、その活性の少なくとも１５％、２０％、３０％、４０％、５０％、６０％、７０％、８０％、または９０％を保持する。
【０１２７】
いくつかの実施形態では、組成物は、約０．１重量％〜約５重量％、０．５重量％〜約３重量％、約１重量％〜約１．５重量％の酵素、約０．０１重量％〜約２重量％、０．０５重量％〜約１．５重量％、または０．１重量％〜約１重量％の
【化１５】
2019529679.tif 000017
の式によって表されるホスホネートまたはその塩、および約５０重量％〜約９５重量％、約５０重量％〜９０重量％、約６０重量％〜約９０重量％、約７０重量％〜約９０重量％、または約８０重量％〜約９０重量％のアルカリ源を含む。これらの実施形態のうちのいくつかでは、ホスホネートは、アミノトリメチレンホスホン酸（ＡＴＭＰ）である。これらの実施形態のうちの他のいくつかでは、ホスホネートは、ジグリコールアミンホスホネート（ＤＧＡＰ）である。これらの実施形態のうちのいくつかでは、アルカリ源は、０．２５：１〜１：０．５、０．５：１〜１：０．５、または０．７５：１〜１：０．７５の比を有するアルカリ金属炭酸塩とアルカリ金属重炭酸塩との混合物である。これらの実施形態のうちの他のいくつかでは、アルカリ源は、アルカリ金属炭酸塩（全灰）である。
【０１２８】
いくつかの実施形態では、組成物は、酵素、
【化１６】
2019529679.tif 000018
の式によって表されるホスホネートまたはその塩、アルカリ源、およびアミンを含む。いくつかの実施形態では、アミンは、組成物の、約０．１重量％〜約３５重量％、０．１重量％〜約３０重量％、０．１重量％〜約２５重量％、０．１重量％〜約１５重量％、０．１重量％〜約１０重量％、０．１重量％〜約５重量％、約０．５重量％〜約５重量％、約０．１重量％〜約１重量％、約１重量％〜約１０重量％、０．１重量％〜約１重量％、約１重量％〜約５重量％、５重量％〜約１０重量％、１０重量％〜約１５重量％、約１５重量％〜約２０重量％、２０重量％〜約２５重量％、２５重量％〜約３０重量％、３０重量％〜約３５重量％、約０．１重量％、約０．５重量％、約１重量％、約２重量％、約３重量％、約４重量％、約５重量％、約６重量％、約７重量％、約８重量％、約９重量％、約１０重量％、約１５重量％、約２０重量％、約２５重量％、約３０重量％、約３２重量％、または約３５重量％の、約０．１〜３５重量％である。
【０１２９】
いくつかの他の実施形態では、アミンはアルカノールアミンまたはそれらの混合物である。いくつかの他の実施形態では、アミンは、モノエタノールアミン、ジエタノールアミン、トリエタノールアミン、イソプロピルアミン、またはそれらの混合物である。いくつかの他の実施形態では、アミンホスホネート塩のアミンは、Ｃ２〜６アルキルアミンまたはそれらの混合物である。アルキルアミンは、当然モノ−、ジ−、またはトリ−アミンであり得る。いくつかの実施形態では、組成物は、約０．５：１〜１：０．５のホスホネート対アミンのモル比を有する。
【０１３０】
いくつかの実施形態では、組成物は、酵素、
【化１７】
2019529679.tif 000019
の式によって表されるホスホネートもしくはその塩、アルカリ源、および金属水酸化物、トリポリホスフェート、またはそれらの混合物を含む。いくつかの実施形態では、組成物は、酵素、
【化１８】
2019529679.tif 000020
の式によって表されるホスホネートもしくはその塩、アルカリ源、アミン、および金属水酸化物、トリポリホスフェート、またはそれらの混合物を含む。
【０１３１】
いくつかの他の実施形態では、組成物は、酵素、
【化１９】
2019529679.tif 000021
の式によって表されるホスホネートもしくはその塩、アルカリ源、金属水酸化物、トリポリホスフェート、またはそれらの混合物、ならびに、酸化剤、ビルダーもしくは水質コンディショナー／水質調節剤、ペルオキシ酸およびその初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤および／もしくはキレート化剤、芳香剤および／もしくは染料、レオロジー調整剤もしくは増粘剤、非イオン界面活性剤、カチオン界面活性剤、もしくは双性イオン界面活性剤、ヒドロトロープもしくはカップラー、またはそれらの組み合わせを含む、一つ又は複数の追加の機能性成分を含む。
【０１３２】
いくつかの他の実施形態では、組成物は、酵素、
【化２０】
2019529679.tif 000022
の式によって表されるホスホネートもしくはその塩、アルカリ源、アミン、金属水酸化物、トリポリホスフェート、またはそれらの混合物、ならびに、酸化剤、ビルダーもしくは水質コンディショナー／水質調節剤、ペルオキシ酸およびその初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤および／もしくはキレート化剤、芳香剤および／もしくは染料、レオロジー調整剤もしくは増粘剤、非イオン界面活性剤、カチオン界面活性剤、もしくは双性イオン界面活性剤、ヒドロトロープもしくはカップラー、またはそれらの組み合わせを含む、一つ又は複数の追加の機能性成分を含む。
【０１３３】
いくつかの実施形態では、組成物は、約２重量％〜約１５重量％、または約５重量％〜１０重量％の水質調節剤を含む。いくつかの他の実施形態では、組成物は、約０．１重量％〜約５重量％、約０．５重量％〜約４重量％、または約１重量％〜約３重量％の界面活性剤を含む。
【０１３４】
他の態様では、本開示は、酵素、アルカリ源、およびアミンホスホネート塩を含む組成物であって、アミン塩が、
【化２１】
2019529679.tif 000023
の式によって表されるホスホネートとアミンとの生成物であり、酵素が、プロテアーゼ、アミラーゼ、リパーゼ、セルラーゼ、ペルオキシダーゼ、グルコナーゼ、またはそれらの混合物であり、アルカリ源が、金属炭酸塩、金属重炭酸塩、金属ケイ酸塩、またはそれらの混合物を含み、Ｒ１２が、ヒドロキシル、メチル、−ＰＯ（ＯＨ）２、−ＣＨ２ＣＯＯＨ、置換アルキル、ホスホネート、それらのエステル、それらの塩、またはそれらの誘導体であり、Ｒ１３が、ヒドロキシル、メチル、−ＰＯ（ＯＨ）２、−ＣＨ２ＣＯＯＨ、置換アルキル、ホスホネート、それらのエステル、それらの塩、またはそれらの誘導体であり、Ｒ１４が、ヒドロキシル、メチル、−ＰＯ（ＯＨ）２、−ＣＨ２ＣＯＯＨ、置換アルキル、ホスホネート、それらのエステル、またはそれらの誘導体である、組成物である。
【０１３５】
いくつかの他の実施形態では、Ｒ１２、Ｒ１３、およびＲ１４のうちの１つは、ヒドロキシル、メチル、−ＰＯ（ＯＨ）２、−ＣＨ２ＣＯＯＨ、それらのエステル、それらの塩、またはそれらの誘導体である。
【０１３６】
いくつかの実施形態では、アミンホスホネート塩のホスホネートは、ＰＯ（ＯＨ）２（Ｃ（ＣＨ２ＣＯＯＨ）３）、ＰＢＴＣである。他の実施形態では、アミンホスホネート塩のホスホネートは、Ｃ（ＣＨ３）（ＯＨ）（ＰＯ（ＯＨ）２）２、ＨＥＤＰである。
【０１３７】
いくつかの実施形態では、アミンホスホネート塩のアミンは、アルカノールアミン、またはそれらの混合物である。他の実施形態では、アミンホスホネート塩のアミンは、モノエタノールアミン、ジエタノールアミン、トリエタノールアミン、イソプロピルアミン、またはそれらの混合物である。いくつかの他の実施形態では、アミンホスホネート塩のアミンは、Ｃ２〜６アルキルアミンまたはそれらの混合物である。アルキルアミンは、当然モノ−、ジ−、またはトリ−アミンであり得る。いくつかの実施形態では、組成物は、約０．５：１〜１：０．５のホスホネート対アミンのモル比を有する。いくつかの実施形態では、アミンホスホネート塩は、部分的にのみ中和されている。いくつかの他の実施形態では、アミンホスホネート塩は、アミンによって完全に中和されている。
【０１３８】
いくつかの実施形態では、酵素は、プロテアーゼ、アミラーゼ、リパーゼ、またはそれらの混合物である。いくつかの他の実施形態では、酵素は、プロテアーゼ、アミラーゼ、またはそれらの混合物である。いくつかの実施形態では、酵素は、プロテアーゼ、リパーゼ、またはそれらの混合物である。いくつかの実施形態では、酵素はプロテアーゼである。いくつかの他の実施形態では、酵素は、アミラーゼ、リパーゼ、またはそれらの混合物である。いくつかの他の実施形態では、酵素はアミラーゼである。さらにいくつかの他の実施形態では、酵素はリパーゼである。
【０１３９】
いくつかの実施形態では、組成物のアルカリ源は、金属炭酸塩および金属重炭酸塩である。いくつかの他の実施形態では、金属炭酸塩対金属重炭酸塩のモル比は、約０．５：１〜約１：０．５、０．５：１〜１：０．５、または０．７５：１〜１：０．７５である。いくつかの実施形態では、アルカリ源は、金属炭酸塩である。いくつかの実施形態では、組成物のアルカリ源は、アルカリ金属炭酸塩およびアルカリ金属重炭酸塩である。いくつかの他の実施形態では、アルカリ金属炭酸塩対アルカリ金属重炭酸塩のモル比は、約０．５：１〜約１：０．５、０．５：１〜１：０．５、または０．７５：１〜１：０．７５である。いくつかの実施形態では、アルカリ源は、アルカリ金属炭酸塩である。いくつかの実施形態では、組成物のアルカリ源は、炭酸ナトリウムおよび重炭酸ナトリウムである。いくつかの他の実施形態では、炭酸ナトリウム対重炭酸ナトリウムのモル比は、約０．５：１〜約１：０．５、０．５：１〜１：０．５、または０．７５：１〜１：０．７５である。いくつかの実施形態では、アルカリ源は、炭酸ナトリウムである。
【０１４０】
いくつかの実施形態では、組成物は、約０．１重量％〜約５重量％、０．５重量％〜約３重量％、約１重量％〜約１．５重量％の酵素、約０．０１重量％〜約２重量％、０．０５重量％〜約１．５重量％、または０．１重量％〜約１重量％のアミンホスホネート塩であり、アミン塩が、
【化２２】
2019529679.tif 000024
の式によって表されるホスホネートとアミンとの生成物であり、約５０重量％〜約９５重量％、約５０重量％〜９０重量％、約６０重量％〜約９０重量％、約７０重量％〜約９０重量％、または約８０重量％〜約９０重量％のアルカリ源を含む。これらの実施形態のうちのいくつかでは、ホスホネートは、アルカノールアミンによるホスフォンブタントリカルボン酸（ＰＢＴＣ）の完全中和塩である。これらの実施形態のうちの他のいくつかでは、ホスホネートは、アルカノールアミンによる１−ヒドロキシエチリデン−１，１−ジホスホン酸（ＨＥＤＰ）の完全中和塩である。アルカノールアミンは、モノエタノールアミン、ジエタノールアミン、トリエタノールアミン、イソプロピルアミン、またはそれらの混合物であり得る。これらの実施形態のうちのいくつかでは、アルカリ源は、０．２５：１〜１：０．５、０．５：１〜１：０．５、または０．７５：１〜１：０．７５の比を有するアルカリ金属炭酸塩とアルカリ金属重炭酸塩との混合物である。これらの実施形態のうちの他のいくつかでは、アルカリ源は、アルカリ金属炭酸塩（全灰）である。
【０１４１】
いくつかの実施形態では、組成物の使用溶液中で、酵素は、１２０°Ｆで少なくとも４０分の間、その活性の少なくとも１５％を保持する。いくつかの他の実施形態では、洗剤組成物の使用溶液中で、酵素は、１２０°Ｆで少なくとも４時間の間、その活性の少なくとも２０％を保持する。いくつかの実施形態では、洗剤組成物の使用溶液中で、酵素は、１２０°Ｆで少なくとも２４０分の間、その活性の少なくとも１５％、２０％、３０％、４０％、５０％、６０％、７０％、８０％、または９０％を保持する。
【０１４２】
いくつかの他の実施形態では、アミンホスホネート塩は、組成物の、約０．１重量％〜約３５重量％、０．１重量％〜約３０重量％、０．１重量％〜約２５重量％、０．１重量％〜約１５重量％、０．１重量％〜約１０重量％、０．１重量％〜約５重量％、約０．５重量％〜約５重量％、約０．１重量％〜約１重量％、約１重量％〜約１０重量％、０．１重量％〜約１重量％、約１重量％〜約５重量％、５重量％〜約１０重量％、１０重量％〜約１５重量％、約１５重量％〜約２０重量％、２０重量％〜約２５重量％、２５重量％〜約３０重量％、３０重量％〜約３５重量％、約０．１重量％、約０．５重量％、約１重量％、約２重量％、約３重量％、約４重量％、約５重量％、約６重量％、約７重量％、約８重量％、約９重量％、約１０重量％、約１５重量％、約２０重量％、約２５重量％、約３０重量％、約３２重量％、または約３５重量％の、約０．１〜３５重量％である。
【０１４３】
いくつかの実施形態では、組成物は、金属水酸化物、トリポリホスフェート、またはそれらの混合物をさらに含む。いくつかの他の実施形態では、組成物は、酸化剤、ビルダーもしくは水質コンディショナー／水質調節剤、ペルオキシ酸およびその初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤および／もしくはキレート化剤、芳香剤および／もしくは染料、レオロジー調整剤もしくは増粘剤、非イオン界面活性剤、カチオン界面活性剤、もしくは双性イオン界面活性剤、ヒドロトロープもしくはカップラー、またはそれらの組み合わせを含む、一つ又は複数の追加の機能性成分をさらに含む。
【０１４４】
いくつかの実施形態では、組成物は、金属水酸化物、トリポリホスフェート、またはそれらの混合物、および一つ又は複数の追加の機能性成分をさらに含む。追加の機能性は、酸化剤、ビルダーもしくは水質コンディショナー／水質調節剤、ペルオキシ酸およびその初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤および／もしくはキレート化剤、芳香剤および／もしくは染料、レオロジー調整剤もしくは増粘剤、非イオン界面活性剤、カチオン界面活性剤、もしくは双性イオン界面活性剤、ヒドロトロープもしくはカップラー、またはそれらの組み合わせであり得る。
【０１４５】
いくつかの実施形態では、組成物は、約２重量％〜約１５重量％、または約５重量％〜１０重量％の水質調節剤を含む。いくつかの他の実施形態では、組成物は、約０．１重量％〜約５重量％、約０．５重量％〜約４重量％、または約１重量％〜約３重量％の界面活性剤を含む。
【０１４６】
さらに別の態様では、本開示は、アルカリ源、ホスホネート、および酵素を含む固体洗剤組成物であって、アルカリ源が、金属炭酸塩、金属重炭酸塩、金属ケイ酸塩、またはそれらの混合物を含み、酵素が、プロテアーゼ、アミラーゼ、リパーゼ、セルラーゼ、ペルオキシダーゼ、グルコナーゼ、またはそれらの混合物であり、ホスホネートが、
【化２３】
2019529679.tif 000025
の式またはその塩によって表され、Ｒ１０が、水素、置換アルキル、２−（ＥＯ）ｎ−ビホスホネートアミン−エチル、２−（ＰＯ）ｎ−ビホスホネートアミン−イソプロピル、ホスホネート、ホスホネートエステル、またはそれらの誘導体であり、Ｒ１１が、水素、置換アルキル、２−（ＥＯ）ｎ−ビホスホネートアミン−エチル、２−（ＰＯ）ｎ−ビホスホネートアミン−イソプロピル、ホスホネート、ホスホネートエステル、またはそれらの誘導体であり、ただしＲ１０およびＲ１１が両方とも、分子中で−ＣＨ２−ＰＯ（ＯＨ）２基であり、組成物の成分が混合され使用されて固体洗剤を生成する、固体洗剤組成物である。
【０１４７】
いくつかの実施形態では、固体洗剤は、注型プロセス、押出プロセス、またはプレスプロセスによって生成される。他の実施形態では、固体洗剤は、プレスプロセスによって生成される。いくつかの実施形態では、固体洗剤は、ブロック、錠剤、または粒状である。いくつかの他の実施形態では、固体洗剤は、多用途固体洗剤である。
【０１４８】
いくつかの実施形態では、固体洗剤は、寸法安定性を有し、１２２°Ｆ（５０℃）の温度で加熱された場合に３％未満の増大指数（ｇｒｏｗｔｈ  ｅｘｐｏｎｅｎｔ）を有する。いくつかの他の実施形態では、固体洗剤は、寸法安定性を有し、１２２°Ｆの温度で加熱された場合に２％未満の増大指数を有する。
【０１４９】
いくつかの他の実施形態では、Ｒ１１は、−ＣＨ２−ＰＯ（ＯＨ）２基である。さらにいくつかの他の実施形態では、Ｒ１１は、−ＣＨ２−ＰＯ（ＯＨ）２基であり、Ｒ１０は、置換アルキルである。いくつかの実施形態では、Ｒ１１は、−ＣＨ２−ＰＯ（ＯＨ）２基であり、Ｒ１０は、ホスホネート、ホスホネートエステル、またはそれらの誘導体である。
【０１５０】
いくつかの実施形態では、ホスホネートは、
【化２４】
2019529679.tif 000026
アミノメチルホスホン酸、またはそれらの混合物であり、式中、ｎが１〜３０の整数である。
【０１５１】
いくつかの実施形態では、アルカリ源は、金属炭酸塩および金属重炭酸塩である。いくつかの他の実施形態では、金属炭酸塩と金属重炭酸塩とのモル比は、約０．２５：１〜約１：０．２５である。いくつかの実施形態では、アルカリ源は、金属炭酸塩である。いくつかの実施形態では、組成物のアルカリ源は、アルカリ金属炭酸塩およびアルカリ金属重炭酸塩である。いくつかの他の実施形態では、アルカリ金属炭酸塩対アルカリ金属重炭酸塩のモル比は、約０．５：１〜約１：０．５である。いくつかの実施形態では、アルカリ源は、アルカリ金属炭酸塩である。いくつかの実施形態では、組成物のアルカリ源は、炭酸ナトリウムおよび重炭酸ナトリウムである。いくつかの他の実施形態では、炭酸ナトリウム対重炭酸ナトリウムのモル比は、約０．５：１〜約１：０．５である。いくつかの実施形態では、アルカリ源は、炭酸ナトリウムである。
【０１５２】
いくつかの実施形態では、酵素は、プロテアーゼ、アミラーゼ、リパーゼ、またはそれらの混合物である。いくつかの実施形態では、酵素は、プロテアーゼ、アミラーゼ、またはそれらの混合物である。いくつかの実施形態では、酵素は、プロテアーゼ、リパーゼ、またはそれらの混合物である。いくつかの実施形態では、酵素はプロテアーゼである。いくつかの他の実施形態では、酵素は、アミラーゼ、リパーゼ、またはそれらの混合物である。いくつかの他の実施形態では、酵素はアミラーゼである。さらにいくつかの他の実施形態では、酵素はリパーゼである。
【０１５３】
いくつかの実施形態では、組成物は、約０．１重量％〜約５重量％、０．５重量％〜約３重量％、約１重量％〜約１．５重量％の酵素、約０．０１重量％〜約２重量％、０．０５重量％〜約１．５重量％、または０．１重量％〜約１重量％の
【化２５】
2019529679.tif 000027
の式によって表されるホスホネートまたはその塩、および約５０重量％〜約９５重量％、約５０重量％〜９０重量％、約６０重量％〜約９０重量％、約７０重量％〜約９０重量％、または約８０重量％〜約９０重量％のアルカリ源を含む。これらの実施形態のうちのいくつかでは、ホスホネートは、アミノトリメチレンホスホン酸（ＡＴＭＰ）である。これらの実施形態のうちの他のいくつかでは、ホスホネートは、ジグリコールアミンホスホネート（ＤＧＡＰ）である。これらの実施形態のうちのいくつかでは、アルカリ源は、０．２５：１〜１：０．５、０．５：１〜１：０．５、または０．７５：１〜１：０．７５の比を有するアルカリ金属炭酸塩とアルカリ金属重炭酸塩との混合物である。これらの実施形態のうちの他のいくつかでは、アルカリ源は、アルカリ金属炭酸塩（全灰）である。
【０１５４】
いくつかの実施形態では、固体洗剤組成物の使用溶液中で、酵素は、１２０°Ｆで少なくとも４時間の間、その活性の少なくとも１５％を保持する。いくつかの他の実施形態では、固体洗剤組成物の使用溶液中で、酵素は、１２０°Ｆで少なくとも４時間の間、その活性の少なくとも５０％を保持する。いくつかの実施形態では、固体洗剤組成物の使用溶液中で、酵素は、１２０°Ｆで少なくとも２４０分の間、その活性の少なくとも１５％、２０％、３０％、４０％、５０％、６０％、７０％、８０％、または９０％を保持する。
【０１５５】
いくつかの実施形態では、固体洗剤組成物は、アミンをさらに含む。いくつかの実施形態では、アミンは、固体洗剤組成物の、約０．１重量％〜約３５重量％、０．１重量％〜約３０重量％、０．１重量％〜約２５重量％、０．１重量％〜約１５重量％、０．１重量％〜約１０重量％、０．１重量％〜約５重量％、約０．５重量％〜約５重量％、約０．１重量％〜約１重量％、約１重量％〜約１０重量％、０．１重量％〜約１重量％、約１重量％〜約５重量％、５重量％〜約１０重量％、１０重量％〜約１５重量％、約１５重量％〜約２０重量％、２０重量％〜約２５重量％、２５重量％〜約３０重量％、３０重量％〜約３５重量％、約０．１重量％、約０．５重量％、約１重量％、約２重量％、約３重量％、約４重量％、約５重量％、約６重量％、約７重量％、約８重量％、約９重量％、約１０重量％、約１５重量％、約２０重量％、約２５重量％、約３０重量％、約３２重量％、または約３５重量％の、約０．１〜３５重量％である。
【０１５６】
いくつかの実施形態では、組成物は、約０．５：１〜１：０．５のホスホネート対アミンのモル比を有する。いくつかの他の実施形態では、アミンは、モノエタノールアミン、ジエタノールアミン、トリエタノールアミン、イソプロピルアミン、またはそれらの混合物である。いくつかの他の実施形態では、アミンホスホネート塩のアミンは、Ｃ２〜６アルキルアミンまたはそれらの混合物である。アルキルアミンは、当然モノ−、ジ−、またはトリ−アミンであり得る。
【０１５７】
いくつかの実施形態では、固体洗剤組成物は、金属水酸化物、トリポリホスフェート、またはそれらの混合物をさらに含む。いくつかの他の実施形態では、組成物は、酸化剤、ビルダーまたは水質コンディショナー／水質調節剤、ペルオキシ酸およびその初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤および／またはキレート化剤、芳香剤および／または染料、レオロジー調整剤または増粘剤、非イオン界面活性剤、カチオン界面活性剤、または双性イオン界面活性剤、ヒドロトロープまたはカップラー、ならびにそれらの組み合わせを含む、一つ又は複数の追加の機能性成分を含む。
【０１５８】
いくつかの実施形態では、組成物は、金属水酸化物、トリポリホスフェート、またはそれらの混合物、アミン、および一つ又は複数の追加の機能性成分をさらに含む。いくつかの他の実施形態では、組成物は、金属水酸化物、トリポリホスフェート、またはそれらの混合物、およびアミンをさらに含む。さらにいくつかの他の実施形態では、組成物は、アミン、および一つ又は複数の追加の機能性成分をさらに含む。追加の成分は、酸化剤、ビルダーまたは水質コンディショナー／水質調節剤、ペルオキシ酸およびその初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤および／またはキレート化剤、芳香剤および／または染料、レオロジー調整剤または増粘剤、非イオン界面活性剤、カチオン界面活性剤、または双性イオン界面活性剤、ヒドロトロープまたはカップラー、ならびにそれらの組み合わせであり得る。
【０１５９】
いくつかの実施形態では、組成物は、約２重量％〜約１５重量％、または約５重量％〜１０重量％の水質調節剤を含む。いくつかの他の実施形態では、組成物は、約０．１重量％〜約５重量％、約０．５重量％〜約４重量％、または約１重量％〜約３重量％の界面活性剤を含む。
【０１６０】
別の態様では、本開示は、アルカリ源、酵素、およびアミンホスホネート塩を含む固体洗剤組成物であって、アルカリ源が、金属炭酸塩、金属重炭酸塩、金属ケイ酸塩、またはそれらの混合物を含み、酵素が、プロテアーゼ、アミラーゼ、リパーゼ、セルラーゼ、ペルオキシダーゼ、グルコナーゼ、またはそれらの混合物であり、アミンホスホネート塩が、
【化２６】
2019529679.tif 000028
の式によって表されるホスホネートとアミンとの生成物であり、Ｒ１２が、ヒドロキシル、メチル、−ＰＯ（ＯＨ）２、−ＣＨ２ＣＯＯＨ、置換アルキル、ホスホネート、それらのエステル、それらの塩、またはそれらの誘導体であり、Ｒ１３が、ヒドロキシル、メチル、−ＰＯ（ＯＨ）２、−ＣＨ２ＣＯＯＨ、置換アルキル、ホスホネート、それらのエステル、それらの塩、またはそれらの誘導体であり、Ｒ１４が、ヒドロキシル、メチル、−ＰＯ（ＯＨ）２、−ＣＨ２ＣＯＯＨ、置換アルキル、ホスホネート、それらのエステル、またはそれらの誘導体であり、組成物の成分が混合され使用されて固体洗剤を生成する、固体洗剤組成物である。
【０１６１】
いくつかの実施形態では、固体洗剤は、注型プロセス、押出プロセス、またはプレスプロセスによって生成される。他の実施形態では、固体洗剤は、プレスプロセスによって生成される。いくつかの実施形態では、固体洗剤は、ブロック、錠剤、または粒状である。いくつかの他の実施形態では、固体洗剤は、多用途固体洗剤である。
【０１６２】
いくつかの実施形態では、固体洗剤は、寸法安定性を有し、１２２°Ｆの温度で加熱された場合に３％未満の増大指数を有する。いくつかの他の実施形態では、固体洗剤は、寸法安定性を有し、１２２°Ｆの温度で加熱された場合に２％未満の増大指数を有する。
【０１６３】
いくつかの他の実施形態では、Ｒ１２、Ｒ１３、およびＲ１４のうちの１つは、ヒドロキシル、メチル、−ＰＯ（ＯＨ）２、−ＣＨ２ＣＯＯＨ、それらのエステル、それらの塩、またはそれらの誘導体である。
【０１６４】
いくつかの実施形態では、アミンホスホネート塩のホスホネートは、ＰＯ（ＯＨ）２（Ｃ（ＣＨ２ＣＯＯＨ）３）、ＰＢＴＣである。他の実施形態では、アミンホスホネート塩のホスホネートは、Ｃ（ＣＨ３）（ＯＨ）（ＰＯ（ＯＨ）２）２、ＨＥＤＰである。さらに別の実施形態では、アミンホスホネート塩のアミンは、アルカノールアミン、モノエタノールアミン、ジエタノールアミン、トリエタノールアミン、エタノールアミン、イソプロピルアミン、またはそれらの混合物である。いくつかの他の実施形態では、アミンホスホネート塩のアミンは、Ｃ２〜６アルキルアミンまたはそれらの混合物である。アルキルアミンは、当然モノ−、ジ−、またはトリ−アミンであり得る。いくつかの実施形態では、組成物は、約０．５：１〜１：０．５のホスホネート対アミンのモル比を有する。
【０１６５】
いくつかの実施形態では、酵素は、プロテアーゼ、アミラーゼ、リパーゼ、またはそれらの混合物である。いくつかの他の実施形態では、酵素は、プロテアーゼ、アミラーゼ、またはそれらの混合物である。いくつかの実施形態では、酵素は、プロテアーゼ、リパーゼ、またはそれらの混合物である。いくつかの実施形態では、酵素はプロテアーゼである。いくつかの他の実施形態では、酵素は、アミラーゼ、リパーゼ、またはそれらの混合物である。いくつかの他の実施形態では、酵素はアミラーゼである。さらにいくつかの他の実施形態では、酵素はリパーゼである。
【０１６６】
いくつかの実施形態では、組成物のアルカリ源は、金属炭酸塩および金属重炭酸塩である。いくつかの他の実施形態では、金属炭酸塩対金属重炭酸塩のモル比は、約０．２５：１〜約１：０．２５、０．５：１〜１：０．５、または０．７５：１〜１：０．７５である。いくつかの他の実施形態では、アルカリ源は、金属炭酸塩である。いくつかの実施形態では、組成物のアルカリ源は、アルカリ金属炭酸塩およびアルカリ金属重炭酸塩である。いくつかの他の実施形態では、アルカリ金属炭酸塩対アルカリ金属重炭酸塩のモル比は、約０．５：１〜約１：０．５である。いくつかの実施形態では、アルカリ源は、アルカリ金属炭酸塩である。いくつかの実施形態では、組成物のアルカリ源は、炭酸ナトリウムおよび重炭酸ナトリウムである。いくつかの他の実施形態では、炭酸ナトリウム対重炭酸ナトリウムのモル比は、約０．５：１〜約１：０．５である。いくつかの実施形態では、アルカリ源は、炭酸ナトリウムである。
【０１６７】
いくつかの実施形態では、組成物は、約０．１重量％〜約５重量％、０．５重量％〜約３重量％、約１重量％〜約１．５重量％の酵素、約０．０１重量％〜約２重量％、０．０５重量％〜約１．５重量％、または０．１重量％〜約１重量％のアミンホスホネート塩であり、アミン塩が、
【化２７】
2019529679.tif 000029
の式によって表されるホスホネートとアミンとの生成物であり、約５０重量％〜約９５重量％、約５０重量％〜９０重量％、約６０重量％〜約９０重量％、約７０重量％〜約９０重量％、または約８０重量％〜約９０重量％のアルカリ源を含む。これらの実施形態のうちのいくつかでは、ホスホネートは、アルカノールアミンによるホスフォンブタントリカルボン酸（ＰＢＴＣ）の完全中和塩である。これらの実施形態のうちの他のいくつかでは、ホスホネートは、アルカノールアミンによる１−ヒドロキシエチリデン−１，１−ジホスホン酸（ＨＥＤＰ）の完全中和塩である。アルカノールアミンは、モノエタノールアミン、ジエタノールアミン、トリエタノールアミン、イソプロピルアミン、またはそれらの混合物であり得る。
【０１６８】
これらの実施形態のうちのいくつかでは、アルカリ源は、０．２５：１〜１：０．５、０．５：１〜１：０．５、または０．７５：１〜１：０．７５の比を有するアルカリ金属炭酸塩とアルカリ金属重炭酸塩との混合物である。これらの実施形態のうちの他のいくつかでは、アルカリ源は、アルカリ金属炭酸塩（全灰）である。いくつかの実施形態では、アミンホスホネート塩は、部分的にのみ中和されている。いくつかの他の実施形態では、アミンホスホネート塩は、アミンによって完全に中和されている。
【０１６９】
いくつかの実施形態では、固体洗剤組成物の使用溶液中で、酵素は、１２０°Ｆで少なくとも４時間の間、その活性の少なくとも１５％を保持する。いくつかの他の実施形態では、固体洗剤組成物の使用溶液中で、酵素は、１２０°Ｆで少なくとも４時間の間、その活性の少なくとも５０％を保持する。いくつかの実施形態では、固体洗剤組成物の使用溶液中で、酵素は、１２０°Ｆで少なくとも２４０分の間、その活性の少なくとも１５％、２０％、３０％、４０％、５０％、６０％、７０％、８０％、または９０％を保持する。
【０１７０】
いくつかの他の実施形態では、アミンホスホネート塩は、組成物の、約０．１重量％〜約３５重量％、０．１重量％〜約３０重量％、０．１重量％〜約２５重量％、０．１重量％〜約１５重量％、０．１重量％〜約１０重量％、０．１重量％〜約５重量％、約０．５重量％〜約５重量％、約０．１重量％〜約１重量％、約１重量％〜約１０重量％、０．１重量％〜約１重量％、約１重量％〜約５重量％、５重量％〜約１０重量％、１０重量％〜約１５重量％、約１５重量％〜約２０重量％、２０重量％〜約２５重量％、２５重量％〜約３０重量％、３０重量％〜約３５重量％、約０．１重量％、約０．５重量％、約１重量％、約２重量％、約３重量％、約４重量％、約５重量％、約６重量％、約７重量％、約８重量％、約９重量％、約１０重量％、約１５重量％、約２０重量％、約２５重量％、約３０重量％、約３２重量％、または約３５重量％の、約０．１〜３５重量％である。
【０１７１】
いくつかの実施形態では、組成物は、金属水酸化物、トリポリホスフェート、またはそれらの混合物をさらに含む。いくつかの他の実施形態では、組成物は、酸化剤、ビルダーまたは水質コンディショナー／水質調節剤、ペルオキシ酸およびその初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤および／またはキレート化剤、芳香剤および／または染料、レオロジー調整剤または増粘剤、非イオン界面活性剤、カチオン界面活性剤、または双性イオン界面活性剤、ヒドロトロープまたはカップラー、ならびにそれらの組み合わせを含む、一つ又は複数の追加の機能性成分をさらに含む。
【０１７２】
いくつかの実施形態では、組成物は、金属水酸化物、トリポリホスフェート、またはそれらの混合物、および一つ又は複数の追加の機能性成分をさらに含む。追加の成分は、酸化剤、ビルダーまたは水質コンディショナー／水質調節剤、ペルオキシ酸およびその初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤および／またはキレート化剤、芳香剤および／または染料、レオロジー調整剤または増粘剤、非イオン界面活性剤、カチオン界面活性剤、または双性イオン界面活性剤、ヒドロトロープまたはカップラー、ならびにそれらの組み合わせであり得る。
【０１７３】
いくつかの実施形態では、組成物は、約２重量％〜約１５重量％、または約５重量％〜１０重量％の水質調節剤を含む。いくつかの他の実施形態では、組成物は、約０．１重量％〜約５重量％、約０．５重量％〜約４重量％、または約１重量％〜約３重量％の界面活性剤を含む。
【０１７４】
追加の機能性成分
いくつかの実施形態では、本開示の組成物は、追加の成分を含有する。これらの成分は、固体または液体の形態であり得、したがって本開示の組成物の他の構成成分と混合され得る。
【０１７５】
機能性成分は、洗剤組成物に所望の特性および機能性を提供する。本出願の目的において、用語「機能性成分」としては、水溶液などの使用溶液および／または濃縮溶液中に、分散または溶解されるとき、特定の使用において有益な特性を提供する成分が挙げられる。機能性成分のいくつかの特定の例は、以下により詳細に論じられているが、論じられている特定の材料は、例としてのみ与えられており、その多様な他の機能性成分が使用されてもよい。例えば、以下に論じられている機能性成分のうちの多くは、浄化用途において使用される材料に関する。しかしながら、他の実施形態は、他の用途における使用のための機能性成分を含んでもよい。
【０１７６】
例示的な追加の機能性成分としては、例えば、洗剤ビルダー、キレート剤、閾値剤、結晶調整剤、硬化剤、漂白剤、充填剤、消泡剤、再付着防止剤、安定化剤、分散剤、ガラスおよび金属腐食阻害剤、芳香剤および染料、増粘剤などを含む、ビルダーまたは水質コンディショナー／水質調節剤が挙げられる。好適な追加の機能性成分のさらなる記載は、参照によりその全体が本明細書に組み込まれる米国特許出願第１２／９７７，３４０号に記載されている。
【０１７７】
いくつかの実施形態では、本開示の方法、プロセス、または組成物から生成されるブロックは、酸化剤、ペルオキシ酸およびその初期化剤、殺菌剤、消泡剤、再付着防止剤、漂白剤、溶解度調整剤、分散剤、閾値剤、結晶調整剤、ホスホネート、結合剤、すすぎ助剤、ポリマー、金属保護剤、安定化剤、腐食阻害剤、金属イオン封鎖剤および／またはキレート化剤、芳香剤および／または染料、レオロジー調整剤または増粘剤、アニオン界面活性剤、非イオン界面活性剤、カチオン界面活性剤、両性界面活性剤、双性イオン界面活性剤、ヒドロトロープまたはカップラー、ならびにそれらの組み合わせを含む、追加の機能性成分をさらに含む。
【０１７８】
アニオン界面活性剤
本開示に従った洗剤組成物の固体洗剤ブロックの分配速度を調整する方法、所定の分配速度で固体洗剤ブロックまたは圧縮固体組成物を生成するプロセスは、有効量の一つ又は複数のアニオン界面活性剤を含む第１の固体を含む。
【０１７９】
アニオン界面活性剤は、疎水性物質の電荷が負である表面活性物質、またはｐＨが中性以上に上昇しない限り（例えば、カルボン酸）、分子の疎水性区分が電荷を担持しない界面活性剤である。カルボキシレート、スルホネート、スルフェートおよびホスフェートは、アニオン界面活性剤中に見出される極性（親水性）可溶化基である。これらの極性基を伴うカチオン（対イオン）のうち、ナトリウム、リチウム、およびカリウムは、水溶性を付与し、アンモニウムおよび置換アンモニウムイオンは、水溶性および油溶性の両方を提供し、カルシウム、バリウム、およびマグネシウムは、油溶性を促進する。当業者には理解される通り、アニオンは、優れた洗浄性界面活性剤であるため、重質洗剤組成物への好ましい添加物である。
【０１８０】
本組成物における使用に好適なアニオン性スルフェート界面活性剤としては、アルキルエーテルスルフェート、アルキルスルフェート、直鎖および分岐第一級および第二級アルキルスルフェート、アルキルエトキシスルフェート、脂肪オレイルグリセロールスルフェート、アルキルフェノールエチレンオキシドエーテルスルフェート、Ｃ５〜Ｃ１７アシル−Ｎ−（Ｃ１〜Ｃ４アルキル）および−Ｎ−（Ｃ１〜Ｃ２ヒドロキシアルキル）グルカミンスルフェート、ならびにアルキルポリグルコシドのスルフェートなどのアルキルポリサッカリドのスルフェートなどが挙げられる。また、アルキルスルフェート、アルキルポリ（エチレンオキシ）エーテルスルフェート、および芳香族ポリ（エチレンオキシ）スルフェート、例えば、エチレンオキシドおよびノニルフェノール（通常１分子当たり１〜６個のオキシエチレン基を有する）のスルフェートまたは濃縮生成物も挙げられる。
【０１８１】
本組成物における使用に好適なアニオン性スルホネート界面活性剤としてはまた、アルキルスルホネート、直鎖および分岐第一級および第二級アルキルスルホネート、ならびに置換基を有するかまたは有しない芳香族スルホネートが挙げられる。
【０１８２】
本組成物における使用に好適なアニオン性カルボキシレート界面活性剤としては、アルカン酸（およびアルカノエート）、エステルカルボン酸（例えば、アルキルコハク酸）、エーテルカルボン酸などのカルボン酸（および塩）、スルホン化オレイン酸などのスルホン化脂肪酸などが挙げられる。かかるカルボキシレートとしては、アルキルエトキシカルボキシレート、アルキルアリールエトキシカルボキシレート、アルキルポリエトキシポリカルボキシレート界面活性剤、および石鹸（例えば、アルキルカルボキシル）が挙げられる。本組成物において有用な第二級カルボキシレートとしては、第二級炭素に接続されたカルボキシル単位を含有するものが挙げられる。第二級炭素は、例えば、ｐ−オクチル安息香酸におけるように、またはアルキル置換シクロヘキシルカルボキシレートにおけるように、環構造にあってもよい。第二級カルボキシレート界面活性剤は、典型的には、エーテル結合、エステル結合、およびヒドロキシル基を含有しない。さらに、それらは、典型的には、頭部基（両親媒性部分）内に窒素原子を欠く。好適な第二級石鹸界面活性剤は、典型的には、１１〜１３個の全炭素原子を含有するが、より多くの炭素原子（例えば、最大１６個）が存在してもよい。好適なカルボキシレートとしてはまた、アシルグルアメート（ａｃｙｌｇｌｕａｍａｔｅ）、アシルペプチド、サルコシネート（例えば、Ｎ−アシルサルコシネート）、タウレート（例えば、Ｎ−アシルタウレート、およびメチルタウリド（ｍｅｔｈｙｌ  ｔａｕｒｉｄｅ）の脂肪酸アミド）などのアシルアミノ酸（および塩）などが挙げられる。
【０１８３】
好適なアニオン界面活性剤は、以下の式のアルキルまたはアルキルアリールエトキシカルボキシレートを含む。
【化２８】
2019529679.tif 000030
式中、Ｒは、Ｃ８〜Ｃ２２アルキル基または
【化２９】
2019529679.tif 000031
であり、式中、Ｒ１は、Ｃ４〜Ｃ１６アルキル基であり、ｎは、１〜２０の整数であり、ｍは、１〜３の整数であり、Ｘは、水素、ナトリウム、カリウム、リチウム、アンモニウムなどの対イオンか、またはモノエタノールアミン、ジエタノールアミン、もしくはトリエタノールアミンなどのアミン塩である。いくつかの実施形態では、ｎは、４〜１０の整数であり、ｍは、１である。いくつかの実施形態では、Ｒは、Ｃ８〜Ｃ１６アルキル基である。いくつかの実施形態では、ＲはＣ１２〜Ｃ１４アルキル基であり、ｎは、４であり、ｍは、１である。
【０１８４】
他の実施形態では、Ｒは、
【化３０】
2019529679.tif 000032
であり、Ｒ１は、Ｃ６〜Ｃ１２アルキル基である。なおさらに他の実施形態では、Ｒ１は、Ｃ９アルキル基であり、ｎは１０であり、ｍは１である。
【０１８５】
そのようなアルキルおよびアルキルアリールエトキシカルボキシレートは、市販されている。これらのエトキシカルボキシレートは、典型的には、酸の形態として入手可能であり、それらは、アニオン性または塩の形態に容易に変換され得る。市販のカルボキシレートとしては、Ｎｅｏｄｏｘ  ２３−４、Ｃ１２〜１３アルキルポリエトキシ（４）カルボン酸（Ｓｈｅｌｌ  Ｃｈｅｍｉｃａｌ）、およびＥｍｃｏｌ  ＣＮＰ−１１０、Ｃ９アルキルアリールポリエトキシ（１０）カルボン酸（Ｗｉｔｃｏ  Ｃｈｅｍｉｃａｌ）が挙げられる。カルボキシレートはまた、例えば、製品Ｓａｎｄｏｐａｎ（登録商標）ＤＴＣ、Ｃ１３アルキルポリエトキシ（７）カルボン酸が、Ｃｌａｒｉａｎｔから入手可能である。
【０１８６】
非イオン界面活性剤
有用な非イオン界面活性剤は、一般に、有機疎水性基および有機親水性基の存在を特徴とし、典型的には、有機脂肪族、アルキル芳香族、またはポリオキシアルキレン疎水性化合物と、一般的には、エチレンオキシドまたはその多水和生成物（ｐｏｌｙｈｙｄｒａｔｉｏｎ  ｐｒｏｄｕｃｔ）、ポリエチレングリコールである親水性アルカリ性オキシド部分との縮合によって生成される。実際には、反応性水素原子を有するヒドロキシル、カルボキシル、アミノ、またはアミド基を有する任意の疎水性化合物が、エチレンオキシド、またはその多水和付加物、またはプロピレンオキシドなどのアルコキシレンとのその混合物と縮合して、非イオン性表面活性剤を形成し得る。任意の特定の疎水性化合物と縮合する親水性ポリオキシアルキレン部分の長さは、親水性特性と疎水性特性との間の所望の程度のバランスを有する水分散性または水溶性化合物を生成するように、容易に調節され得る。有用な非イオン界面活性剤は、以下を含む。
【０１８７】
開始剤反応性水素化合物としての、プロピレングリコール、エチレングリコール、グリセロール、トリメチロールプロパン、およびエチレンジアミン系のブロックポリオキシプロピレン−ポリオキシエチレンポリマー化合物を含む。開始剤の逐次的プロポキシル化およびエトキシル化から作製されるポリマー化合物の例は、ＢＡＳＦ  Ｃｏｒｐから市販されている。化合物の１つのクラスは、エチレンオキシドを、プロピレンオキシドをプロピレングリコールの２つのヒドロキシル基に付加することにより形成される疎水性塩基と縮合させることにより形成される、二官能性（２つの反応性水素）化合物である。分子のこの疎水性部分は、約１，０００〜約４，０００の分子量を有する。次いで、エチレンオキシドは、この疎水性物質を親水基の間に挟み込むように付加され、最終的な分子の約１０重量％〜約８０重量％を構成するように長さにより制御される。化合物の別のクラスは、プロピレンオキシドおよびエチレンオキシドのエチレンジアミンへの逐次的付加から得られる三官能性ブロックコポリマーである。プロピレンオキシドハイドロタイプ（ｈｙｄｒｏｔｙｐｅ）の分子量は、約５００〜約７，０００の範囲であり；親水性のエチレンオキシドは、分子の約１０重量％〜約８０重量％を構成するように付加される。
【０１８８】
直鎖もしくは分岐鎖構成の、または単一もしくは二重アルキル構成物質のアルキル鎖が約８〜約１８個の炭素原子を含有する１モルのアルキルフェノールの、約３〜約５０モルのエチレンオキシドとの縮合生成物。アルキル基は、例えば、ジイソブチレン、ジ−アミル、重合プロピレン、イソ−オクチル、ノニル、およびジ−ノニルにより代表され得る。これらの界面活性剤は、アルキルフェノールのポリエチレン、ポリプロピレン、およびポリブチレンオキシド縮合物であってもよい。この化学の商業的化合物の例は、Ｒｈｏｎｅ−Ｐｏｕｌｅｎｃ製のＩｇｅｐａｌ（登録商標）、およびＵｎｉｏｎ  Ｃａｒｂｉｄｅ製のＴｒｉｔｏｎ（登録商標）の商品名で市販されている。
【０１８９】
約６〜約２４個の炭素原子を有する、１モルの飽和または不飽和直鎖または分岐鎖アルコールの、約３〜約５０モルのエチレンオキシドとの縮合生成物。アルコール部分は、上述された炭素範囲内のアルコールの混合物からなり得るか、またはこの範囲内の特定の数の炭素原子を有するアルコールからなり得る。同様の商業的界面活性剤の例は、ＢＡＳＦ製のＬｕｔｅｎｓｏｌ（商標）、Ｄｅｈｙｄｏｌ（商標）、Ｓｈｅｌｌ  Ｃｈｅｍｉｃａｌ  Ｃｏ．製のＮｅｏｄｏｌ（商標）、およびＶｉｓｔａ  Ｃｈｅｍｉｃａｌ  Ｃｏ．製のＡｌｆｏｎｉｃ（商標）の商品名で入手可能である。
【０１９０】
約８〜約１８個の炭素原子を有する、１モルの飽和または不飽和直鎖または分岐鎖カルボン酸の、約６〜約５０モルのエチレンオキシドとの縮合生成物。酸部分は、上記に定義された炭素原子範囲内の酸の混合物からなり得るか、またはこの範囲内の特定の数の炭素原子を有する酸からなり得る。この化学の商業的化合物の例は、ＢＡＳＦ製のＤｉｓｐｏｎｉｌまたはＡｇｎｉｑｕｅ、およびＬｉｐｏ  Ｃｈｅｍｉｃａｌｓ，Ｉｎｃ．製のＬｉｐｏｐｅｇ（商標）の商品名で市販されている。
【０１９１】
一般的にポリエチレングリコールエステルと呼ばれるエトキシル化カルボン酸に加えて、グリセリド、グリセリンと、多価（サッカリドまたはソルビタン／ソルビトール）アルコールとの反応によって形成される他のアルカン酸エステルが、本開示における特別な実施形態への用途、特に間接的食品添加剤用途を有する。これらのエステル部分は全て、それらの分子上に、これらの物質の親水性を制御するためにさらなるアシル化またはエチレンオキシド（アルコキシド）追加に供され得る一つ又は複数の反応性水素部位を有する。これらの脂肪エステルまたはアシル化炭水化物を、アミラーゼおよび／またはリパーゼ酵素を含有する本開示の組成物に添加するとき、不適合性の可能性があるため、注意しなければならない。
【０１９２】
非イオン性低発泡性界面活性剤の例は：
エチレンオキシドをエチレングリコールに追加して、指定される分子量の親水性物質を提供し、次にプロピレンオキシドを追加して、分子の外側（端部）上に疎水性ブロックを得ることによって、改質され、本質的に逆にされた（１）からの化合物を含む。分子の疎水性部分は、約１，０００〜約３，１００の分子量を有し、中心の親水性物質は、最終的な分子の１０重量％〜約８０重量％を含む。これらの反転Ｐｌｕｒｏｎｉｃｓ（商標）は、ＢＡＳＦ  ＣｏｒｐｏｒａｔｉｏｎによりＰｌｕｒｏｎｉｃ（商標）Ｒ界面活性剤の商標で製造されている。同様に、Ｔｅｔｒｏｎｉｃ（商標）Ｒ界面活性剤は、ＢＡＳＦ  Ｃｏｒｐｏｒａｔｉｏｎにより、エチレンオキシドおよびプロピレンオキシドのエチレンジアミンへの逐次的付加によって製造されている。分子の疎水性部分は、約２，１００〜約６，７００の分子量を有し、中心の親水性物質は、最終的な分子の１０重量％〜約８０重量％を含む。
【０１９３】
プロピレンオキシド、ブチレンオキシド、塩化ベンジルなどの疎水性小分子；および１〜約５個の炭素原子を含有する短鎖脂肪酸、アルコールまたはアルキルハロゲン化物；ならびにそれらの混合物との反応により発泡を低減するために、（多官能性部分の）末端ヒドロキシ基（複数可）を「キャッピング」または「端部ブロッキング」することにより改質された、グループ（１）、（２）、（３）および（４）からの化合物。また、末端ヒドロキシ基を塩化物基に変換する塩化チオニルなどの反応物質も含まれる。末端ヒドロキシ基へのそのような修飾は、オールブロック、ブロック−ヘテリック、ヘテリック−ブロック、またはオールヘテリック非イオン性物質をもたらし得る。
【０１９４】
効果的な低発泡性非イオン性物質の追加の例は、以下を含む。
米国特許第２，９０３，４８６号のアルキルフェノキシポリエトキシアルカノールは、１９５９年９月８日にＢｒｏｗｎらに対して発行され、
【化３１】
2019529679.tif 000033
Ｒが、８〜９個の炭素原子のアルキル基であり、Ａが、３〜４個の炭素原子のアルキレン鎖であり、ｎが、７〜１６の整数であり、ｍが、１〜１０の整数である、式によって表される。
【０１９５】
末端疎水性鎖の重量、中間疎水性単位の重量、および連結親水性単位の重量が各々縮合物の約３分の１を表す、交互親水性オキシエチレン鎖および疎水性オキシプロピレン鎖を有する、米国特許第３，０４８，５４８号のポリアルキレングリコール縮合物は、１９６２年８月７日にＭａｒｔｉｎらに対して発行された。
【０１９６】
一般式Ｚ［（ＯＲ）ｎＯＨ］ｚ（式中、Ｚが、アルコキシル化可能な材料であり、Ｒが、エチレンおよびプロピレンであり得るアルキレンオキシドから誘導されたラジカルであり、ｎが、例えば、１０〜２，０００以上の整数であり、ｚが、反応性オキシアルキル化可能な基の数により決定される整数である）を有する、米国特許第３，３８２，１７８号に開示の消泡性非イオン界面活性剤は、１９６８年５月７日にＬｉｓｓａｎｔらに対して発行された。
【０１９７】
式Ｙ（Ｃ３Ｈ６Ｏ）ｎ（Ｃ２Ｈ４Ｏ）ｍＨ（式中、Ｙが、約１〜６個の炭素原子および１つの反応性水素原子を有する有機化合物の残基であり、ｎが、ヒドロキシル価により決定されるように少なくとも約６．４の平均値を有し、ｍが、オキシエチレン部分が分子の約１０重量％〜約９０重量％を構成するような値を有するような値を有する）に相当する、米国特許第２，６７７，７００号に記載の共役ポリオキシアルキレン化合物は、１９５４年５月４日にＪａｃｋｓｏｎらに対して発行された。
【０１９８】
式Ｙ［（Ｃ３Ｈ６Ｏｎ（Ｃ２Ｈ４Ｏ）ｍＨ］ｘ（式中、Ｙが約２〜６個の炭素原子を有し、ｘ個の反応性水素原子を含有する有機化合物の残基であり、ｘが、少なくとも約２の値を有し、ｎが、ポリオキシプロピレン疎水性塩基の分子量が少なくとも約９００であるような値を有し、ｍが、分子のオキシエチレン含有量が約１０重量％〜約９０重量％であるような値を有する）を有する米国特許第２，６７４，６１９号に記載の共役ポリオキシアルキレン化合物は、１９５４年４月６日にＬｕｎｄｓｔｅｄらに対して発行された。Ｙについての定義の範囲内に該当する化合物は、例えば、プロピレングリコール、グリセリン、ペンタエリスリトール、トリメチロールプロパン、エチレンジアミンなどを含む。オキシプロピレン鎖は、任意選択的であるが、有益なことに、少量のエチレンオキシドを含有し、オキシエチレン鎖もまた、任意選択的であるが、有益なことに、少量のプロピレンオキシドを含有する。
【０１９９】
本開示の組成物において有益に使用される追加の共役ポリオキシアルキレン表面活性剤は、式：Ｐ［（Ｃ３Ｈ６Ｏ）ｎ（Ｃ２Ｈ４Ｏ）ｍＨ］ｘに相当し、式中、Ｐが、約８〜１８個の炭素原子を有し、ｘ個の反応性水素原子を含有する有機化合物の残基であり、ｘが、１または２の値を有し、ｎが、ポリオキシエチレン部分の分子量が少なくとも約４４であるような値を有し、ｍが、分子のオキシプロピレン含有量が約１０重量％〜約９０重量％であるような値を有する。いずれの場合においても、オキシプロピレン鎖は、任意選択的ではあるが、有益なことに、少量のエチレンオキシドを含有してもよく、オキシエチレン鎖もまた、任意選択的ではあるが、有益なことに、少量のプロピレンオキシドを含有してもよい。
【０２００】
本組成物における使用に好適なポリヒドロキシ脂肪酸アミド界面活性剤は、構造式Ｒ２ＣＯＮＲ１Ｚを有するものを含み、式中、Ｒ１がＨ、Ｃ１〜Ｃ４ヒドロカルビル、２−ヒドロキシエチル、２−ヒドロキシプロピル、エトキシ、プロポキシ基、またはそれらの混合であり；Ｒ２が直鎖であってもよいＣ５〜Ｃ３１ヒドロカルビルであり；Ｚが鎖に直接接続された少なくとも３つのヒドロキシルを有するヒドロカルビル直鎖を有するポリヒドロキシヒドロカルビル、またはそのアルコキシル化誘導体（好ましくはエトキシル化もしくはプロポキシル化）である。Ｚは、グリシチル部分など、還元アミン化反応において還元糖から得られ得る。
【０２０１】
脂肪族アルコールの約０〜約２５モルのエチレンオキシドとのアルキルエトキシレート縮合生成物は、本組成物における使用に好適である。脂肪族アルコールのアルキル鎖は、直鎖もしくは分岐鎖、第一級もしくは第二級であり得、また一般に６〜２２個の炭素原子を含有する。
【０２０２】
エトキシル化Ｃ６〜Ｃ１８脂肪アルコールならびにＣ６〜Ｃ１８混合エトキシル化およびプロポキシル化脂肪アルコールは、特に水溶性のものは、本組成物における使用に好適な界面活性剤である。好適なエトキシル化脂肪アルコールは、３〜５０のエトキシル化度を有するＣ６〜Ｃ１８エトキシル化脂肪アルコールを含む。
【０２０３】
特に本組成物における使用に好適な非イオン性アルキルポリサッカリド界面活性剤としては、１９８６年１月２１日発行の米国特許第４，５６５，６４７号、Ｌｌｅｎａｄｏに開示されているものが挙げられる。これらの界面活性剤は、約６〜約３０個の炭素原子を含有する疎水基、および約１．３〜約１０のサッカリド単位を含有するポリサッカリド、例えばポリグリコシド親水基を含む。５または６個の炭素原子を含有する任意の還元サッカリドが使用されてもよく、例えば、グルコース、ガラクトースおよびガラクトシル部分がグルコシル部分と置換されてもよい。（任意選択的に、疎水基は２−、３−、４−などの位置に結合し、グルコシドまたはガラクトシドとは対照的にグルコースまたはガラクトースを生成する。）サッカリド間の結合は、例えば、追加のサッカリド単位の１つの位置と、その前のサッカリド単位上の２−、３−、４−、および／または６−の位置との間であり得る。
【０２０４】
本組成物における使用に好適な脂肪酸アミド界面活性剤は、式：Ｒ６ＣＯＮ（Ｒ７）２を有するものを含み、式中、Ｒ６が７〜２１個の炭素原子を含有するアルキル基であり、各Ｒ７が、独立して水素、Ｃ１〜Ｃ４アルキル、Ｃ１〜Ｃ４ヒドロキシアルキル、または−−（Ｃ２Ｈ４Ｏ）ＸＨであり、ｘが１〜３の範囲内である。
【０２０５】
非イオン界面活性剤の有用なクラスは、アルコキシル化アミン、または、最も具体的には、アルコールアルコキシル化／アミノ化／アルコキシル化界面活性剤として定義されるクラスを含む。これらの非イオン性界面活性剤は、少なくとも部分的に、一般式：Ｒ２０−−（ＰＯ）ＳＮ−−（ＥＯ）ｔＨ、Ｒ２０−−（ＰＯ）ＳＮ−−（ＥＯ）ｔＨ（ＥＯ）ｔＨ、およびＲ２０−−Ｎ（ＥＯ）ｔＨにより表され得、式中、Ｒ２０がアルキル、アルケニルもしくは他の脂肪族基、または８〜２０個、好ましくは１２〜１４個の炭素原子のアルキル−アリール基であり、ＥＯがオキシエチレンであり、ＰＯがオキシプロピレンであり、ｓが１〜２０、好ましくは２〜５であり、ｔは、１〜１０、好ましくは２〜５であり、ｕは、１〜１０、好ましくは２〜５である。これらの化合物の範囲における他の変形例は、代替の式：Ｒ２０−−（ＰＯ）Ｖ−−Ｎ［（ＥＯ）ｗＨ］［（ＥＯ）ｚＨ］により表され得、式中、Ｒ２０が上で定義された通りであり、ｖが１〜２０（例えば、１、２、３、または４（好ましくは２））であり、ｗおよびｚが、独立して１〜１０、好ましくは２〜５である。これらの化合物は、商業的には、非イオン性界面活性剤としてＨｕｎｔｓｍａｎ  Ｃｈｅｍｉｃａｌｓにより販売されている製品ラインにより代表される。このクラスの好ましい化学薬品は、Ｓｕｒｆｏｎｉｃ（商標）ＰＥＡ２５アミンアルコキシレートを含む。本開示の組成物に好ましい非イオン界面活性剤としては、アルコールアルコキシレート、ＥＯ／ＰＯブロックコポリマー、アルキルフェノールアルコキシレートなどが挙げられる。
【０２０６】
論文「Ｎｏｎｉｏｎｉｃ  Ｓｕｒｆａｃｔａｎｔｓ」、Ｓｃｈｉｃｋ，Ｍ．Ｊ．編、Ｓｕｒｆａｃｔａｎｔ  Ｓｃｉｅｎｃｅ  Ｓｅｒｉｅｓの第１巻、Ｍａｒｃｅｌ  Ｄｅｋｋｅｒ，Ｉｎｃ．，ニューヨーク、１９８３年は、本開示の実践において一般に用いられる多様な非イオン性化合物に関する優れた参考文献である。非イオン性のクラス、およびこれらの界面活性剤の種の典型的なリストは、１９７５年１２月３０日にＬａｕｇｈｌｉｎおよびＨｅｕｒｉｎｇに対して発行された米国特許第３，９２９，６７８号に与えられている。さらなる例は、「Ｓｕｒｆａｃｅ  Ａｃｔｉｖｅ  Ａｇｅｎｔｓ  ａｎｄ  ｄｅｔｅｒｇｅｎｔｓ」（第Ｉ巻および第ＩＩ巻、Ｓｃｈｗａｒｔｚ、ＰｅｒｒｙおよびＢｅｒｃｈ著）に与えられている。
【０２０７】
半極性非イオン界面活性剤
半極性タイプの非イオン表面活性剤は、本開示の組成物において有用な別のクラスの非イオン界面活性剤である。一般に、半極性非イオン性物質は、高発泡物質および泡安定剤であり、これはＣＩＰシステムにおけるそれらの適用を制限し得る。しかしながら、高発泡浄化方法用に設計された本開示の組成上の実施形態では、半極性非イオン性物質は、即時的な実用性を有する。半極性非イオン界面活性剤は、アミンオキシド、ホスフィンオキシド、スルホキシドおよびそれらのアルコキシル化誘導体を含む。
【０２０８】
アミンオキシドは、一般式、
【化３２】
2019529679.tif 000034
式中、矢印は、半極性結合の従来の表現であり；Ｒ１、Ｒ２、およびＲ３は、脂肪族、芳香族、複素環式、脂環式、またはそれらの組み合わせであってもよい。一般に、対象の洗剤のアミンオキシドに関して、Ｒ１は、約８〜約２４個の炭素原子のアルキルラジカルであり、Ｒ２およびＲ３は、１〜３個の炭素原子のアルキルもしくはヒドロキシアルキル、またはそれらの混合物であり、Ｒ２およびＲ３は、例えば、酸素または窒素原子を通して互いに結合されて、環構造を形成し得、Ｒ４は、２〜３個の炭素原子を含有するアルキレンまたはヒドロキシアルキレン基であり、ｎは、０〜約２０の範囲である。
【０２０９】
有用な水溶性アミンオキシド界面活性剤は、ヤシまたはタロウアルキルジ−（低級アルキル）アミンオキシドから選択され、その具体例は、ドデシルジメチルアミンオキシド、トリデシルジメチルアミンオキシド、エトラデシル（ｅｔｒａｄｅｃｙｌ）ジメチルアミンオキシド、ペンタデシルジメチルアミンオキシド、ヘキサデシルジメチルアミンオキシド、ヘプタデシルジメチルアミンオキシド、オクタデシルジメチルアイン（ｄｉｍｅｔｈｙｌａｉｎｅ）オキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシドおよび３−ドデコキシ−２−ヒドロキシプロピルジ−（２−ヒドロキシエチル）アミンオキシドである。
【０２１０】
有用な半極性非イオン界面活性剤はまた、以下の構造を有する水溶性ホスフィンオキシドを含む。
【化３３】
2019529679.tif 000035
式中、矢印は、半極性結合の従来の表現であり；Ｒ１は、１０〜約２４個の炭素原子の鎖長範囲のアルキル、アルケニルまたはヒドロキシアルキル部分であり；Ｒ２およびＲ３は、それぞれ、１〜３個の炭素原子を含有するアルキルまたはヒドロキシアルキル基から別個の選択されるアルキル部分である。
【０２１１】
有用なホスフィンオキシドの例としては、ジメチルデシルホスフィンオキシド、ジメチルテトラデシルホスフィンオキシド、メチルエチルテトラデシルホスフィンオキシド、ジメチルヘキサデシルホスフィンオキシド、ジエチル−２−ヒドロキシオクチルデシルホスフィンオキシド、ビス（２−ヒドロキシエチル）ドデシルホスフィンオキシド、およびビス（ヒドロキシメチル）テトラデシルホスフィンオキシドが挙げられる。
【０２１２】
本明細書において有用な半極性非イオン界面活性剤はまた、以下の構造を有する水溶性スルホキシド化合物を含む。
【化３４】
2019529679.tif 000036
式中、矢印は、半極性結合の従来の表現であり；Ｒ１は、約８〜約２８個の炭素原子のアルキルまたはヒドロキシアルキル部分、０〜約５個のエーテル連結部、および０〜約２個のヒドロキシル置換基であり；Ｒ２は、１〜３個の炭素原子を有するアルキルおよびヒドロキシアルキル基からなるアルキル部分である。
【０２１３】
これらのスルホキシドの有用な例としては、ドデシルメチルスルホキシド；３−ヒドロキシトリデシルメチルスルホキシド；３−メトキシトリデシルメチルスルホキシド；および３−ヒドロキシ−４−ドデコキシブチルメチルスルホキシドが挙げられる。
【０２１４】
本開示の組成物用の半極性非イオン界面活性剤としては、ラウリルジメチルアミンオキシド、ミリスチルジメチルアミンオキシド、セチルジメチルアミンオキシド、それらの組み合わせなどのジメチルアミンオキシドなどをが挙げられる。有用な水溶性アミンオキシド界面活性剤は、オクチル、デシル、ドデシル、イソドデシル、ヤシ、または獣脂アルキルジ−（低級アルキル）アミンオキシドから選択され、それらの具体例は、オクチルジメチルアミンオキシド、ノニルジメチルアミンオキシド、デシルジメチルアミンオキシド、ウンデシルジメチルアミンオキシド、ドデシルジメチルアミンオキシド、イソ−ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアインオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシド、および３−ドデコキシ−２−ヒドロキシプロピルジ−（２−ヒドロキシエチル）アミンオキシドから選択される。
【０２１５】
本開示の組成物と共に使用するのに好適な、好適な非イオン界面活性剤としては、アルコキシル化界面活性剤が挙げられる。好適なアルコキシル化界面活性剤としては、ＥＯ／ＰＯコポリマー、末端処理ＥＯ／ＰＯコポリマー、アルコールアルコキシレート、末端処理アルコールアルコキシレート、またはそれらの混合物、または同様のものが挙げられる。溶剤として使用するのに好適なアルコキシル化界面活性剤としては、Ｐｌｕｒｏｎｉｃおよび逆Ｐｌｕｒｏｎｉｃ界面活性剤などのＥＯ／ＰＯブロックコポリマー、Ｄｅｈｙｐｏｎ  ＬＳ−５４（Ｒ−（ＥＯ）５（ＰＯ）４）およびＤｅｈｙｐｏｎ  ＬＳ−３６（Ｒ−（ＥＯ）３（ＰＯ）６）などのアルコールアルコキシレート、ならびにＰｌｕｒａｆａｃ  ＬＦ２２１およびＴｅｇｏｔｅｎ  ＥＣ１１などの末端処理アルコールアルコキシレート、それらの混合物、または同様のものが挙げられる。
【０２１６】
カチオン界面活性剤
表面活性物質は、分子のヒドロトロープ部分上の電荷が正である場合、カチオン性と分類される。ヒドロトロープは、ｐＨが中性近く、またはそれ以下まで下げられない限り電荷を帯びないが、その後陽イオン（例えばアルキルアミン）である界面活性剤も、この群に含まれる。理論的には、カチオン界面活性剤は、「オニウム」構造ＲｎＸ＋Ｙ−−を含有する元素のいずれの組み合わせからも合成され得、リン（ホスホニウム）および硫黄（スルホニウム）などの窒素（アンモニウム）以外の化合物を含み得る。実際には、カチオン界面活性剤の分野は、恐らく、窒素のカチオン界面活性剤への合成経路が単純かつ容易であり、高収率の生成物を与え、これが、窒素のカチオン界面活性剤をより安価にするために、窒素含有化合物によって支配されている。
【０２１７】
カチオン界面活性剤は、好ましくは、少なくとも１つの長い炭素鎖疎水性基および少なくとも１つの正電荷を帯びた窒素を含有する化合物を含み、より好ましくはこれを指す。長い炭素鎖基は、単純な置換によって窒素原子に直接結合されてもよく、またはより好ましくは、所謂中断アルキルアミンおよびアミドアミン内の架橋官能基（複数可）によって間接的に結合されてもよい。かかる官能基は、分子を、より親水性および／もしくはより水分散性にし、共界面活性剤混合物によって水により溶解され易くし、かつ／または水溶性にすることができる。水溶性の増大のために、追加的な一級、二級、もしくは三級アミノ基が導入され得るか、またはアミノ窒素が、低分子量アルキル基を用いて四級化され得る。さらに、窒素は、多様な不飽和度の分岐鎖もしくは直鎖部分の一部、または飽和もしくは不飽和複素環式環の一部であり得る。それに加えて、カチオン界面活性剤は、２つ以上のカチオン性窒素原子を有する複雑な結合を含有し得る。
【０２１８】
アミンオキシド、両性、及び双性イオンとして分類される界面活性剤化合物は、それ自体は、典型的には中性近くから酸性ｐＨの溶液中でカチオン性であり、界面活性剤の分類と重複する。ポリオキシエチル化カチオン界面活性剤は、一般に、アルカリ性溶液中で非イオン界面活性剤のように、および酸性溶液中でカチオン界面活性剤のように挙動する。
【０２１９】
最も単純なカチオン性アミンであるアミン塩および四級アンモニウム化合物は、以下のように概略的に描写され得、
【化３５】
2019529679.tif 000037
式中、Ｒは、アルキル鎖を表し、Ｒ’、Ｒ’‘、およびＲ’‘‘は、アルキル鎖もしくはアリール基のいずれか、または水素でもよく、Ｘは、陰イオンを表す。アミン塩および四級アンモニウム化合物は、それらの高い水溶性度に起因して、本開示における実践的使用に好ましい。
【０２２０】
大量の商業用カチオン界面活性剤の大部分は、当業者に既知の４つの主なクラスおよび追加の部分群に細分されることができ、「Ｓｕｒｆａｃｔａｎｔ  Ｅｎｃｙｃｌｏｐｅｄｉａ」，Ｃｏｓｍｅｔｉｃｓ＆Ｔｏｉｌｅｔｒｉｅｓ，Ｖｏｌ．１０４（２）８６−９６（１９８９）に記載されている。第１のクラスは、アルキルアミンおよびそれらの塩を含む。第２のクラスは、アルキルイミダゾリンを含む。第３のクラスは、エトキシル化アミンを含む。第４のクラスは、例えば、アルキルベンジルジメチルアンモニウム塩、アルキルベンゼン塩、複素環アンモニウム塩、テトラアルキルアンモニウム塩などの四級物（ｑｕａｔｅｒｎａｒｙ）を含む。カチオン界面活性剤は、本組成物において有益であり得る多様な特性を有することが知られている。これらの望ましい特性としては、中性ｐＨ以下の組成物における洗浄力、抗微生物性有効性、他の薬剤と連携した増粘またはゲル化などが挙げられ得る。
【０２２１】
本開示の組成物において有用なカチオン界面活性剤としては、式Ｒ１ｍＲ２ｘＹＬＺを有するものが挙げられ、式中、各Ｒ１が、最大３個のフェニルまたはヒドロキシ基で任意選択的に置換され、以下の構造のうちの最大４つ、
【化３６】
2019529679.tif 000038
またはこれらの構造の異性体もしくは混合物によって任意選択的に中断された直鎖または分岐アルキルまたはアルケニル基を含有する有機基であり、それは、約８〜２２個の炭素原子を含有する。Ｒ１基は、追加的に最大１２個のエトキシ基を含有し得る。ｍは、１〜３の数字である。好ましくは、分子中の１個以下のＲ１基は、ｍが２であるときに１６個以上の炭素原子を有するか、またはｍが３であるときに１２個超の炭素原子を有する。各Ｒ２は、１〜４個の炭素原子またはベンジル基を含有するアルキルまたはヒドロキシアルキル基であり、かつ分子中の１個以下のＲ２は、ベンジルであり、ｘは、０〜１１、好ましくは０〜６の数字である。Ｙ基上の任意の炭素原子位置の残りは、水素によって充填される。
【０２２２】
Ｙは、限定されるものではないが、
【化３７】
2019529679.tif 000039
またはそれらの混合物を含む基であり得る。好ましくは、Ｌは、１または２であり、かつＹ基は、Ｌが２であるとき、１〜約２２個の炭素原子と２個の遊離炭素単結合とを有するＲ１およびＲ２類似体（好ましくはアルキレンまたはアルケニレン）から選択される部分によって分離されている。Ｚは、ハロゲン化物アニオン、硫酸アニオン、メチル硫酸アニオン、水酸化物アニオン、または硝酸アニオンなどの水溶性アニオンであり、特に塩化物アニオン、臭化物アニオン、ヨウ化物アニオン、硫酸アニオン、またはメチル硫酸アニオンが、カチオン性構成成分の電気的中性を与える数において好ましい。
【０２２３】
両性界面活性剤
両性（Ａｍｐｈｏｔｅｒｉｃ）または両性（ａｍｐｈｏｌｙｔｉｃ）界面活性剤は、塩基性親水性基および酸性親水性基の両方、ならびに有機疎水性基を含有する。これらのイオンの実体は、他のタイプの界面活性剤に関して本明細書に説明される陰イオン基または陽イオン基のうちのいずれかであり得る。塩基性窒素および酸性カルボキシレート基は、塩基性親水性基および酸性親水性基として用いられる典型的な官能基である。少数の界面活性剤において、スルホネート、スルフェート、ホスホネート、またはホスフェートは、負電荷をもたらす。
【０２２４】
両性界面活性剤は、脂肪族ラジカルが直鎖であっても分岐鎖であってもよく、かつ脂肪族置換基のうちの１つが約８〜１８個の炭素原子を含有し、１つが、アニオン性水溶化基、例えば、カルボキシ、スルホ、スルファト（ｓｕｌｆａｔｏ）、ホスファト、またはホスホノを含有する、脂肪族第二級アミンおよび脂肪族第三級アミンの誘導体であると広く説明され得る。両性界面活性剤は、当業者に既知の２つの主なクラスに細分され、本明細書にその全体が参照により組み込まれる、「Ｓｕｒｆａｃｔａｎｔ  Ｅｎｃｙｃｌｏｐｅｄｉａ」Ｃｏｓｍｅｔｉｃｓ＆Ｔｏｉｌｅｔｒｉｅｓ，Ｖｏｌ．１０４（２）６９−７１（１９８９）に記載されている。第１のクラスには、アシル／ジアルキルエチレンジアミン誘導体（例えば２−アルキルヒドロキシエチルイミダゾリン誘導体）およびそれらの塩が含まれる。第２のクラスには、Ｎ−アルキルアミノ酸およびそれらの塩が含まれる。いくつかの両性界面活性剤は、両方のクラスに当てはまることが想定され得る。
【０２２５】
両性界面活性剤は、当業者に既知の方法で合成され得る。例えば、２−アルキルヒドロキシエチルイミダゾリンは、長鎖カルボン酸（または誘導体）と、ジアルキルエチレンジアミンとの縮合および閉環によって合成される。商業用両性界面活性剤は、例えば、クロロ酢酸または酢酸エチルでのアルキル化によるイミダゾリン環の連続的加水分解および開環によって誘導体化される。アルキル化の間に、１または２つのカルボキシ−アルキル基が反応して、第三級アミンおよびエーテル結合を形成し、異なるアルキル化剤が、異なる第三級アミンを生じる。
【０２２６】
本開示において応用性がある長鎖イミダゾール誘導体は、一般に、以下の一般式を有する。
【化３８】
2019529679.tif 000040
中性ｐＨ双性イオン
両性スルホネート
【化３９】
2019529679.tif 000041
式中、Ｒは、約８〜１８個の炭素原子を含有する非環式疎水性基であり、Ｍは、陰イオン、一般的にはナトリウムの電荷を中和するための陽イオンである。本組成物に用いることのできる商業的に有名なイミダゾリン由来の両性物質としては、例えば、ココアンホプロピオネート、ココアンホカルボキシ−プロピオネート、ココアンホグリシネート、ココアンホカルボキシ−グリシネート、ココアンホプロピル−スルホネート、およびココアンホカルボキシ−プロピオン酸が挙げられる。アンホカルボン酸は、アンホジカルボン酸のジカルボン酸官能基がアセト酢酸および／またはジプロピオン酸である脂肪イミダゾリンから生成することができる。
【０２２７】
本明細書で上述されるカルボキシメチル化化合物（グリシン酸塩）は、しばしばベタインと呼ばれる。ベタインは、本明細書において双性界面活性剤という表題の節において以下で論じられる、両性のものの特別のクラスである。
【０２２８】
長鎖Ｎ−アルキルアミノ酸は、反応ＲＮＨ２によって容易に調製され、式中、Ｒ＝Ｃ８〜Ｃ１８直鎖または分岐鎖アルキル、ハロゲン化カルボン酸を有する脂肪族アミンである。アミノ酸の第一級アミノ基のアルキル化は、第二級アミンおよび第三級アミンをもたらす。アルキル置換基は、２つ以上の反応性窒素中心をもたらす追加のアミノ基を有してもよい。最も商業的なＮ−アルキルアミン酸は、ベータ−アラニンまたはベータ−Ｎ（２−カルボキシエチル）アラニンのアルキル誘導体である。本開示での応用性を有する商業用Ｎ−アルキルアミノ酸両性電解質の例としては、アルキルベータ−アミノジプロピオネート、ＲＮ（Ｃ２Ｈ４ＣＯＯＭ）２、およびＲＮＨＣ２Ｈ４ＣＯＯＭが挙げられる。一実施形態では、Ｒは、約８〜約１８個の炭素原子を含有する非環式疎水性基であり得、Ｍは、陰イオンの電荷を中和するための陽イオンである。
【０２２９】
好適な両性界面活性剤には、ココナツ油またはココナツ脂肪酸などのココナツ生成物由来のものが含まれる。追加の好適なココナツ由来の界面活性剤には、これらの構造の一部として、エチレンジアミン部分、アルカノールアミド部分、アミノ酸部分、例えば、グリシン、またはそれらの組み合わせ、および約８〜１８個（例えば、１２個）の炭素原子の脂肪族置換基が含まれる。そのような界面活性剤は、アルキルアンホジカルボン酸とも見なされ得る。これらの両性界面活性剤は、Ｃ１２−アルキル−Ｃ（Ｏ）−ＮＨ−ＣＨ２−ＣＨ２−Ｎ＋（ＣＨ２−ＣＨ２−ＣＯ２Ｎａ）２−ＣＨ２−ＣＨ２−ＯＨまたはＣ１２−アルキル−Ｃ（Ｏ）−Ｎ（Ｈ）−ＣＨ２−ＣＨ２−Ｎ＋（ＣＨ２−ＣＯ２Ｎａ）２−ＣＨ２−ＣＨ２−ＯＨと表される化学構造を含み得る。二ナトリウムココアンホジプロピオネートは、１つの好適な両性界面活性剤であり、Ｒｈｏｄｉａ  Ｉｎｃ．，Ｃｒａｎｂｕｒｙ，Ｎ．Ｊ．製のＭｉｒａｎｏｌ（商標）ＦＢＳの商標名の下で市販されている。化学名二ナトリウムココアンホジアセテートを有する別の好適なココナツ由来の両性界面活性剤が、同様にＲｈｏｄｉａ  Ｉｎｃ．，Ｃｒａｎｂｕｒｙ，Ｎ．Ｊ．製のＭｉｒａｔａｉｎｅ（商標）ＪＣＨＡの商標名の下で販売されている。
【０２３０】
両性のクラス、およびこれらの界面活性剤の種の典型的なリストは、１９７５年１２月３０日にＬａｕｇｈｌｉｎおよびＨｅｕｒｉｎｇに対して発行された米国特許第３，９２９，６７８号に与えられている。さらなる例は、「Ｓｕｒｆａｃｅ  Ａｃｔｉｖｅ  Ａｇｅｎｔｓ  ａｎｄ  Ｄｅｔｅｒｇｅｎｔｓ」（Ｓｃｈｗａｒｔｚ、ＰｅｒｒｙおよびＢｅｒｃｈによるＶｏｌ．ＩおよびＩＩ）に与えられている。これらの参考文献の各々は、本明細書にそれらの全体が参照により組み込まれる。
【０２３１】
双性イオン界面活性剤
双性イオン性界面活性剤は、両性界面活性剤のサブセットと捉えられ得、陰イオン電荷を含み得る。双性イオン性界面活性剤は、第二級および第三級アミンの誘導体、複素環式の第二級および第三級アミンの誘導体、または第四級アンモニウム、第四級ホスホニウム、もしくは第三級スルホニウム化合物の誘導体と広く説明され得る。典型的には、双性イオン性界面活性剤は、正電荷を持つ第四級アンモニウム、または場合によっては、スルホニウムもしくはホスホニウムイオンと、負電荷を持つカルボキシル基と、アルキル基とを含む。双性イオンは、一般に、分子のなど電領域で略等しい度合いまでイオン化し、正電荷−負電荷中心の間に強い「分子内塩」引力を発生し得る陽イオン基および陰イオン基を含有する。そのような双性イオン性の合成界面活性剤の例としては、脂肪族ラジカルが直鎖であっても分岐であってもよく、脂肪族置換基のうちの１つが８〜１８個の炭素原子を含有し、１つが陰イオン性水溶化基、例えば、カルボキシ、スルホネート、スルフェート、ホスフェート、またはホスホネートを含有する、脂肪族第四級アンモニウム、ホスホニウム、およびスルホニウム化合物の誘導体が挙げられる。
【０２３２】
ベタインおよびスルタイン界面活性剤が、本明細書で使用するための、例示的な双性イオン界面活性剤である。これらの化合物の一般式は、
【化４０】
2019529679.tif 000042
であり、式中、Ｒ１は、０〜１０個のエチレンオキシド部分および０〜１つのグリセリル部分を有する８〜１８個の炭素原子のアルキル、アルケニル、またはヒドロキシアルキルラジカルを含有し、Ｙは、窒素、リン、および硫黄原子からなる群から選択され、Ｒ２は、１〜３個の炭素原子を含有するアルキルまたはモノヒドロキシアルキル基であり、ｘは、Ｙが硫黄原子であるとき１であり、Ｙが窒素またはリン原子であるとき２であり、Ｒ３は、１〜４個の炭素原子のアルキレンまたはヒドロキシアルキレンまたはヒドロキシアルキレンであり、Ｚは、カルボキシレート、スルホネート、スルフェート、ホスホネート、およびホスフェート基からなる群から選択されるラジカルである。
【０２３３】
上記の構造を有する双性イオン界面活性剤の例としては、４−［Ｎ，Ｎ−ジ（２−ヒドロキシエチル）−Ｎ−オクタデシルアンモニオ］−ブタン−１−カルボキシレート、５−［Ｓ−３−ヒドロキシプロピル−Ｓ−ヘキサデシルスルホニオ］−３−ヒドロキシペンタン−１−スルフェート、３−［Ｐ，Ｐ−ジエチル−Ｐ−３，６，９−トリオキサテトラコサンホスホニオ］−２−ヒドロキシプロパン−１−ホスフェート、３−［Ｎ，Ｎ−ジプロピル−Ｎ−３−ドデコキシ−２−ヒドロキシプロピル−アンモニオ］−プロパン−１−ホスホネート、３−（Ｎ，Ｎ−ジメチル−Ｎ−ヘキサデシルアンモニオ）−プロパン−１−スルホネート、３−（Ｎ，Ｎ−ジメチル−Ｎ−ヘキサデシルアンモニオ）−２−ヒドロキシ−プロパン−１−スルホネート、４−［Ｎ，Ｎ−ジ（２（２−ヒドロキシエチル）−Ｎ（２−ヒドロキシドデシル）アンモニオ］−ブタン−１−カルボキシレート、３−［Ｓ−エチル−Ｓ−（３−ドデコキシ−２−ヒドロキシプロピル）スルホニオ］−プロパン−１−ホスフェート、３−［Ｐ，Ｐ−ジメチル−Ｐ−ドデシルホスホニオ］−プロパン−１−ホスホネート、およびＳ［Ｎ，Ｎ−ジ（３−ヒドロキシプロピル）−Ｎ−ヘキサデシルアンモニオ］−２−ヒドロキシ−ペンタン−１−スルフェートが挙げられる。該洗剤界面活性剤に含有されるアルキル基は、直鎖または分岐鎖でもよく、飽和または不飽和であり得る。
【０２３４】
本組成物における使用に好適な双性イオン界面活性剤には、一般構造のベタインが含まれる。
【化４１】
2019529679.tif 000043
【０２３５】
これらの界面活性剤ベタインは、典型的に、極度のｐＨで強いカチオン性のまたはアニオン性の特徴を呈さず、それらの等電範囲で水溶性の低減をも示さない。「外部」第四級アンモニウム塩とは異なり、ベタインは、陰イオンと共生できる。好適なベタインの例としては、ココナツアシルアミドプロピルジメチルベタイン、ヘキサデシルジメチルベタイン、Ｃ１２〜１４アシルアミドプロピルベタイン、Ｃ８〜１４アシルアミドヘキシルジエチルベタイン、４−Ｃ１４〜１６アシルメチルアミドジエチルアンモニオ−１−カルボキシブタン、Ｃ１６〜１８アシルアミドジメチルベタイン、Ｃ１２〜１６アシルアミドペンタンジエチルベタイン、およびＣ１２〜１６アシルメチルアミドジメチルベタインが挙げられる。
【０２３６】
本開示で有用なスルタインとしては、式（Ｒ（Ｒ１）２Ｎ＋Ｒ２ＳＯ３−を有するこれらの化合物が挙げられ、式中、Ｒが、Ｃ６〜Ｃ１８ヒドロカルビル基であり、各Ｒ１が典型的に独立して、Ｃ１〜Ｃ３アルキル、例えばメチルであり、Ｒ２が、Ｃ１〜Ｃ６ヒドロカルビル基、例えば、Ｃ１〜Ｃ３アルキレンまたはヒドロキシアルキレン基である。
【０２３７】
双性のクラス、およびこれらの界面活性剤の種の典型的なリストは、１９７５年１２月３０日にＬａｕｇｈｌｉｎおよびＨｅｕｒｉｎｇに対して発行された米国特許第３，９２９，６７８号に与えられている。さらなる例は、「Ｓｕｒｆａｃｅ  Ａｃｔｉｖｅ  Ａｇｅｎｔｓ  ａｎｄ  Ｄｅｔｅｒｇｅｎｔｓ」（Ｓｃｈｗａｒｔｚ、ＰｅｒｒｙおよびＢｅｒｃｈによるＶｏｌ．ＩおよびＩＩ）に与えられている。これらの参考文献の各々は、本明細書にそれらの全体が組み込まれる。
【０２３８】
消泡剤
泡の安定性を低減するための消泡剤はまた、食器洗浄組成物中に含まれ得る。消泡剤の例としては、これらに限定されないが、Ｐｌｕｒｏｎｉｃ  Ｎ−３の名前で入手可能なものなどのエチレンオキシド／プロピレンブロックコポリマー；ポリジメチルシロキサン、ポリジメチルシロキサン、およびＡｂｉｌ  Ｂ９９５２の名前で入手可能なものなどの官能化ポリジメチルシロキサン中に分散されたシリカなどのシリコーン化合物；脂肪アミド、炭化水素ワックス、脂肪酸、脂肪エステル、脂肪アルコール、脂肪酸石鹸、エトキシレート、鉱物油、ポリエチレングリコールエステル、およびリン酸モノステアリルなどのアルキルリン酸エステルが挙げられる。消泡剤についての考察は、例えば、Ｍａｒｔｉｎらの米国特許第３，０４８，５４８号、Ｂｒｕｎｅｌｌｅらの米国特許第３，３３４，１４７号、およびＲｕｅらの米国特許第３，４４２，２４２号に見出され得、これらの開示は参照により本明細書に組み込まれる。濃縮物が消泡剤を含むとき、消泡剤は、およそ０．０００１％重量％〜およそ１０重量％、およそ０．００１重量％〜およそ５重量％、またはおよそ０．０１重量％〜およそ１．０重量％の量で提供され得る。
【０２３９】
使用方法のための濃縮物および使用溶液
ブロックに提供される洗剤組成物は、濃縮組成物である。概して、濃縮物は、水で希釈されて、物体に接触して所望の浄化、すすぎなどを提供する使用溶液を提供することを意図される組成物を指す。
【０２４０】
使用溶液は、所望の洗浄特性を有する使用溶液を提供する希釈比で濃縮物を水で希釈することによって、濃縮物から調製され得る。濃縮物を希釈して使用組成物を形成するために使用される水は、希釈水または希釈剤と称され得、場所によって変動し得る。典型的な希釈係数は、およそ１〜およそ１０，０００であるが、水の硬度、除去される汚れの量などの要因に依存するであろう。濃縮物は、約１：１０〜約１：１０，０００の濃縮物対水の比で希釈され得る。特に、濃縮物は、約１：１００〜約１：５，０００の濃縮物対水の比で希釈される。より具体的には、濃縮物は、約１：２５０〜約１：２，０００の濃縮物対水の比で希釈され得る。
【０２４１】
本開示の一態様では、洗剤組成物の使用溶液は、約１０ｐｐｍ〜約６０００ｐｐｍのアルカリ源を有する。本開示の好ましい態様では、洗剤組成物の使用溶液は、約５００ｐｐｍ〜約４０００ｐｐｍのアルカリ源を有する。本開示のなおさらに好ましい態様では、洗剤組成物の使用溶液は、２５００ｐｐｍ〜約３５００ｐｐｍのアルカリ源を有する。加えて、本開示に従って限定されるものではないが、全ての列挙される範囲は、その範囲を定義する数を含み、その定義される範囲内の各整数を含む。
【０２４２】
本開示の一態様では、洗剤組成物は、好ましくは、低い使用希釈で有効な浄化を提供し、例えば、効果的に浄化するのにより少ない体積を必要とする。一態様では、洗剤組成物は、使用前に約１／１６オンス／ガロン〜約２オンス／ガロン以上の希釈範囲で水に希釈されてもよい。同じまたはより良好な浄化効力を達成するのにより少ない体積を必要とし、低い使用希釈で硬度スケール制御および／または他の利点を提供する洗剤組成物が望ましい。
【０２４３】
いくつかの態様では、洗剤組成物は、水などの希釈剤と接触して濃縮物および／または様々な使用用途のための使用溶液を生成する。
【０２４４】
いくつかの態様では、本開示は、表面、例えば硬質表面から汚れを除去する方法、および／または表面を漂白する方法を提供する。いくつかの実施形態では、方法は、洗剤組成物の使用溶液を表面と接触させること、ならびに汚れの除去および／または漂白を容易にするのに十分な時間量後に表面から組成物を除去することを含む。接触ステップは、任意の好適な時間の間、継続し得る。いくつかの実施形態では、接触ステップは、少なくとも１０秒、２０秒、３０秒、４０秒、５０秒、１分、１０分、３０分、１時間、２時間、４時間、８時間、１６時間、１日、３日、１週間、またはそれ以上の間継続する。洗剤組成物は、任意の好適な様式で表面（または汚れ除去および／もしくは漂白のための標的）と接触し得る。いくつかの実施形態では、洗剤組成物は、スプレー、泡、浸漬などの手段によって適用される。
【０２４５】
方法は、任意の好適な汚れの除去（例えば、浄化）、表面または標的の中および／または上の微生物集団の殺菌、消毒、漂白および／または低減を達成するために使用され得る。いくつかの実施形態では、方法は、微生物集団を少なくとも１ｌｏｇ１０低減するために使用され得る。他の実施形態において、本発明の方法は、少なくとも２ｌｏｇ１０で対象または処理された対象組成物の中および／または上の微生物集団を低減するのに使用できる。さらに他の実施形態において、本発明の方法は、少なくとも３ｌｏｇ１０で対象または処理された対象組成物の中および／または上の微生物集団を低減するのに使用できる。
【０２４６】
いくつかの実施形態では、方法は、表面をすすぐことをさらに含む。いくつかの実施形態では、方法は、汚れの除去および／または表面の漂白を助けるための力、撹拌および／または圧力の機械的な適用をさらに含む。
【０２４７】
本開示の方法を使用して、種々の表面から種々の汚れを除去し、および／または種々の表面を漂白することができる。例えば、本開示の方法を使用して浄化するのに好適な表面としては、これらに限定されないが、壁、床、用品、皿、食卓用品、ポットおよびパン、熱交換コイル、オーブン、フライヤー、燻製室、下水排水管などが挙げられる。
【０２４８】
いくつかの実施形態では、本開示の方法の後には、すすぎステップのみが続く。他の実施形態では、本開示の方法の後には、浄化される表面に好適な従来のＣＩＰ方法が続く。なおさらに他の実施形態では、本開示の方法の後には、「Ｍｅｔｈｏｄｓ  ｆｏｒ  Ｃｌｅａｎｉｎｇ  Ｉｎｄｕｓｔｒｉａｌ  Ｅｑｕｉｐｍｅｎｔ  ｗｉｔｈ  Ｐｒｅ−ｔｒｅａｔｍｅｎｔ」と題され、その両方が、参照によりそれらの全体が本明細書に組み込まれる、米国特許第８，３９８，７８１号および同第８，１１４，２２２号に記載のものなどのＣＩＰ方法が続く。
【０２４９】
使用方法
別の態様では、アルカリ源、酵素、および特定のタイプのホスホネートまたはアミンホスホネート塩を含む、本開示の組成物の使用溶液を生成することを含む、浄化、殺菌および／または漂白方法が、本明細書に開示されている。
【０２５０】
さらに別の態様では、アルカリ源、酵素、および特定のタイプのホスホネートまたはアミンホスホネート塩を含む、本開示の組成物の使用溶液を生成することと、浄化および殺菌の必要のある表面または対象物を使用溶液と接触させることとを含む、浄化、殺菌および／または漂白方法が、本明細書に開示されている。
【０２５１】
いくつかの実施形態では、本開示の洗剤組成物の使用溶液は、その生成の２４０分後にその酵素活性の少なくとも１５％を維持している。いくつかの他の実施形態では、本開示の洗剤組成物の使用溶液は、その生成の１２０分後にその酵素活性の少なくとも２０％を維持している。
【０２５２】
さらに別の態様では、本開示は、固体洗剤中の酵素を安定化する方法である。方法は、式
【化４２】
2019529679.tif 000044
のホスホネートもしくはその塩、またはアミンホスホネート塩を、酵素を含有する既存の洗剤組成物に添加することを含み、Ｒ１０およびＲ１１が、独立して水素、置換カルボン酸、ホスホネート、エタノール、ジクリコ、置換アルキル、２−（ＥＯ）ｎ−ビホスホネートアミン−エチル、２−（ＰＯ）ｎ−ビホスホネートアミン−イソプロピル、またはホスホネートメチルであり、アミンホスホネート塩が、式
【化４３】
2019529679.tif 000045
のホスホネートとアミンとの生成物であり、Ｒ１２、Ｒ１３、およびＲ１４が、独立してヒドロキシル、メチル、−ＰＯ（ＯＨ）２、−ＣＨ２ＣＯＯＨ、置換アルキル、ホスホネート、それらのエステル、それらの塩、またはそれらの誘導体である。
【０２５３】
本明細書における全ての刊行物および特許出願は、本開示が関連する当業者のレベルを示している。全ての刊行物および特許出願は、個々の刊行物または特許出願が参照により組み込まれるように具体的かつ個別に示されているのと同程度に、参照により本明細書に組み込まれる。
【実施例】
【０２５４】
本開示の実施形態を、以下の非限定的な実施例においてさらに定義する。これらの実施例は、本開示のある特定の実施形態を示してはいるが、単に例証として与えられていることが理解されるべきである。上記の考察およびこれらの実施例から、当業者は、本開示の本質的な特徴を確認することができ、その趣旨および範囲から逸脱することなく、様々な使用法および条件にそれを適合するために本開示の実施形態の様々な変更および修正を行うことができる。したがって、本開示の実施形態の様々な修正は、本明細書に示され記載されているものに加えて、前述の記載から当業者には明らかとなるであろう。かかる修正もまた、添付の特許請求の範囲の範疇内であることが意図される。
【０２５５】
実施例では、以下の材料を使用する。
Ｂｉｏ−ｔｅｒｇｅ（登録商標）ＡＳ−９０−９０％活性Ｃ１４〜Ｃ１６αオレフィンスルホネート（ＡＯＳ）；
Ｕｆａｒｙｌ  ＤＬ９０Ｃ−９０％Ｃ１０〜Ｃ１３活性直鎖アルキルベンゼンスルホネート（ＬＡＳ）、ドラム乾燥粉末；
Ｂｅｌｃｌｅｎｅ２００−５０％活性５００〜１００ＭＷポリマレイン酸；
Ａｃｕｓｏｌ（商標）４４５Ｎ−４５％活性ポリアクリル酸（４５００〜１００００ＭＷ）；
Ａｃｕｓｏｌ（商標）４４５ＮＤ−４５％活性ポリアクリル酸（４５００〜１０，０００ＭＷ）、スプレー乾燥；
Ａｃｕｓｏｌ（商標）８２０−非常に高い水性増粘効果および安定化効果を有する疎水変性アルカリ可溶性アクリルポリマー乳化剤（ＨＡＳＥ）；
Ａｃｕｓｏｌ（商標）９２９−４６％活性ポリアクリル酸（約１０，０００〜１５，０００ＭＷ）；
重灰−炭酸ナトリウム；
軽灰−炭酸ナトリウム；
重炭酸ナトリウム、顆粒；
ＰＥＧ８０００−平均分子量８，０００を有するポリエチレングリコール；
粉末重炭酸塩−粉末の重炭酸ナトリウム；
ＣＭＣ−７ＬＴ−カルボキシメチルセルロース；
ＬＡＥ２４−７−直鎖アルコールエトキシレート（７モルＥＯ）；
ＡＴＭＰ−アミノトリ（メチレンホスホン酸）；
ＡＭＰＡ−アミノメチルホスホン酸；
ＰＢＴＣ−ホスフォンブタントリカルボン酸、Ｂａｙｈｉｂｉｔ  ＡＭ；
ＳＴＰＰ−トリポリホスフェートナトリウム；
ＨＥＤＰ−１−ヒドロキシエチリデン−１，１−ジホスホン酸、Ｄｅｑｕｅｓｔ２０１０；
ＤＧＡＰ−ジグリコールアミンホスホネート、スケール阻害剤２５８８；
ＭＥＡＰ−モノエタノールアミンホスホネート、スケール阻害剤２６７０；
ＰＡＰＥＭＰ−ポリアミノポリエーテルメチレンホスホン酸、Ｋｅｍｇｕａｒｄ８０１０；
ＰＳＯ−Ｎａｌｃｏからのホスフィノコハク酸混合物、Ｎａｌｃｏ  ＴＸ１５７１２ＳＱ。
【０２５６】
実施例１
使用溶液が洗剤組成物から生成された後、４時間以内に収集した様々な時点で、１２０°Ｆの水１ガロン当たり５粒（ＧＰＧ）の４０００ｐｐｍで、異なるホスホネートレベルを有する洗剤中の酵素活性を試験した。試験中、異なる時点で試料を収集し、直ちにアセトン／ドライアイス浴で冷凍し、酵素活性を評価する前に−８０℃で保存した。かかるアッセイの使用には、ｔ＝０分を１００％酵素活性の基準点とした。
【０２５７】
手動の食器洗浄またはプレソーク用途に関連する化学的条件、温度条件、およびｐＨ条件を使用して、ビーカー中にプレソーク条件をシミュレートするために、配合物中の酵素活性（％保持率）のアッセイを行った。酵素活性は、洗剤中の、具体的にはサンプ内の水性使用溶液中（高ｐＨ条件、温度条件および希釈条件下で）の酵素の安定性の指標である。
【０２５８】
プロテアーゼアッセイによる分析は、以下のように行われた。アッセイのために、洗剤組成物を使用して、本明細書で評価した水性使用溶液を生成した。試験した洗剤組成物中の構成成分を、表１に列挙する。
【０２５９】
プレソークまたは手動の食器洗浄条件下での酵素活性は、標準的なプロテアーゼアッセイを使用して定量的に追跡された。試料を卓上条件下で調製し、それによって洗剤組成物または洗剤からの使用溶液を得、撹拌水浴中でプレソークまたは手動の食器洗浄温度に維持した。酵素安定性を評価するための時間経過が始まった後、アリコートを様々な時点で採取し、急速冷凍した。室温で洗剤配合物を溶解し、完全に混合し、急速冷凍することによって、各シリーズに対して、時間＝０の試料を調製した。試料を解凍し、必要に応じて、通常プロテアーゼアッセイで使用されるアッセイ緩衝液で希釈した。本明細書では、ｐＨ９．０のグリシン緩衝液を使用する。生成物の遊離は活性酵素含有量との相関関係を提供するので、アッセイには、小さな市販のペプチジル基材上でのプロテアーゼの直接反応を監視した。測定可能なダイナミックレンジ（器具の透過度上限＞３．５）を有するプレートリーダーを使用して、生成物を検出した。酵素活性レベルは、プレソークまたは手動の食器洗浄使用条件下でのプロテアーゼ安定性をマッピングするために使用した反復試験の平均値を用いて、較正曲線に対して評価された。各時点での酵素保持率は、時間＝０の試料に対する％酵素活性として計算された。
【０２６０】
リパーゼおよびアミラーゼアッセイによる分析は、異なる基材および緩衝液を用いた以外は同様に行った。リパーゼ活性については、基材は吉草酸ｐ−ニトロフェニルであり、アミラーゼについては、基材はエチリデン基材（ＥＰＳ）である。使用した緩衝液は、リパーゼアッセイでは、ｐＨ８．０のＴＲＩＳ（トリス（ヒドロキシメチル）アミノメタン）緩衝液であり、アミラーゼアッセイでは、ｐＨ８．０のＨＥＰＥＳ（４−（２−ヒドロキシエチル）−１−ピペラジンエタンスルホン酸）緩衝液である。
【０２６１】
評価したホスホネートおよびそれらの濃度レベルを、表２に列挙する。ホスホネート構造およびそれらの酵素活性に対する全体的な効果を、表３に列挙する。異なるホスホネートを異なる濃度で含有する試験した洗剤組成物の使用溶液中の経時的な相対的酵素活性を、表４Ａ〜表４Ｅ、表５Ａ〜表５Ｅ、および表６Ａ〜表６Ｆに列挙する。
【表１】
2019529679.tif 000046
【表２】
2019529679.tif 000047
【表３】
2019529679.tif 000048
【表４Ａ−１】
2019529679.tif 000049
【表４Ａ−２】
2019529679.tif 000050
【表４Ｂ−１】
2019529679.tif 000051
【表４Ｂ−２】
2019529679.tif 000052
【表４Ｃ−１】
2019529679.tif 000053
【表４Ｃ−２】
2019529679.tif 000054
【表４Ｄ−１】
2019529679.tif 000055
【表４Ｄ−２】
2019529679.tif 000056
【表４Ｅ】
2019529679.tif 000057
【表５Ａ−１】
2019529679.tif 000058
【表５Ａ−２】
2019529679.tif 000059
【表５Ｂ−１】
2019529679.tif 000060
【表５Ｂ−２】
2019529679.tif 000061
【表５Ｃ−１】
2019529679.tif 000062
【表５Ｃ−２】
2019529679.tif 000063
【表５Ｄ−１】
2019529679.tif 000064
【表５Ｄ−２】
2019529679.tif 000065
【表５Ｅ】
2019529679.tif 000066
【表６Ａ】
2019529679.tif 000067
【表６Ｂ−１】
2019529679.tif 000068
【表６Ｂ−２】
2019529679.tif 000069
【表６Ｃ−１】
2019529679.tif 000070
【表６Ｃ−２】
2019529679.tif 000071
【表６Ｄ−１】
2019529679.tif 000072
【表６Ｄ−２】
2019529679.tif 000073
【表６Ｅ−１】
2019529679.tif 000074
【表６Ｅ−２】
2019529679.tif 000075
【表６Ｅ−３】
2019529679.tif 000076
【表６Ｆ】
2019529679.tif 000077
【０２６２】
ホスホネートを含有する様々な洗剤組成物の使用溶液中の異なる時点でのプロテアーゼ、アミラーゼ、およびリパーゼ活性を、それぞれ図１Ａ〜図６Ｇにプロットした。表４Ａ〜表４Ｅおよび図１Ａ〜図２Ｃのデータは、ＡＴＭＰ、ＤＧＡＰ、ＰＡＰＥＭＰ、およびＭＥＡＰを含有する洗剤組成物中で、塩基を配合したプロテアーゼがより安定であり、使用溶液が生成から４時間後でさえも、少なくとも５０％のプロテアーゼ活性を保持できることを示している。ＡＭＰＡはまた、プロテアーゼ安定性を改善するが、比較的程度は低い。これらのホスホネートは、ＮＲ’Ｒ”−ＰＯ（ＯＨ）２と共通の構造的特徴を共有する。一方、ホスホネート、またはＰＢＴＣおよびＨＥＤＰなどの他のタイプのホスホネートを含有しない洗剤組成物は、非常に短い酵素活性時間枠、および使用溶液が生成わずか２０分後に７０％を超えてその酵素活性を失うことを示している。しかしながら、ＣＲ’Ｒ”Ｒ”’−ＰＯ（ＯＨ）２と共通の構造的特徴を共有するＰＢＴＣおよびＨＥＤＰなどの少なくともいくつかの他のホスホネートについては、ホスホネートがトリエタノールアミンなどのアミンで中和される場合、かかるホスホネートのアミン塩を含有する洗剤組成物は、ホスホネートがアミンによって中和されていないものに相当する洗剤組成物よりも、はるかに改善された酵素活性を示している。図２Ｄは、全灰配合中のプロテアーゼが、アミン（複数可）を含まないＰＢＴＣまたはＨＥＤＰを含有する同じ洗剤組成物の使用溶液中よりも、ＡＴＭＰまたはＤＧＡＰを含有する洗剤組成物の使用溶液中でより安定であることを示している。
【０２６３】
表５Ａ〜表５Ｅおよび図３Ａ〜図４Ｃのデータは、アミラーゼ活性に対するホスホネートの効果がプロテアーゼ活性に対するものほど顕著ではないが、プロテアーゼ活性と同様の様式で、塩基配合中のアミラーゼ活性がまた、異なるタイプのホスホネートによって異なって影響されることを示している。しかしながら、図４Ｄは、全灰配合中のアミラーゼが、アミン（複数可）を含まないＰＢＴＣまたはＨＥＤＰを含有する同じ洗剤組成物の使用溶液中よりも、ＡＴＭＰまたはＤＧＡＰを含有する洗剤組成物の使用溶液中でより安定であることを示している。
【０２６４】
表６Ａ〜表６Ｆおよび図５Ａ〜図６Ｆのデータは、ＡＴＭＰ、ＤＧＡＰ、ＰＡＰＥＭＰ、およびＭＥＡＰを含有する洗剤組成物中で、リパーゼもまたより安定であり、使用溶液が生成から４時間後さえも、少なくとも約１５％のリパーゼ活性を保持できることを示している。しかしながら、図６Ｇは、全灰配合中のリパーゼが、アミン（複数可）を含まないＰＢＴＣまたはＨＥＤＰを含有する同じ洗剤組成物の使用溶液中よりも、ＡＴＭＰまたはＤＧＡＰを含有する洗剤組成物の使用溶液中でより安定であることを示している。
【０２６５】
出願人は、図１Ａ〜図６Ｇに示されるように、そのうちのいくつかが洗剤組成物に一般的に使用されているいくつかのホスホネートが、実際にプロテアーゼ、アミラーゼ、またはリパーゼを不安定にすることを予想外に発見した。
【０２６６】
スケール阻害剤、金属イオン封鎖剤、またはスケール防止剤として、ホスホネートは、硬水での使用に対抗して他の活性成分の性能を高めるために、多くの消費者用洗剤またはＨＩ＆Ｉ洗剤に使用されているが、本明細書に開示されるような特定のタイプのホスホネートについては言うまでもなく、洗剤組成物中の酵素安定剤としてのそれらの一般能力は、認知または調査されていない。本出願人は、これら２つの特定のタイプのホスホネートが、単独でまたはそれらのアミン塩の形態で、その使用溶液の生成後、浄化適用中に洗剤組成物中で酵素を安定化し得ることを予想外に発見した。この発見は、洗剤組成物の有効性の増大、および汚れを除去するのにより効率的で費用対効果の高い新しい洗剤組成物を生成または配合する新しい方法をもたらした。
【０２６７】
本発明はこのように説明されているが、これは多くの方法で変動し得ることは明らかであろう。かかる変動は、本開示の趣旨および範囲からの逸脱とみなされるべきではなく、全てのかかる修正は、以下の特許請求の範囲の範疇内に含まれることが意図される。
【０２６８】
上記の明細書は、開示される組成物および方法の製造および使用の説明を提供する。本開示の趣旨および範囲から逸脱することなく、多くの実施形態が作製され得るため、本発明は、特許請求の範囲に属する。
【図１Ａ】
2019529679.tif 000086
【図１Ｂ】
2019529679.tif 000087
【図１Ｃ】
2019529679.tif 000088
【図２Ａ】
2019529679.tif 000089
【図２Ｂ】
2019529679.tif 000090
【図２Ｃ】
2019529679.tif 000091
【図２Ｄ】
2019529679.tif 000092
【図３Ａ】
2019529679.tif 000093
【図３Ｂ】
2019529679.tif 000094
【図３Ｃ】
2019529679.tif 000095
【図４Ａ】
2019529679.tif 000096
【図４Ｂ】
2019529679.tif 000097
【図４Ｃ】
2019529679.tif 000098
【図４Ｄ】
2019529679.tif 000099
【図５Ａ】
2019529679.tif 000100
【図５Ｂ】
2019529679.tif 000101
【図５Ｃ】
2019529679.tif 000102
【図６Ａ】
2019529679.tif 000103
【図６Ｂ】
2019529679.tif 000104
【図６Ｃ】
2019529679.tif 000105
【図６Ｄ】
2019529679.tif 000106
【図６Ｅ】
2019529679.tif 000107
【図６Ｆ】
2019529679.tif 000108
【図６Ｇ】
2019529679.tif 000109
【手続補正書】
【提出日】令和1年7月10日(2019.7.10)
【手続補正１】
【補正対象書類名】明細書
【補正対象項目名】０２６８
【補正方法】変更
【補正の内容】
【０２６８】
上記の明細書は、開示される組成物および方法の製造および使用の説明を提供する。本開示の趣旨および範囲から逸脱することなく、多くの実施形態が作製され得るため、本発明は、特許請求の範囲に属する。以下、
［１］
酵素、
【化１】
2019529679.tif 000110
の式によって表されるホスホネートまたはその塩、およびアルカリ源を含む、組成物であって、
前記酵素が、プロテアーゼ、アミラーゼ、リパーゼ、セルラーゼ、ペルオキシダーゼ、グルコナーゼ、またはそれらの混合物を含み、
前記アルカリ源が、金属炭酸塩、金属重炭酸塩、金属ケイ酸塩、またはそれらの混合物であり、
式中、Ｒ１０およびＲ１１は、独立して、水素、置換アルキル、２−（ＥＯ）ｎ−ビホスホネートアミン−エチル、２−（ＰＯ）ｎ−ビホスホネートアミン−イソプロピル、ホスホネート、ホスホネートエステル、またはそれらの誘導体であり、
ただし、Ｒ１０およびＲ１１は、両方とも−ＣＨ２−ＰＯ（ＯＨ）２基である、組成物。
［２］
Ｒ１１が、−ＣＨ２−ＰＯ（ＯＨ）２基である、項目１に記載の組成物。
［３］
Ｒ１１が、−ＣＨ２−ＰＯ（ＯＨ）２基であり、Ｒ１０が、置換アルキルである、項目１に記載の組成物。
［４］
Ｒ１１が、−ＣＨ２−ＰＯ（ＯＨ）２基であり、Ｒ１０が、ホスホネート、ホスホネートエステル、またはそれらの誘導体である、項目１に記載の組成物。
［５］
前記ホスホネートが、
【化２】
2019529679.tif 000111
アミノメチルホスホン酸、またはそれらの混合物であり、式中、ｎが１〜３０の整数である、項目１に記載の組成物。
［６］
前記アルカリ源が、金属炭酸塩および金属重炭酸塩である、項目１〜５のいずれか一項に記載の組成物。
［７］
前記金属炭酸塩と前記金属重炭酸塩のモル比が、約０．２５：１〜約１：０．２５である、項目６に記載の組成物。
［８］
前記酵素が、プロテアーゼ、アミラーゼ、リパーゼ、またはそれらの混合物を含む、項目１〜７のいずれか一項に記載の組成物。
［９］
前記ホスホネートが、前記組成物の約０．１〜３５重量％である、項目１〜８のいずれか一項に記載の組成物。
［１０］
前記酵素が、前記組成物の約０．１〜３５重量％である、項目１〜９のいずれか一項に記載の組成物。
［１１］
前記アルカリ源が、前記組成物の約０．１〜９０重量％である、項目１〜１０のいずれか一項に記載の組成物。
［１２］
前記組成物の使用溶液が、約８〜約１２のｐＨを有する、項目１〜１１のいずれか一項に記載の組成物。
［１３］
前記組成物の使用溶液中で、前記酵素が、１２０°Ｆ（約４８．９℃）で少なくとも４時間の間、その活性の少なくとも１５％を保持する、項目１〜１２のいずれか一項に記載の組成物。
［１４］
前記組成物の使用溶液中で、前記酵素が、１２０°Ｆ（約４８．９℃）で少なくとも４時間の間、その活性の少なくとも２０％を保持する、項目１〜１２のいずれか一項に記載の組成物。
［１５］
アミンをさらに含む、項目１〜１４のいずれか一項に記載の組成物。
［１６］
前記アミンが、前記組成物の約０．１〜３５重量％である、項目１５に記載の組成物。
［１７］
前記アミンに対する前記ホスホネートのモル比が、約０．５：１〜１：０．５である、項目１５に記載の組成物。
［１８］
前記アミンが、アルカノールアミン、モノエタノールアミン、ジエタノールアミン、トリエタノールアミン、イソプロピルアミン、またはそれらの混合物である、項目１５〜１７のいずれか一項に記載の組成物。
［１９］
前記組成物が、金属水酸化物、トリポリホスフェート、またはそれらの混合物をさらに含む、項目１〜１８のいずれか一項に記載の組成物。
［２０］
酸化剤、ビルダー、水質コンディショナー、水質調節剤、ペルオキシ酸、ペルオキシ酸の初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤、キレート化剤、芳香剤、染料、レオロジー調整剤、増粘剤、非イオン界面活性剤、カチオン界面活性剤、双性イオン界面活性剤、ヒドロトロープ、カップラー、またはそれらの任意の組み合わせを含む、追加の機能性成分のうちの一つ又は複数をさらに含む、項目１〜１９のいずれか一項に記載の組成物。
［２１］
酵素、アルカリ源、およびアミンホスホネート塩を含む、組成物であって、
前記アミンホスホネート塩が、
【化３】
2019529679.tif 000112
の式によって表されるホスホネートとアミンとの生成物であり、
前記酵素が、プロテアーゼ、アミラーゼ、リパーゼ、セルラーゼ、ペルオキシダーゼ、グルコナーゼ、またはそれらの混合物を含み、
前記アルカリ源が、金属炭酸塩、金属重炭酸塩、金属ケイ酸塩、またはそれらの混合物を含み、
式中、Ｒ１２、Ｒ１３、およびＲ１４は、独立して、ヒドロキシル、メチル、−ＰＯ（ＯＨ）２、−ＣＨ２ＣＯＯＨ、置換アルキル、ホスホネート、それらのエステル、それらの塩、またはそれらの誘導体である、組成物。
［２２］
Ｒ１２、Ｒ１３、およびＲ１４のうちの１つが、ヒドロキシル、メチル、−ＰＯ（ＯＨ）２、−ＣＨ２ＣＯＯＨ、それらのエステル、それらの塩、またはそれらの誘導体である、項目２１に記載の組成物。
［２３］
前記ホスホネートが、ＰＯ（ＯＨ）２（Ｃ（ＣＨ２ＣＯＯＨ）３）、ＰＢＴＣである、項目２１に記載の組成物。
［２４］
前記ホスホネートが、Ｃ（ＣＨ３）（ＯＨ）（ＰＯ（ＯＨ）２）２、ＨＥＤＰである、項目２１に記載の組成物。
［２５］
前記アミンが、モノエタノールアミン、ジエタノールアミン、トリエタノールアミン、イソプロピルアミン、またはそれらの混合物である、項目２１〜２４のいずれか一項に記載の組成物。
［２６］
前記酵素が、プロテアーゼ、アミラーゼ、リパーゼ、またはそれらの混合物を含む、項目２１〜２５のいずれか一項に記載の組成物。
［２７］
前記アルカリ源が、金属炭酸塩、金属重炭酸塩、またはそれらの混合物を含む、項目２１〜２６のいずれか一項に記載の組成物。
［２８］
前記金属重炭酸塩に対する前記金属炭酸塩のモル比が、約０．２５：１〜約１：０．２５である、項目２７に記載の組成物。
［２９］
前記組成物の使用溶液が、約８〜約１２のｐＨを有する、項目２１〜２８のいずれか一項に記載の組成物。
［３０］
前記組成物の使用溶液中で、前記酵素が、１２０°Ｆ（約４８．９℃）で少なくとも４０分の間、その活性の少なくとも１５％を保持する、項目２１〜２９のいずれか一項に記載の組成物。
［３１］
前記アミンが、前記組成物の約０．１〜３５重量％を構成する、項目２１〜３０のいずれか一項に記載の組成物。
［３２］
前記ホスホネートが、前記組成物の約０．１〜３５重量％を構成する、項目２１〜３１のいずれか一項に記載の組成物。
［３３］
前記酵素が、前記組成物の約０．１〜３５重量％を構成する、項目２１〜３２のいずれか一項に記載の組成物。
［３４］
前記アルカリ源が、前記組成物の約０．１〜９０重量％を構成する、項目２１〜３３のいずれか一項に記載の組成物。
［３５］
前記組成物が、金属水酸化物、トリポリホスフェート、またはそれらの混合物をさらに含む、項目２１〜３４のいずれか一項に記載の組成物。
［３６］
前記組成物が、酸化剤、ペルオキシ酸、ペルオキシ酸の初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤、キレート化剤、芳香剤、染料、レオロジー調整剤、増粘剤、非イオン界面活性剤、カチオン界面活性剤、双性イオン界面活性剤、ヒドロトロープ、カップラー、またはそれらの任意の組み合わせのうちの一つ又は複数をさらに含む、項目２１〜３５のいずれか一項に記載の組成物。
［３７］
アルカリ源、ホスホネート、および酵素を含む、固体洗剤組成物であって、
前記アルカリ源が、金属炭酸塩、金属重炭酸塩、金属ケイ酸塩、またはそれらの混合物を含み、
前記酵素が、プロテアーゼ、アミラーゼ、リパーゼ、セルラーゼ、ペルオキシダーゼ、グルコナーゼ、またはそれらの混合物を含み、
前記ホスホネートが、
【化４】
2019529679.tif 000113
の式またはその塩によって表され、Ｒ１０およびＲ１１は、独立して、水素、置換カルボン酸、ホスホネート、エタノール、ジグリコ、置換アルキル、２−（ＥＯ）ｎ−ビホスホネートアミン−エチル、２−（ＰＯ）ｎ−ビホスホネートアミン−イソプロピル、またはホスホネート−メチルであり、ただし、Ｒ１０およびＲ１１が両方とも、−ＣＨ２−ＰＯ（ＯＨ）２基であり、
前記組成物の前記成分を混合及び使用して、固体洗剤を生成した、固体洗剤組成物。
［３８］
前記固体洗剤が、注型プロセス、押出プロセス、またはプレスプロセスによって生成される、項目３７に記載の固体洗剤組成物。
［３９］
前記固体洗剤が、ブロック、錠剤、または粒状である、項目３７又は３８に記載の固体洗剤組成物。
［４０］
前記固体洗剤が、多用途固体洗剤である、項目３７〜３９のいずれか一項に記載の固体洗剤組成物。
［４１］
Ｒ１１が、−ＣＨ２−ＰＯ（ＯＨ）２基である、項目３７〜４０のいずれか一項に記載の固体洗剤組成物。
［４２］
Ｒ１１が、−ＣＨ２−ＰＯ（ＯＨ）２基であり、Ｒ１０が、エタノールイル、ジグリコ、置換アルキル、イソプロピル−２−（ＥＯ）ｎ−ビホスホネートアミン、またはメチル−ホスホネートである、項目３７〜４０のいずれか一項に記載の固体洗剤組成物。
［４３］
前記ホスホネートが、
【化５】
2019529679.tif 000114
アミノメチルホスホン酸、それらの混合物、またはそれらの塩である、項目３７〜４０のいずれか一項に記載の固体洗剤組成物。
［４４］
前記アルカリ源が、金属炭酸塩および金属重炭酸塩を含む、項目３７〜４３のいずれか一項に記載の固体洗剤組成物。
［４５］
前記金属炭酸塩と前記金属重炭酸塩のモル比が、約０．２５：１〜約１：０．２５である、項目４４に記載の固体洗剤組成物。
［４６］
前記酵素が、プロテアーゼ、アミラーゼ、リパーゼ、またはそれらの混合物を含む、項目３７〜４５のいずれか一項に記載の固体洗剤組成物。
［４７］
アミンまたはその塩をさらに含む、項目３７〜４６のいずれか一項に記載の固体洗剤組成物。
［４８］
前記アミンが、完全に中和されている、項目４７に記載の固体洗剤組成物。
［４９］
前記アミンが、アルカノールアミン、モノエタノールアミン、ジエタノールアミン、トリエタノールアミン、イソプロピルアミン、それらの塩、またはそれらの任意の混合物を含む、項目４７又は４８に記載の固体洗剤組成物。
［５０］
金属水酸化物、トリポリホスフェート、またはそれらの混合物をさらに含む、項目３７〜４９のいずれか一項に記載の固体洗剤組成物。
［５１］
酸化剤、ビルダー、水質コンディショナー、水質調節剤、ペルオキシ酸、ペルオキシ酸の初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤、キレート化剤、芳香剤、染料、レオロジー調整剤、増粘剤、非イオン界面活性剤、カチオン界面活性剤、双性イオン界面活性剤、ヒドロトロープ、カップラー、またはそれらの任意の組み合わせのうちの一つ又は複数をさらに含む、項目３７〜５０のいずれか一項に記載の固体洗剤組成物。
［５２］
前記組成物の使用溶液が、約８〜約１２のｐＨを有する、項目３７〜５１のいずれか一項に記載の固体洗剤組成物。
［５３］
前記組成物の使用溶液中で、前記酵素が、１２０°Ｆ（約４８．９℃）で少なくとも４時間の間、その活性の少なくとも１５％を保持する、項目３７〜５２のいずれか一項に記載の固体洗剤組成物。
［５４］
前記ホスホネートが、前記組成物の約０．１〜３５重量％を構成する、項目３７〜５３のいずれか一項に記載の固体洗剤組成物。
［５５］
前記酵素が、前記組成物の約０．１〜３５重量％を構成する、項目３７〜５４のいずれか一項に記載の固体洗剤組成物。
［５６］
前記アルカリ源が、前記組成物の約０．１〜９０重量％を構成する、項目３７〜５５のいずれか一項に記載の固体洗剤組成物。
［５７］
前記固体洗剤が、寸法安定性を有し、１２２°Ｆ（５０℃）の温度に加熱された場合に３％未満の増大指数を有する、項目３７〜５６のいずれか一項に記載の固体洗剤組成物。
［５８］
アルカリ源、アミンホスホネート塩、および酵素を含む、固体洗剤組成物であって、
前記アルカリ源が、金属炭酸塩、金属重炭酸塩、金属ケイ酸塩、またはそれらの任意の混合物を含み、
前記酵素が、プロテアーゼ、アミラーゼ、リパーゼ、またはそれらの混合物を含み、
前記アミンホスホネート塩が、
【化６】
2019529679.tif 000115
の式によって表されるホスホネートとアミンとの生成物であり、Ｒ１２、Ｒ１３およびＲ１４は、独立して、ヒドロキシル、メチル、−ＰＯ（ＯＨ）２、−ＣＨ２ＣＯＯＨ、置換アルキル、ホスホネート、それらのエステル、それらの塩、またはそれらの誘導体であり、
前記組成物の前記成分を混合及び使用して、固体洗剤を生成した、固体洗剤組成物。
［５９］
前記固体洗剤が、注型プロセス、押出プロセス、またはプレスプロセスによって生成され、前記固体洗剤が、固体ブロック、錠剤、または粒状であり、前記固体が、多用途固体洗剤である、項目５８に記載の固体組成物。
［６０］
浄化、殺菌、および／または漂白する方法であって、前記方法は、
項目１〜５９のいずれか一項に記載の組成物の使用溶液を生成することと、
浄化および殺菌を必要とする表面または物体を前記使用溶液と接触させることと、を含む、方法。
［６１］
固体洗剤中の酵素を安定化する方法であって、前記方法は、
式
【化７】
2019529679.tif 000116
のホスホネートもしくはその塩、またはアミンホスホネート塩を、酵素を含有する既存の洗剤組成物に添加することを含み、Ｒ１０およびＲ１１は、独立して、水素、置換カルボン酸、ホスホネート、エタノール、ジクリコ、置換アルキル、２−（ＥＯ）ｎ−ビホスホネートアミン−エチル、２−（ＰＯ）ｎ−ビホスホネートアミン−イソプロピル、またはホスホネートメチルであり、前記アミンホスホネート塩が、
【化８】
2019529679.tif 000117
の式によって表されるホスホネートとアミンとの生成物であり、Ｒ１２、Ｒ１３、およびＲ１４は、独立して、ヒドロキシル、メチル、−ＰＯ（ＯＨ）２、−ＣＨ２ＣＯＯＨ、置換アルキル、ホスホネート、それらのエステル、それらの塩、またはそれらの誘導体である、方法。
【手続補正２】
【補正対象書類名】特許請求の範囲
【補正対象項目名】全文
【補正方法】変更
【補正の内容】
【特許請求の範囲】
【請求項１】
プロテアーゼ、アミラーゼ、リパーゼ、セルラーゼ、ペルオキシダーゼ、グルコナーゼ、またはそれらの混合物を含む、酵素と、
【化１】
2019529679.tif 000118
の式によって表されるホスホネートまたはその塩、又は
【化２】
2019529679.tif 000119
の式によって表される第二のホスホネートとアミンとの生成物である、アミンホスホネート塩と、
金属炭酸塩、金属重炭酸塩、金属ケイ酸塩、またはそれらの混合物を含む、アルカリ源とを含む、組成物であって、
式中、Ｒ１０およびＲ１１は、独立して、水素、置換アルキル、２−（ＥＯ）ｎ−ビホスホネートアミン−エチル、２−（ＰＯ）ｎ−ビホスホネートアミン−イソプロピル、ホスホネート、ホスホネートエステル、またはそれらの誘導体であり、
ただし、Ｒ１０およびＲ１１は、両方とも−ＣＨ２−ＰＯ（ＯＨ）２基であり、
式中、Ｒ１２、Ｒ１３、およびＲ１４は、独立して、ヒドロキシル、メチル、−ＰＯ（ＯＨ）２、−ＣＨ２ＣＯＯＨ、置換アルキル、ホスホネート、それらのエステル、それらの塩、またはそれらの誘導体である、組成物。
【請求項２】
前記組成物は前記ホスホネートを含み、Ｒ１１が、−ＣＨ２−ＰＯ（ＯＨ）２基である、請求項１に記載の組成物。
【請求項３】
前記組成物は前記ホスホネートを含み、Ｒ１１が、−ＣＨ２−ＰＯ（ＯＨ）２基であり、Ｒ１０が、置換アルキル、ホスホネート、ホスホネートエステル、またはそれらの誘導体である、請求項１又は２に記載の組成物。
【請求項４】
前記組成物は前記アミンホスホネートを含み、Ｒ１２、Ｒ１３、およびＲ１４のうちの１つが、ヒドロキシル、メチル、−ＰＯ（ＯＨ）２、−ＣＨ２ＣＯＯＨ、それらのエステル、それらの塩、またはそれらの誘導体である、請求項１に記載の組成物。
【請求項５】
前記組成物は前記ホスホネートを含み、前記ホスホネートが、
【化３】
2019529679.tif 000120
アミノメチルホスホン酸、またはそれらの混合物であり、式中、ｎが１〜３０の整数である、請求項１に記載の組成物。
【請求項６】
前記組成物は前記アミンホスホネートを含み、前記第二のホスホネートが、ＰＯ（ＯＨ）２（Ｃ（ＣＨ２ＣＯＯＨ）３）、ＰＢＴＣ；Ｃ（ＣＨ３）（ＯＨ）（ＰＯ（ＯＨ）２）２、ＨＥＤＰ、又はこれらの混合物である、請求項１に記載の組成物。
【請求項７】
前記アルカリ源が金属炭酸塩および金属重炭酸塩であり、前記金属炭酸塩と前記金属重炭酸塩のモル比が、約０．２５：１〜約１：０．２５である、請求項１〜６のいずれか一項に記載の組成物。
【請求項８】
前記酵素が、プロテアーゼ、アミラーゼ、リパーゼ、またはそれらの混合物を含む、請求項１〜７のいずれか一項に記載の組成物。
【請求項９】
前記ホスホネート又は前記アミンホスホネートが、前記組成物の約０．１〜３５重量％であり、前記酵素が、前記組成物の約０．１〜３５重量％であり、前記アルカリ源が、前記組成物の約０．１〜９０重量％であり、前記組成物の使用溶液が、約８〜約１２のｐＨを有する、請求項１〜８のいずれか一項に記載の組成物。
【請求項１０】
前記組成物の使用溶液中で、前記酵素が、１２０°Ｆ（約４８．９℃）で少なくとも４時間の間、その活性の少なくとも１５％、又は少なくとも２０％を保持する、請求項１〜９のいずれか一項に記載の組成物。
【請求項１１】
前記組成物は前記アミンホスホネートを含み、アミンをさらに含み、前記アミンが、前記組成物の約０．１〜３５重量％である、請求項１〜１０のいずれか一項に記載の組成物。
【請求項１２】
前記アミンに対する前記ホスホネートのモル比が、約０．５：１〜１：０．５である、請求項１１に記載の組成物。
【請求項１３】
前記アミンが、アルカノールアミン、モノエタノールアミン、ジエタノールアミン、トリエタノールアミン、イソプロピルアミン、またはそれらの混合物である、請求項１〜１２のいずれか一項に記載の組成物。
【請求項１４】
前記組成物が、金属水酸化物、トリポリホスフェート、またはそれらの混合物をさらに含む、請求項１〜１３のいずれか一項に記載の組成物。
【請求項１５】
酸化剤、ビルダー、水質コンディショナー、水質調節剤、ペルオキシ酸、ペルオキシ酸の初期化剤、キレート剤、閾値剤、結晶調整剤、殺菌剤、消泡剤、再付着防止剤、漂白剤、溶解度調整剤、分散剤、すすぎ助剤、ポリマー、金属保護剤、安定化剤、腐食阻害剤、金属イオン封鎖剤、キレート化剤、芳香剤、染料、レオロジー調整剤、増粘剤、非イオン界面活性剤、カチオン界面活性剤、双性イオン界面活性剤、ヒドロトロープ、カップラー、またはそれらの任意の組み合わせを含む、追加の機能性成分のうちの一つ又は複数をさらに含む、請求項１〜１４のいずれか一項に記載の組成物。
【請求項１６】
前記組成物は固体洗剤組成物である、請求項１〜１５のいずれか一項に記載の組成物。
【請求項１７】
前記固体洗剤組成物が、寸法安定性を有し、１２２°Ｆ（５０℃）の温度に加熱された場合に３％未満の増大指数を有する、請求項１６に記載の組成物。
【請求項１８】
前記固体洗剤組成物が、注型プロセス、押出プロセス、またはプレスプロセスによって生成され、前記固体洗剤が、固体ブロック、錠剤、または粒状であり、前記固体洗剤組成物が、多用途固体洗剤組成物である、請求項１６又は１７に記載の組成物。
【請求項１９】
浄化、殺菌、および／または漂白する方法であって、前記方法は、
請求項１〜１８のいずれか一項に記載の組成物の使用溶液を生成することと、
浄化および殺菌を必要とする表面または物体を前記使用溶液と接触させることと、を含む、方法。
【請求項２０】
固体洗剤中の酵素を安定化する方法であって、前記方法は、
式
【化４】
2019529679.tif 000121
のホスホネートもしくはその塩、またはアミンホスホネート塩を、酵素を含有する既存の洗剤組成物に添加することを含み、Ｒ１０およびＲ１１は、独立して、水素、置換カルボン酸、ホスホネート、エタノール、ジクリコ、置換アルキル、２−（ＥＯ）ｎ−ビホスホネートアミン−エチル、２−（ＰＯ）ｎ−ビホスホネートアミン−イソプロピル、またはホスホネートメチルであり、前記アミンホスホネート塩が、
【化５】
2019529679.tif 000122
の式によって表されるホスホネートとアミンとの生成物であり、Ｒ１２、Ｒ１３、およびＲ１４は、独立して、ヒドロキシル、メチル、−ＰＯ（ＯＨ）２、−ＣＨ２ＣＯＯＨ、置換アルキル、ホスホネート、それらのエステル、それらの塩、またはそれらの誘導体である、方法。
【国際調査報告】
2019529679.tif 000123
2019529679.tif 000124
2019529679.tif 000125
2019529679.tif 000126
2019529679.tif 000127
2019529679.tif 000128